(57)【要約】  過酸を使用して容積空間内の表面を消毒するための方法。過酸は、過酸化物化合物を有する第１の組成物及び有機酸化合物を有する第１の組成物を表面上に順次に分散することにより表面上で反応層中にその場で形成され、それにより、過酸化物及び有機酸が表面上で互いに接触するまで過酸が形成されるのが防止される。関連するソフトウェア及びハードウェアを含めて、時間依存的態様で液体組成物を順次塗布するための送出システムが提供される。モノのインターネット及びシングルボードコンピュータアセンブリを利用して、時間依存的態様で２つ以上の液体組成物の順次的塗布を制御できる。
2020537565.tif 000002
【特許請求の範囲】
【請求項１】
容積空間内の消毒を必要とする表面を消毒する方法であって、
ａ）過酸化物化合物又は過酸化物化合物と反応して過酸を形成することができる有機酸化合物のいずれかである第１の過酸反応化合物を有する第１の水性組成物を前記表面上に分配する工程；
ｂ）前記第１の水性組成物が前記表面の全体にわたって分布させて前記表面上で第１の水性組成物層へと合体するのに十分な時間を割り当てる工程；
ｃ）前記第１の過酸反応化合物の他方である第２の過酸反応化合物を有する第２の水性組成物を前記表面上に分配する工程；及び
ｄ）前記第２の水性組成物が前記合体された第１の水性組成物層と組み合わさって前記表面上に反応層を形成するのに十分な第２の時間を割り当て、それにより、前記反応層内に過酸をその場で形成して前記表面を消毒する工程；
を有する、上記方法。
【請求項２】
前記容積空間にはヒト及び動物のうちの少なくとも一方がアクセス可能である請求項１に記載の方法。
【請求項３】
前記第２の水性組成物を前記表面上に分配する際に前記第１の水性組成物のほぼ全てが前記表面上に保持される請求項１又は請求項２に記載の方法。
【請求項４】
前記第１の水性組成物及び前記第２の水性組成物がそれぞれ前記表面上に液体流として分配される請求項１〜３のいずれか一項に記載の方法。
【請求項５】
前記方法が機械的に粗いスプレーデバイスを提供する工程をさらに有し、前記第１の水性組成物及び前記第２の水性組成物がそれぞれ前記機械的に粗いスプレーデバイスを使用して前記表面上に液体流として分配され、好ましくは前記液体流が、ミスト、シャワー、又はジェットの形態で分配される請求項４に記載の方法。
【請求項６】
前記第１の水性組成物が前記表面の全体にわたって分布するのに十分な前記時間が前記表面を前記第１の水性組成物で完全に浸すのに十分な時間である請求項１〜５のいずれか一項に記載の方法。
【請求項７】
前記第２の水性組成物が前記表面の全体にわたって分布するのに十分な前記第２の時間が前記表面を前記第２の水性組成物で完全に浸すのに十分な時間である請求項１〜６のいずれか一項に記載の方法。
【請求項８】
前記第１の水性組成物及び前記第２の水性組成物が界面活性剤、ポリマー類、キレート剤、及び金属コロイド又は金属ナノ粒子から実質的にフリーである請求項１〜７のいずれか一項に記載の方法。
【請求項９】
分散される前記過酸化物化合物の化学量論量が分散される前記有機酸化合物の化学量論量以上である請求項１〜８のいずれか一項に記載の方法。
【請求項１０】
前記有機酸化合物を有する前記水性組成物のｐＨが約７以下である請求項１〜９のいずれか一項に記載の方法。
【請求項１１】
ａ）前記第１の過酸反応化合物が過酸化物化合物、好ましくは過酸化水素であり、
ｂ）前記第２の過酸反応化合物が有機酸化合物、好ましくはギ酸、酢酸、クエン酸、コハク酸、シュウ酸、プロパン酸、乳酸、ブタン酸、ペンタン酸、オクタン酸、及びこれらの混合物からなる群から選ばれる有機カルボン酸、より好ましくは酢酸である、
請求項１〜１０のいずれか一項に記載の方法。
【請求項１２】
前記第１の水性組成物が少なくとも約２重量％、最大で約１５重量％の過酸化水素を有する請求項１〜１１のいずれか一項に記載の方法。
【請求項１３】
前記第２の水性組成物は、少なくとも約１重量％、最大で約１０重量％の酢酸を有する請求項１〜１２のいずれか一項に記載の方法。
【請求項１４】
前記第１の水性組成物及び前記第２の水性組成物の少なくとも一方がアルコール、好ましくは少なくとも約１重量％、最大で約３０重量％のアルコールをさらに有する請求項１〜１３のいずれか一項に記載の方法。
【請求項１５】
前記アルコールは、エタノール、イソプロパノール、ｔ−ブタノール、及びこれらの混合物からなる群から選ばれる低鎖アルコール、好ましくはイソプロパノールを有する請求項１４に記載の方法。
【請求項１６】
前記第１の水性組成物又は前記第２の水性組成物の少なくとも一方がマヌカハニー、及びオレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、及びこれらの組合せからなる群から選ばれる約０．００１〜約１重量％の天然殺生物剤を有する請求項１〜１５のいずれか一項に記載の方法。
【請求項１７】
前記第１の水性組成物又は前記第２の水性組成物の少なくとも一方がメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる約０．００１〜約１重量％の天然殺生物性化合物を有する請求項１〜１５のいずれか一項に記載の方法。
【請求項１８】
前記方法は、前記第１の水性組成物、前記第２の水性組成物、及び、前記反応層のうちの少なくとも１つを紫外光から本質的になる波長で照らす工程をさらに有する請求項１〜１７のいずれか一項に記載の方法。
【請求項１９】
消毒を必要とする前記表面は、プラスチック、金属、リノリウム、タイル、ビニール、石、木材、コンクリート、壁板、石膏、パルプ及び繊維ベースの材料、ガラス、暖房、換気、及び、空調（ＨＶＡＣ）システム、配管、ビニール、及びこれらの組合せからなる群から選ばれる、請求項１〜１８のいずれか一項に記載の方法。
【請求項２０】
容積空間内の消毒を必要とする表面を消毒する方法であって、
ａ）過酸化物化合物又は過酸化物化合物と反応して過酸を形成することができる有機酸化合物のいずれかである第１の過酸反応化合物を有する第１の水性組成物の多数の微小液滴を前記容積空間内へ分散させる工程；
ｂ）前記第１の水性組成物の前記多数の微小液滴が前記容積空間の全体にわたって分布するとともに前記表面上に堆積して第１の水性組成物層へと合体するのに十分な時間を割り当てる工程；
ｃ）前記第１の過酸反応化合物の他方である第２の過酸反応化合物を有する第２の水性組成物の多数の微小液滴を前記容積空間内へ分散させる工程；及び
ｄ）前記第２の水性組成物の前記多数の微小液滴が前記合体された第１の水性組成物層上に堆積して前記表面上に反応層を形成するのに十分な第２の時間を割り当て、それにより、前記反応層内に過酸をその場で形成して前記表面を消毒する工程；
を有し、
前記方法は、前記容積空間内に１つ以上の補足的な水性組成物を分散させる工程と、それぞれの分散された補足的な水性組成物が前記容積空間全体にわたって分布して前記表面上に堆積するのに十分な時間を割り当てる工程をさらに有する、上記方法。
【請求項２１】
前記第１の水性組成物を前記容積空間内に分散させる前、前記第１の水性組成物層が前記表面上に形成された後において前記第２の水性組成物を前記容積空間内に分散させる前、前記過酸が前記表面上の前記反応層内でその場で形成された後、及び、これらの組み合わせからなる群から選ばれる時間に、補足的な水性組成物が前記容積空間内に分散される、請求項２０に記載の方法。
【請求項２２】
補足的な水性組成物のそれぞれは、過酸除去組成物、農薬組成物、及び環境調整組成物からなる群から選ばれる、請求項２１に記載の方法。
【請求項２３】
金属ハロゲン化物化合物を有する過酸除去組成物は、前記過酸が前記表面上の前記反応層内にその場で形成された後に分散され、前記金属ハロゲン化物化合物がヨウ化物又は塩化物、好ましくは、ヨウ化カリウム、塩化カリウム、及び塩化ナトリウムからなる群から選ばれる金属ハロゲン化物化合物、より好ましくはヨウ化カリウムを有する請求項２２に記載の方法。
【請求項２４】
前記過酸除去組成物が少なくとも約０．０００１モル／リットル、最大で約１モル／リットルのヨウ化カリウムを有する請求項２３に記載の方法。
【請求項２５】
前記反応層中にその場で形成される前記過酸の化学量論量以上の化学量論量の前記金属ハロゲン化物化合物が分散され、それにより、前記形成された過酸のほぼ全てが前記表面から除去される請求項２３に記載の方法。
【請求項２６】
前記農薬組成物が殺菌剤、殺鼠剤、除草剤、幼虫駆除剤、殺虫剤、及びこれらの組合せのうちの少なくとも１つ、好ましくは、ナンキンムシ又はシロアリを殺すように構成された殺虫剤を有する請求項２２に記載の方法。
【請求項２７】
前記農薬組成物が前記第１の水性組成物を前記容積空間内に分散させる前に前記容積空間内に分散される請求項２６に記載の方法。
【請求項２８】
前記過酸が前記表面上の前記反応層中にその場で形成された後、前記農薬組成物が前記容積空間内に分散される請求項２６に記載の方法。
【請求項２９】
前記環境調整組成物が水から本質的になる請求項２２に記載の方法。
【請求項３０】
前記環境調整組成物は、前記第１の水性組成物を前記容積空間内に分散する前に前記容積空間に分散され、前記環境調整組成物が前記容積空間の全体にわたって分布するのに十分な前記時間は、少なくとも約５０パーセント、最大で約９９パーセントの相対湿度を前記容積空間に持たせるのに十分な時間である請求項２９に記載の方法。
【請求項３１】
前記第１の水性組成物層が前記表面上に形成された後、前記第２の水性組成物を前記容積空間内に分散させる前に、前記環境調整組成物が前記容積空間内に分散される請求項２９に記載の方法。
【請求項３２】
前記過酸が前記表面上の前記反応層中にその場で形成された後、前記環境調整組成物が前記容積空間内に分散される請求項２９に記載の方法。
【請求項３３】
前記環境調整組成物がさらに芳香性化合物から本質的になり、前記過酸が前記表面上の前記反応層内にその場で形成された後、前記環境調整組成物が前記容積空間内に分散される請求項２２に記載の方法。
【請求項３４】
前記芳香性化合物は、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる請求項３３に記載の方法。
【請求項３５】
前記補足的な水性組成物のうちの１つ以上が多数の微小液滴として前記容積空間に分散される請求項２０〜３４のいずれか一項に記載の方法。
【請求項３６】
前記補足的な水性組成物の前記多数の微小液滴が静電的に帯電される請求項３５に記載の方法。
【請求項３７】
前記補足的な水性組成物の前記静電的に帯電された微小液滴が負に帯電される請求項３６に記載の方法。
【請求項３８】
前記第１の水性組成物、前記第２の水性組成物、又は、前記１つ以上の補助的な水性組成物のうちの少なくとも１つの前記多数の微小液滴は、まず前記水性組成物を加熱して蒸気を生成するとともに、前記蒸気が前記容積空間の全体にわたって分布して冷えて微小液滴へと凝縮するのに十分な時間を割り当てることによって形成される請求項３５に記載の方法。
【請求項３９】
前記第１の水性組成物及び前記第２の水性組成物が界面活性剤、ポリマー類、キレート剤、及び金属コロイド又は金属ナノ粒子から実質的にフリーである請求項２０〜３８のいずれか一項に記載の方法。
【請求項４０】
分散される前記過酸化物化合物の化学量論量は、分散される前記有機酸化合物の化学量論量以上である請求項２０〜３９のいずれか一項に記載の方法。
【請求項４１】
前記有機酸化合物を有する前記水性組成物のｐＨが約７以下である請求項２０〜４０のいずれか一項に記載の方法。
【請求項４２】
ａ）前記第１の過酸反応化合物が過酸化物化合物、好ましくは過酸化水素であり、
ｂ）前記第２の過酸反応化合物が有機酸化合物、好ましくは、ギ酸、酢酸、クエン酸、コハク酸、シュウ酸、プロパン酸、乳酸、ブタン酸、ペンタン酸、及びオクタン酸からなる群から選ばれる有機カルボン酸、より好ましくは酢酸である、
請求項２０〜４１のいずれか一項に記載の方法。
【請求項４３】
前記第１の水性組成物が少なくとも約１重量％、最大で約２５重量％の過酸化水素を有する請求項２０〜４２のいずれか一項に記載の方法。
【請求項４４】
前記第２の水性組成物が少なくとも約１重量％の酢酸、最大で約２５重量％の酢酸を有する請求項２０〜４３のいずれか一項に記載の方法。
【請求項４５】
前記第１の水性組成物及び前記第２の水性組成物の少なくとも一方がアルコール、好ましくは少なくとも約１重量％、最大で約３０重量％のアルコールをさらに有する請求項２０〜４４のいずれか一項に記載の方法。
【請求項４６】
前記アルコールは、エタノール、イソプロパノール、ｔ−ブタノール、及びこれらの混合物からなる群から選ばれる低鎖アルコール、好ましくはイソプロパノールを有する請求項４５に記載の方法。
【請求項４７】
前記第１の水性組成物又は前記第２の水性組成物の少なくとも一方がマヌカハニー、及びオレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、及びこれらの組合せからなる群から選ばれる約０．００１〜約１重量％の天然殺生物剤を有する請求項２０〜４６のいずれか一項に記載の方法。
【請求項４８】
前記第１の水性組成物又は前記第２の水性組成物の少なくとも一方がメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる約０．００１〜約１重量％の天然殺生物性化合物を有する請求項２０〜４６のいずれか一項に記載の方法。
【請求項４９】
前記方法は、前記第１の水性組成物、前記第２の水性組成物、及び前記反応層のうちの少なくとも１つを紫外光から本質的になる波長で照らす工程をさらに有する請求項２０〜４８のいずれか一項に記載の方法。
【請求項５０】
容積空間内の消毒を必要とする表面を消毒する方法であって、
ａ）過酸を有する第１の水性組成物の多数の微小液滴を前記容積空間内に分散させる工程；及び
ｂ）前記第１の水性組成物が前記容積空間の全体にわたって分布して前記表面上に堆積するのに十分な時間を割り当て、それにより、前記表面を消毒する工程；
を有し、
前記方法は、過酸除去組成物、農薬組成物、及び、環境調整組成物からなる群から選ばれる１つ以上の補足的な水性組成物の多数の微小液滴を前記容積空間内に分散させ、それぞれの分散された補足的な水性組成物が前記容積空間の全体にわたって分布して前記表面上に堆積するのに十分な時間を割り当てる工程をさらに有する、上記方法。
【請求項５１】
前記過酸がペルオキシ酢酸である請求項５０に記載の方法。
【請求項５２】
前記第１の水性組成物が前記表面上に堆積された後に金属ハロゲン化物化合物を有する過酸除去組成物は分散され、前記金属ハロゲン化物化合物は、ヨウ化物又は塩化物、好ましくは、ヨウ化カリウム、塩化カリウム、及び塩化ナトリウムからなる群から選ばれる金属ハロゲン化物化合物、より好ましくはヨウ化カリウムを有する請求項５０又は５１に記載の方法。
【請求項５３】
前記過酸除去組成物は、少なくとも約０．０００１モル／リットル、最大で約１モル／リットルのヨウ化カリウムを含む、約６モル／リットル未満のヨウ化カリウムを有する請求項５２に記載の方法。
【請求項５４】
前記容積空間内に分散される前記過酸の化学量論量以上の化学量論量の前記金属ハロゲン化物化合物が前記容積空間内に分散され、それにより、前記過酸のほぼ全てが前記容積空間から除去される請求項５２に記載の方法。
【請求項５５】
前記農薬組成物は、殺菌剤、殺鼠剤、除草剤、幼虫駆除剤、又は殺虫剤、もしくはこれらの組合せのうちの少なくとも１つを有する、好ましくはナンキンムシ又はシロアリを殺すように構成される殺虫剤を有する請求項５０又は５１に記載の方法。
【請求項５６】
前記農薬組成物が前記第１の水性組成物を前記容積空間内に分散させる前に前記容積空間内に分散される請求項５５に記載の方法。
【請求項５７】
前記農薬組成物は、前記第１の水性組成物が前記表面上に堆積された後に、前記容積空間内に分散される請求項５５に記載の方法。
【請求項５８】
前記環境調整組成物が水から本質的になる請求項５０又は５１に記載の方法。
【請求項５９】
前記環境調整組成物は、前記第１の水性組成物を前記容積空間内に分散する前に前記容積空間内に分散され、前記方法は、前記環境調整組成物が前記容積空間の全体にわたって分布して少なくとも約５０パーセント、最大で約９５パーセントの相対湿度を前記容積空間に持たせるのに十分な時間を割り当てる工程をさらに有する請求項５８に記載の方法。
【請求項６０】
前記環境調整組成物は、前記第１の水性組成物が前記表面上に堆積した後に、前記容積空間内に分散される請求項５８に記載の方法。
【請求項６１】
前記環境調整組成物がさらに芳香性化合物から本質的になり、前記第１の水性組成物が前記表面上に堆積された後、前記環境調整組成物が前記容積空間内に分散される請求項５０又は５１に記載の方法。
【請求項６２】
前記芳香性化合物は、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる請求項６１に記載の方法。
【請求項６３】
前記第１の水性組成物の前記多数の微小液滴が静電的に帯電される請求項５０〜６２のいずれか一項に記載の方法。
【請求項６４】
前記第１の水性組成物の前記静電的に帯電された微小液滴が負に帯電される請求項６３に記載の方法。
【請求項６５】
前記第１の水性組成物又は前記１つ以上の補助的な水性組成物のうちの少なくとも１つの前記多数の微小液滴は、前記水性組成物をまず加熱して蒸気を生成するとともに、前記蒸気が前記容積空間の全体にわたって分布して冷えて微小液滴へと凝縮するのに十分な時間を割り当てることによって形成される請求項５０〜６２のいずれか一項に記載の方法。
【請求項６６】
前記方法は、前記第１の水性組成物及び前記表面のうちの少なくとも一方を紫外光から本質的になる波長で照らす工程をさらに有する請求項５０〜６５のいずれか一項に記載の方法。
【請求項６７】
容積空間内の消毒を必要とする表面を消毒する方法であって、
ａ）過酸化物化合物又は過酸化物化合物と反応して過酸を形成することができる有機酸化合物のいずれかである第１の過酸反応化合物を有する所定量の第１の水性組成物を前記表面上に分配する工程、
ｂ）前記第１の水性組成物が前記表面上に堆積して前記表面上で第１の水性組成物層へと合体するのに十分な時間を割り当てる工程であって、前記十分な時間が少なくとも約３０秒、最大で少なくとも約１５分である工程、
ｃ）前記第１の過酸反応化合物の他方である第２の過酸反応化合物を有する第２の水性組成物を前記表面上に分配する工程、及び
ｄ）前記第２の水性組成物が前記表面上に堆積して前記合体された第１の水性組成物層と組み合わさって前記表面上に反応層を形成するのに十分な第２の時間を割り当てる工程であって、前記十分な第２の時間が少なくとも約３０秒、最大で少なくとも約１５分であり、それにより、前記反応層中にその場で過酸を形成して前記表面を消毒する工程
を有する、上記方法。
【請求項６８】
前記容積空間に人及び動物のうちの少なくとも一方が入ることができる請求項６７に記載の方法。
【請求項６９】
前記第２の水性組成物を前記表面上に分配する際に前記第１の水性組成物のほぼ全てが前記表面上に保持される請求項６７又は６８に記載の方法。
【請求項７０】
前記第１の水性組成物及び前記第２の水性組成物がそれぞれ前記表面上に液体流として分配される請求項６７〜６９のいずれか一項に記載の方法。
【請求項７１】
前記第１の水性組成物及び前記第２の水性組成物はそれぞれ、多数の微小液滴として表面に分配され、前記容積空間内に分散される前記第１の水性組成物の圧倒的多数の微小液滴は、少なくとも約５ミクロン、最大で約１００ミクロンの有効直径、好ましくは約１０ミクロン〜約２５ミクロンの有効直径、より好ましくは約１５ミクロンの有効直径を有する請求項６７〜６９のいずれか一項に記載の方法。
【請求項７２】
分散される前記第１の水性組成物の量は、少なくとも約１ミクロン、最大で約２０ミクロンの有効均一厚さ、好ましくは約３ミクロン〜約８ミクロンの有効均一厚さを有する前記第１の水性組成物の前記合体層をもたらすのに十分である請求項７１に記載の方法。
【請求項７３】
分散される前記第２の水性組成物の量は、少なくとも約１ミクロン、最大で約２０ミクロンの有効均一厚さ、好ましくは約３ミクロン〜約８ミクロンの有効均一厚さを有する前記反応層をもたらすのに十分である請求項７１又は７２に記載の方法。
【請求項７４】
前記第１の水性組成物及び前記第２の水性組成物が界面活性剤、ポリマー類、キレート剤、及び金属コロイド又は金属ナノ粒子から実質的にフリーである請求項６７〜７３のいずれか一項に記載の方法。
【請求項７５】
分散される前記過酸化物化合物の化学量論量は、分散される前記有機酸化合物の化学量論量以上である請求項６７〜７４のいずれか一項に記載の方法。
【請求項７６】
前記有機酸化合物を有する前記水性組成物のｐＨが約７以下である請求項６７〜７５のいずれか一項に記載の方法。
【請求項７７】
ａ）前記第１の過酸反応化合物が過酸化物化合物、好ましくは過酸化水素であり、
ｂ）前記第２の過酸反応化合物が有機酸化合物、好ましくはギ酸、酢酸、クエン酸、コハク酸、シュウ酸、プロパン酸、乳酸、ブタン酸、ペンタン酸、及びオクタン酸からなる群から選ばれる有機カルボン酸、より好ましくは酢酸である、
請求項６７〜７６のいずれか一項に記載の方法。
【請求項７８】
前記第１の水性組成物が少なくとも約１重量％、最大で約２０重量％の過酸化水素を有する請求項６７〜７７のいずれか一項に記載の方法。
【請求項７９】
前記第２の水性組成物が少なくとも約２重量％、最大で約２５重量％の酢酸を有する請求項６７〜７８のいずれか一項に記載の方法。
【請求項８０】
前記第１の水性組成物及び前記第２の水性組成物の少なくとも一方がアルコール、好ましくは少なくとも約１重量％、最大で約４０重量％のアルコールをさらに有する請求項６７〜７９のいずれか一項に記載の方法。
【請求項８１】
前記アルコールは、エタノール、イソプロパノール、ｔ−ブタノール、及びこれらの混合物からなる群から選ばれる低鎖アルコール、好ましくはイソプロパノールを有する請求項８０に記載の方法。
【請求項８２】
前記第１の水性組成物又は前記第２の水性組成物の少なくとも一方がマヌカハニー、及びオレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、並びにこれらの組合せからなる群から選ばれる約０．００１〜約１重量％の天然殺生物剤を有する請求項６７〜８１のいずれか一項に記載の方法。
【請求項８３】
前記第１の水性組成物又は前記第２の水性組成物の少なくとも一方がメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びに、これらの組合せからなる群から選ばれる約０．００１〜約１重量％の天然殺生物性化合物を有する請求項６７〜８１のいずれか一項に記載の方法。
【請求項８４】
前記方法は、前記第１の水性組成物、前記第２の水性組成物、及び前記反応層のうちの少なくとも１つを紫外光から本質的になる波長で照らす工程をさらに有する請求項６７〜８３のいずれか一項に記載の方法。
【請求項８５】
第１の水性組成物及び第２の水性組成物を順次に分配するための順次塗布・送出システムであって、
ａ）それぞれが水性組成物を格納する又は収容するように構成される複数の水性組成物容器；
ｂ）各ポンプが前記水性組成物容器のうちの１つとそれぞれ流体連通する複数のポンプ；及び
ｃ）各水性組成物送出ノズルが少なくとも１つのポンプと流体連通するとともに、１つ以上の水性組成物を容積空間内に順次に分配するように構成される１つ以上の水性組成物送出ノズル；
を有する、上記システム。
【請求項８６】
ａ）前記水性組成物容器の各々の中の前記水性組成物の量を検出する手段；
ｂ）データ取得バス；
ｃ）制御バス；及び
ｄ）前記水性組成物容器に電気的に結合されるとともに、前記水性組成物容器の各々の中の前記水性組成物の量を検出する前記手段を読み取るように構成されるコントローラ；
を含むデータ取得・制御システムをさらに有する請求項８５に記載の順次塗布・送出システム。
【請求項８７】
前記水性組成物の量を検出するそのような手段がフロート、静電容量、導電率、超音波、レーダーレベル、及び光学センサを含む請求項８６に記載の順次塗布・送出システム。
【請求項８８】
各ポンプが前記制御バスを介して前記コントローラに電気的に結合されるドライブを含み、前記ドライブが前記ポンプと係合して水性組成物を前記水性組成物容器から前記水性組成物送出ノズルへ及び前記水性組成物送出ノズルを介して前記容積空間内へ分配するように構成される請求項８６又は８７に記載の順次塗布・送出システム。
【請求項８９】
前記容積空間に近接又は隣接するとともに前記データ取得バスとデータ通信する１つ以上のセンサをさらに有し、前記少なくとも１つのセンサは、モーション検出器、全地球測位システム（ＧＰＳ）検出器、赤外線センサ、オーディオセンサ、熱センサ、加速度計、カメラ、又は光センサ、好ましくはレーザー光センサ、並びにこれらの組合せからなる群から選ばれる、前記容積空間内の少なくとも１つの環境状態を検出する手段を有する請求項８６〜８８のいずれか一項に記載の順次塗布・送出システム。
【請求項９０】
前記コントローラは、前記容積空間内の動物又は人の存在をセンサが検出する際に水性組成物の分配を停止するようにプログラムされる請求項８９に記載の順次塗布・送出システム。
【請求項９１】
前記センサは、前記容積空間のデカルト寸法を検出して前記検出された寸法を前記データ取得バスを介して前記コントローラに通信するように構成される請求項８９に記載の順次塗布・送出システム。
【請求項９２】
前記コントローラは、前記第１の水性組成物を前記容積空間内に分配した後、前記第２の水性組成物を前記容積空間内に分配する前に、所定の時間にわたって遅延するようにプログラムされる、請求項８６〜９１のいずれか一項に記載の順次塗布・送出システム。
【請求項９３】
前記順次塗布・送出システムの一部は、手持ち式分配ユニット、バックパック、カート、トロリー、好ましくは、光学的に制御され又は誘導されるトロリー、ロボット、又はドローンからなる群から選ばれる結集化搬送体に結合される請求項８５〜９２のいずれか一項に記載の順次塗布・送出システム。
【請求項９４】
１つ以上のノズルに近接又は隣接するイオン化デバイスをさらに備え、前記イオン化デバイスは、前記１つ以上のノズルによって分配される所定量の水性組成物を静電的に帯電させるように構成される請求項８５〜９３のいずれか一項に記載の順次塗布・送出システム。
【請求項９５】
１つ以上のノズルに近接又は隣接して位置されるとともに前記コントローラに電気的に結合されて前記コントローラに応答する気化器をさらに備え、前記コントローラは、前記気化器にエネルギーを与えるとともに前記ノズルから分配された後の前記水性組成物で前記気化器に高温ガス流を放出させるようにプログラムされる請求項８５〜９３のいずれか一項に記載の順次塗布・送出システム。
【請求項９６】
第１の水性組成物及び第２の水性組成物を有する複数の水性組成物を順次分配する順次塗布・送出システムであって、前記第１の水性組成物は、過酸化物化合物及び過酸化物化合物と反応して過酸を形成できる有機酸化合物からなる群から選ばれる過酸反応化合物を有し、前記第２の水性組成物は、前記第１の過酸反応化合物の他方である前記過酸反応化合物を有し、前記順次塗布・送出システムは、
ａ）それぞれが水性組成物を格納する又は収容するように構成される複数の水性組成物容器；
ｂ）各ポンプが前記水性組成物容器のうちの１つとそれぞれ流体連通する複数のポンプ；
ｃ）水性組成物送出ノズルの各々が少なくとも１つのポンプと流体連通するとともに、１つ以上の水性組成物を容積空間内に順次分配するように構成される１つ以上の水性組成物送出ノズル；
を有し、
前記順次塗布・送出システムは、各水性組成物が前記容積空間内に分配されるまで前記第１の水性組成物と前記第２の水性組成物とが互いに接触するのを防止するように構成される、上記システム。
【請求項９７】
前記過酸化物化合物が過酸化水素である請求項９６に記載の順次塗布・送出システム。
【請求項９８】
前記有機酸化合物が酢酸である請求項９６又は９７に記載の順次塗布・送出システム。
【請求項９９】
前記順次塗布・送出システムは、前記第１の水性組成物及び前記第２の水性組成物を前記容積空間内の１つ以上の表面上に分配し、それにより、前記表面上に過酸をその場で形成するように構成される請求項９６〜９８のいずれか一項に記載の順次塗布・送出システム。
【請求項１００】
ａ）前記各水性組成物容器内の前記水性組成物の量を検出する手段；
ｂ）データ取得バス；
ｃ）制御バス；
ｄ）前記水性組成物容器に電気的に結合されるとともに、前記各水性組成物容器内の前記水性組成物の量を検出する前記手段を読み取るように構成されるコントローラ；
を含むデータ取得・制御システムをさらに有する請求項９６〜９９のいずれか一項に記載の順次塗布・送出システム。
【請求項１０１】
前記水性組成物の量を検出するそのような前記手段は、フロート、静電容量、導電率、超音波、レーダーレベル、及び光学センサを含む請求項１００に記載の順次塗布・送出システム。
【請求項１０２】
各ポンプは、前記制御バスを介して前記コントローラに電気的に結合されるドライブを含み、前記ドライブは、前記ポンプと係合して水性組成物を前記水性組成物容器から前記水性組成物送出ノズルへ及び前記水性組成物送出ノズルを介して前記容積空間内へ分配するように構成される請求項１００又は１０１に記載の順次塗布・送出システム。
【請求項１０３】
前記容積空間に近接又は隣接するとともに前記データ取得バスとデータ通信する１つ以上のセンサをさらに有し、前記少なくとも１つのセンサは、モーション検出器、全地球測位システム（ＧＰＳ）検出器、赤外線センサ、オーディオセンサ、熱センサ、加速度計、カメラ、又は光センサ、好ましくはレーザー光センサ、並びにこれらの組合せからなる群から選ばれる、前記容積空間内の少なくとも１つの環境状態を検出する手段を有する請求項１００〜１０２のいずれか一項に記載の順次塗布・送出システム。
【請求項１０４】
前記コントローラは、前記容積空間内の動物又は人の存在をセンサが検出する際に水性組成物の分配を停止するようにプログラムされる請求項１０３に記載の順次塗布・送出システム。
【請求項１０５】
前記センサは、前記容積空間のデカルト寸法を検出して前記検出された寸法を前記データ取得バスを介して前記コントローラに通信するように構成される請求項１０３に記載の順次塗布・送出システム。
【請求項１０６】
前記コントローラは、前記第２の水性組成物を前記容積空間内に分配する前に前記第１の水性組成物が前記容積空間の全体にわたって分布するとともに前記容積空間内の１つ以上の表面上に堆積して層へと合体するのに十分な時間にわたって遅延するようにプログラムされる請求項１００〜１０５のいずれか一項に記載の順次塗布・送出システム。
【請求項１０７】
前記順次塗布・送出システムの一部は、手持ち式分配ユニット、バックパック、カート、トロリー、好ましくは光学的に制御され又は誘導されるトロリー、ロボット、又はドローンからなる群から選ばれる結集化搬送体に結合される請求項９６〜１０６のいずれか一項に記載の順次塗布・送出システム。
【請求項１０８】
１つ以上のノズルに近接又は隣接するイオン化デバイスをさらに有し、前記イオン化デバイスが前記順次塗布・送出システムにより分配される所定量の前記第１の水性組成物及び／又は前記第２の水性組成物を静電的に帯電させるように構成される請求項９６〜１０７のいずれか一項に記載の順次塗布・送出システム。
【請求項１０９】
前記コントローラが前記第１の水性組成物を負に帯電された液滴として分配するようにプログラムされる請求項１０８に記載の順次塗布・送出システム。
【請求項１１０】
前記コントローラが前記第１の水性組成物を正に帯電された液滴として分配するようにプログラムされる請求項１０８に記載の順次塗布・送出システム。
【請求項１１１】
前記コントローラが前記第２の水性組成物を前記第１の水性組成物とは反対の極性を有する静電的に帯電された液滴として分配するようにプログラムされる請求項１０９又は１１０に記載の順次塗布・送出システム。
【請求項１１２】
１つ以上のノズルに近接又は隣接して位置されるとともに前記コントローラに電気的に結合されて前記コントローラに応答する気化器をさらに有し、前記コントローラが前記気化器にエネルギーを与えるとともに前記ノズルから分配された後の前記水性組成物で前記気化器に高温ガス流を放出させるようにプログラムされる請求項９６〜１０７のいずれか一項に記載の順次塗布・送出システム。
【請求項１１３】
前記複数のポンプのうちの１つ以上と順次に時限的に関与するように構成されるモノのインターネット（ＩｏＴ）をさらに有する請求項８５〜１１２のいずれか一項に記載の順次塗布・送出システム。
【請求項１１４】
前記ＩｏＴは、前記インターネットと直接無線電子通信するとともに前記複数のポンプのうちの１つ以上にエネルギーを順次に与えるように構成される１つ以上の遠隔制御アウトレットを備える請求項１１３に記載の順次塗布・送出システム。
【請求項１１５】
前記ＩｏＴは、
ａ）前記インターネットと電子通信するモバイル機器及びコンピュータのうちの少なくとも一方をさらに有し、各々が
ｉ）オペレーティングシステム；
ｉｉ）前記オペレーティングシステムで実行するように構成されるホームオートメーションアプリケーション；及び
ｉｉｉ）前記ホームオートメーションアプリケーション内で形成されるとともに、前記１つ以上の遠隔制御アウトレットを作動させて前記複数のポンプのうちの１つ以上と順次の時限的態様で関与するように構成されるルーチン；
を含む請求項１１４に記載の順次塗布・送出システム。
【請求項１１６】
前記ＩｏＴは、前記インターネットと直接無線電子通信するとともに、モーション検出器、全地球測位システム検出器、赤外線センサ、オーディオセンサ、熱センサ、加速度計、光センサ、好ましくはレーザー光センサ、及びカメラ、並びにこれらの組合せからなる群から選ばれる、前記容積空間内の環境状態を検出するように構成される１つ以上のセンサをさらに有する請求項１１５に記載の順次塗布・送出システム。
【請求項１１７】
前記ＩｏＴは、前記インターネットと直接無線電子通信する少なくとも２つの遠隔制御アウトレットをさらに有し、各遠隔制御アウトレットが前記複数のポンプのうちの少なくとも１つに順次にエネルギーを与えるように構成される請求項１１３〜１１６のいずれか一項に記載の順次塗布・送出システム。
【請求項１１８】
前記順次塗布・送出システムが単一の水性組成物送出ノズルを有する請求項１１３〜１１６のいずれか一項に記載の順次塗布・送出システム。
【請求項１１９】
前記ＩｏＴは、前記イントラネットと無線電子通信するとともに前記複数のポンプのうちの１つ以上にエネルギーを順次に与えるように構成される１つ以上の遠隔制御アウトレットを有する請求項１１３に記載の順次塗布・送出システム。
【請求項１２０】
前記ＩｏＴは、
ａ）前記イントラネットと電子通信するハブをさらに有し、前記ハブは、
ｉ）オペレーティングシステム；
ｉｉ）前記オペレーティングシステムで実行するように構成されるホームオートメーションアプリケーション；
ｉｉｉ）前記ホームオートメーションアプリケーション内で形成されるとともに、前記１つ以上の遠隔制御アウトレットを作動させて前記複数のポンプのうちの１つ以上と順次の時限的態様で関与するように構成されるルーチン；
を含む請求項１１９に記載の順次塗布・送出システム。
【請求項１２１】
前記ＩｏＴは、
ａ）前記イントラネットと電子通信するモバイル機器をさらに有し、前記モバイル機器は、
ｉ）オペレーティングシステム；
ｉｉ）前記オペレーティングシステムで実行するように構成されるホームオートメーションアプリケーション；
ｉｉｉ）前記ホームオートメーションアプリケーション内で形成されるとともに、前記１つ以上の遠隔制御アウトレットを作動させて前記複数のポンプのうちの１つ以上と順次の時限的態様で関与するように構成されるルーチン；
を含む請求項１１９又は１２０に記載の順次塗布・送出システム。
【請求項１２２】
前記ＩｏＴは、前記イントラネットと直接無線電子通信するとともに、モーション検出器、全地球測位システム検出器、赤外線センサ、オーディオセンサ、熱センサ、加速度計、光センサ、好ましくはレーザー光センサ、及びカメラ、並びにこれらの組合せからなる群から選ばれる、前記容積空間内の環境状態を検出するように構成される１つ以上のセンサをさらに有する請求項１１９〜１２１のいずれか一項に記載の順次塗布・送出システム。
【請求項１２３】
前記ＩｏＴは、前記イントラネットと直接無線電子通信する少なくとも２つの遠隔制御アウトレットをさらに有し、各遠隔制御アウトレットが前記複数のポンプのうちの少なくとも１つに順次にエネルギーを与えるように構成される請求項１１９〜１２２のいずれか一項に記載の順次塗布・送出システム。
【請求項１２４】
前記順次塗布・送出システムが単一の水性組成物送出ノズルを有する請求項１１９〜１２２のいずれか一項に記載の順次塗布・送出システム。
【請求項１２５】
前記複数のポンプのうちの１つ以上と順次の時限的態様で関与するように構成されるシングルボードコンピュータアセンブリ（ＳＢＣ）をさらに有する請求項８５〜１１２のいずれか一項に記載の順次塗布・送出システム。
【請求項１２６】
前記ＳＢＣが１つ以上のリレーを有するハードウェアアタッチドオントップ（ＨＡＴ）回路基板を有し、各リレーが前記複数のポンプのうちの１つ以上とそれぞれ関連付けられるとともに、前記複数のポンプのうちの対応する１つ以上に電力を順次の時限的態様で送るように構成される請求項１２５に記載の順次塗布・送出システム。
【請求項１２７】
前記ＳＢＣがディスプレイをさらに有し、前記ディスプレイが前記複数のポンプのうちの１つ以上に順次の時限的態様でエネルギーを与えるためのユーザインタフェースを有する請求項１２６に記載の順次塗布・送出システム。
【請求項１２８】
前記複数のポンプのうちの１つ以上に順次の時限的態様でエネルギーを与えるように構成されるモバイル機器をさらに有する請求項１２５〜１２７のいずれか一項に記載の順次塗布・送出システム。
【請求項１２９】
前記ＳＢＣが少なくとも２つのリレーを有するＨＡＴ回路基板を有し、各リレーが前記複数のポンプのうちの１つ以上とそれぞれ関連付けられるとともに、前記複数のポンプのうちの１つ以上に電力を順次の時限的態様で送るように構成される請求項１２５〜１２８のいずれか一項に記載の順次塗布・送出システム。
【請求項１３０】
容積空間内の消毒を必要とする表面を消毒するのに用いるキットであって、
ａ）過酸化物化合物又は該過酸化物化合物と反応して過酸を形成することができる有機酸化合物のいずれかである第１の過酸反応化合物を有する第１の水性組成物；
ｂ）前記第１の過酸反応化合物の他方である第２の過酸反応化合物を有する第２の水性組成物；
ｃ）請求項１〜８４のいずれか一項に記載の方法を含む命令；
を有し、
前記キットは、前記第１の水性組成物及び前記第２の水性組成物を有する反応層を形成するために前記第１の水性組成物及び前記第２の水性組成物が前記表面上に順次に塗布されるまで前記第１の水性組成物及び前記第２の水性組成物が別々にパッケージングされて組合わされず、それにより、前記反応層内にその場で過酸を形成して前記表面を消毒するようになる、上記キット。
【請求項１３１】
前記キットが請求項８５〜１２９に記載の順次塗布・送出システムのいずれかをさらに有する請求項１３０に記載のキット。
【請求項１３２】
前記第１の水性組成物及び前記第２の水性組成物が界面活性剤、ポリマー類、キレート剤、及び金属コロイド又は金属ナノ粒子から実質的にフリーである請求項１３０又は１３１に記載のキット。
【請求項１３３】
前記有機酸化合物を有する前記水性組成物のｐＨが約７以下である請求項１３０〜１３２のいずれか一項に記載のキット。
【請求項１３４】
ａ）前記第１の過酸反応化合物が過酸化物化合物、好ましくは過酸化水素であり、
ｂ）前記第２の過酸反応化合物が有機酸化合物、好ましくはギ酸、酢酸、クエン酸、コハク酸、シュウ酸、プロパン酸、乳酸、ブタン酸、ペンタン酸、及びオクタン酸からなる群から選ばれる有機カルボン酸、より好ましくは酢酸である、
請求項１３０〜１３３のいずれか一項に記載のキット。
【請求項１３５】
前記第１の水性組成物が少なくとも約１重量％、最大で約１５重量％の過酸化水素を有する請求項１３０〜１３４のいずれか一項に記載のキット。
【請求項１３６】
前記第２の水性組成物が少なくとも約１重量％、最大で約１５重量％の酢酸を有する請求項１３０〜１３５のいずれか一項に記載のキット。
【請求項１３７】
前記第１の水性組成物及び前記第２の水性組成物の少なくとも一方がアルコール、好ましくは少なくとも約１重量％、最大で約４０重量％のアルコールをさらに有する請求項１３０から１３６のいずれか一項に記載のキット。
【請求項１３８】
前記アルコールは、エタノール、イソプロパノール、ｔ−ブタノール、及びこれらの混合物からなる群から選ばれる低鎖アルコール、好ましくはイソプロパノールを有する請求項１３７に記載のキット。
【請求項１３９】
前記第１の水性組成物又は前記第２の水性組成物の少なくとも一方がマヌカハニー、及びオレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、並びにこれらの組合せからなる群から選ばれる約０．００１〜約１重量％の天然殺生物剤を有する請求項１３０〜１３８のいずれか一項に記載のキット。
【請求項１４０】
前記第１の水性組成物又は前記第２の水性組成物の少なくとも一方がメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる約０．００１〜約１重量％の天然殺生物性化合物を有する請求項１３０〜１３８のいずれか一項に記載のキット。
【発明の詳細な説明】
【技術分野】
【０００１】
本発明は、水性組成物、特に表面の消毒及び滅菌に関与する水性組成物の送出に使用されるシステムの分野にある。
【背景技術】
【０００２】
我々が相互に作用し合う物体の微生物負荷を最小限に抑えるための安価で効果的でありながら安全で便利な方法、及び、そのような方法を適用するシステムのニーズがある。最近、いくつかの微生物がほぼ全ての既知の抗生物質に耐性を示すようになってきため、その負荷はさらに深刻になってきた。わずかな感染でさえ生命にかかわる抗生物質前時代と同様な抗生物質後時代に間もなく入るかもしれないと予測されている。その結果、ヒトに比較的安全であるが依然として殺生物性がある従来の抗生物質以外の原材料及びシステムを利用して、病気をこれらの病気に晒される場合があるヒト、ペット、及び他の有益な生命に移し得る細菌で汚染される表面を消毒及び殺菌する動きが存在する。
【０００３】
抗生物質時代以前の何世紀にもわたって、ヒトは、酢、エタノール、スパイス、エッセンシャルオイル、及び蜂蜜を挙げることができるがこれらに限定されない天然の殺生物剤を安全に利用してきた。最近では、過酸化水素が微生物に対抗することが分かってきており、過酸化水素は、長い間、動物に寄生する微生物に対する動物の永遠の戦いで進化した内的な方法である。電気及び紫外線エネルギーも殺生物特性を有することが分かっている。しかしながら、各殺生物剤は全てのタイプの微生物に対して個々に効果的ではなく、また、いくつかの標的微生物は、殺生物剤のうちの１つ以上に対する防御メカニズムを作り上げている。
【０００４】
これらの殺生物剤の２つ以上の組み合わせは、各殺生物剤の効果を高めるように相乗的に作用することが分かっている。特に、過酸化水素と酢酸（酢の主成分）とを組合せてペルオキシ酢酸を形成することが特に効果的であることが分かっている。ペルオキシ酢酸を含む過酸を利用するいくつかの方法、装置、及び、消毒システムは、米国特許第６，６９２，６９４号、７，３５１，６８４号、７，４７３，６７５号、７，５３４，７５６号、８，１１０，５３８号、８，６９６，９８６号、８，７１６，３３９号、８，９８７，３３１号、９，０４４，４０３号、９，０５０，３８４号、９，１９２，９０９号、９，２４１，４８３号、並びに、米国特許公開第２０１５／０２９７７７０号及び２０１４／０１７８２４９号に記載されており、これらの開示内容は、参照によりそれらの全体が本願に組み入れられる。
【０００５】
しかしながら、過酸を使用することに伴う最大の欠点の１つは、過酸が容易に加水分解されて通常の酸と酸素又は水とを生成することである。その結果、ペルオキシ酢酸は、貯蔵安定性が制限され、保管寿命が短い。ペルオキシ酢酸の不安定性は、米国特許第８，０３４，７５９号に詳細に記載されており、この特許の開示内容は参照によりその全体が本願に組み入れられる。多くの場合、市販の製品は、平衡を過酸形態へと至らせるようなかなり過剰の過酸化水素、又は他の酸、酸化剤、界面活性剤などの安定剤を含めることにより、この問題に対処するさらなる成分を有する。ある方法は、過酸組成物の個々の成分が一緒に混合された後に標的が消毒又は滅菌される場所及び時間に適用されることを要求することによって、輸送中及び保管中の劣化を防止している。それにもかかわらず、これらの方法は、多価アルコール、エステル、及び遷移金属などの入手が困難な高価な添加剤、並びに特定の反応条件を必要とする。
【０００６】
過酸組成物を安定化させるために講じられる手段の非限定的な例として、米国特許第８，７１６，３３９号は、アルコール、有機カルボン酸、及び遷移金属又は金属合金を有する第１の溶液を収容する第１のチャンバ、及び過酸化水素を有する第２の溶液を収容する第２のチャンバを有する消毒システムについて記載する。消毒前、システムは、表面上に混合物を分配する前に第１及び第２の溶液を混合するように構成される。第１及び第２の溶液を混合すると、分配前に消毒システム内で過酸が形成されるが、溶液が混合されてから混合物が汚染された表面に到達するまでの期間に過酸を安定させるのに役立つためには、遷移金属の存在が必要とされる。
【０００７】
米国特許第８，７１６，３３９号に記載されるシステム、並びに過酸の化学的性質を使用する他の無数のシステムは、消毒されるべき表面上に過酸を分配する前に過酸を形成する。過酸の安定性に伴う問題は解決されていないため、多くの場合、過酸組成物を分配される前に安定させるべく１つ以上の化学成分が加えられる。これらの化学成分は、多くの場合、高価で、比較的希少であるとともに、処理された表面や該表面を含む環境に残留物、膜、汚れ、及び刺激臭が残るなど、消毒されるべき環境内で望ましくない影響を与える可能性がある。これらの望ましくない影響を後に改善できる場合であっても、その環境を滅菌しようとして空中浮遊粒子又は過酸を環境中へ分散させることに関連する既知の安全上の懸念がある。安全性データ及び推奨される曝露レベルは、Acute Exposure Guideline Levels for Selected Airborne Chemicals,National Research Council(US)Committee on Acute Exposure Guideline Levels, 327-367頁、第８巻、２０１０年に詳細に記載されており、その開示内容は、参照によりその全体が本願に組み入れられる。
【０００８】
清掃要員が他の場所で進行状況を安全に監視できるようにしつつ、潜在的に有毒な又は危険性のある材料を部屋、作業スペース、又は、搭乗室などの容積空間内へ分配するためにいくつかの自動水性送出システムが開発されてきた。しかしながら、これらのシステムは、一般に、汎用性又は適応性が殆どないハードウェアベースの機械であり、或いは、同等にコストが高い高度に専用化された機械である。したがって、これらの機械は、高価で非効率的であるとともに、一般にヒト及び／又は動物によってアクセスするか又は居住することができるスペース内に化学物質を適用したい人にとって適合させて利用することが極めて困難である。
【０００９】
結果として、同時に効果的で便利で安全な過酸を利用することに加えて安価で容易に入手可能な材料を使用する滅菌方法及び消毒方法を開発する必要性が依然としてある。
【発明の概要】
【００１０】
本発明は、過酸化学物質を使用して表面を消毒する一方で、別個の塗布工程で過酸反応化合物を分散して表面上に直接に過酸をその場で形成することにより、過酸を表面と接触する前の任意の時点で形成することに関連する不安定性問題及びヒト安全性問題を排除する方法を提供する。
【００１１】
ある態様において、微生物が次世代耐性とする突然変異を生み出すことができないように、互いに協調して作用する実質的に異なるメカニズムを注意深く選択することにより、広く完全な微生物殺生が達成される。さらなる態様において、本明細書中に記載される方法は、腐食及び／又は微生物汚染から特定の表面を保護することができる予防コーティングを提供することができる。
【００１２】
ある態様において、容積領域又は空間内の消毒を必要とする表面を消毒する方法であって、ａ）過酸化物化合物又は該過酸化物化合物と反応して過酸を形成することができる有機酸化合物のいずれかである第１の過酸反応化合物を有する第１の水性組成物を表面上に分配する工程；ｂ）第１の水性組成物が表面の全体にわたって分布して表面上で第１の水性組成物層へと合体するのに十分な時間を割り当てる工程；ｃ）第１の過酸反応化合物の他方である第２の過酸反応化合物を有する第２の水性組成物を表面上に分配する工程；及びｄ）第２の水性組成物が合体された第１の水性組成物層と組み合わさって表面上に反応層を形成するのに十分な第２の時間を割り当て、それにより、反応層内に過酸をその場で形成して表面を消毒する工程を有する方法が提供される。
【００１３】
ある態様において、容積空間は、ヒト及び／又は動物がアクセスして一般的な日常活動を行うことができる空間である。そのような容積空間の例として、ファミリールーム、ベッドルーム、キッチン、トイレ、地下室、ガレージ、及び民家で一般的に見出される他の部屋などの生活空間、教室、オフィス、小売スペース、ホテルの部屋、病院の患者の部屋、手術室、食事設備、食品調製設備、包装設備、加工設備を含む食品作業空間、輸送用コンテナ、動物舎、工場及び他の工業地域、並びに個人の車両、タクシー、バス、地下鉄及び他の鉄道車両、フェリー、及び飛行機を含む輸送で利用される搭乗区画室が挙げられるが、これらに限定されない。
【００１４】
他の態様において、容積空間にヒト及び／又は動物がアクセスできない。そのようなアクセス不可能な容積空間内の表面を消毒するための方法は、定置洗浄（ＣＩＰ）手順及び分解洗浄（ＣＯＰ）手順の両方を有する。ＣＩＰ法を使用して消毒され得るアクセス不可能な容積空間内の表面として、暖房、換気、及び、空調（ＨＶＡＣ）システム、配管システム、及びヒト又は動物が入ることのできないか又は一般に入らない他の区画室及び空間が挙げられるが、これらに限定されない。他の態様において、ＣＯＰ方法を利用して、部品が一般に収容される機器から分解された部品の表面を消毒することができる。そのような方法において、部品は、先に挙げられた容積空間のいずれかに位置される表面の上、又は密閉された時点で容積空間を構成する密閉可能なタンク、区画室、又はハウジングの内側に配置することができる。
【００１５】
ある態様において、本発明の方法は、建物の壁、床、天井、家具、器具、及び容積空間内で見出される電子機器を有する、先に挙げられた容積空間内で一般に見られる多孔質表面及び非多孔質表面の両方を消毒するために利用することができる。さらなる態様において、消毒を必要とする表面は、プラスチック、金属、リノリウム、タイル、ビニール、石、構造用材、及び／又は仕上げ木材、コンクリート、壁板、石膏、カーペット、絶縁材、パルプ及び繊維ベースの材料、ガラス、暖房、換気、及び空調（ＨＶＡＣ）システム、配管、ビニール、及びこれらの組合せからなる群から選ばれる。
【００１６】
ある態様において、消毒されるべき表面として、詰まるか又は損傷した配管から生じる水害、又はハリケーン、津波、又は洪水などの自然災害を挙げることができるがこれらに限定されない水害を受けた表面を挙げることができる。さらなる態様において、水害を受けた表面を消毒することにより、該表面を最終的にリサイクル及び／又は再利用することができる。他のさらなる態様において、水害を受けた表面を消毒することにより、該表面を安全に収集して被害領域から除去することができる。
【００１７】
ある態様において、第１の水性組成物及び第２の水性組成物は、食品グレードの成分から構成される。さらなる態様において、１つ以上の水性組成物は、界面活性剤、ポリマー類、キレート剤、及び金属コロイド又は金属ナノ粒子から実質的にフリーである（substantially free of）。
【００１８】
ある態様において、本発明の水性組成物は、モップ、布、又はスポンジを使用する直接的な塗布、ホース又は機械的に粗いスプレーデバイスから液体流として流すこと、又は冷却されて微小液滴へと凝縮された蒸気として水性組成物が分散されるときに多数の微小液滴が形成される方法を含めて、多数の微小液滴として容積空間内へ分散することを含むがこれらに限定されない当業者に一般に知られている手段を使用して容積空間内及び表面上へ分配することができる。
【００１９】
ある態様において、第２の水性組成物を表面に分配する際に、第１の水性組成物のほぼ全てが表面に保持される。
【００２０】
ある態様において、第１の水性組成物及び第２の水性組成物の一方又は双方がそれぞれ表面上に液体流として分配される。さらなる態様において、方法は、機械的に粗いスプレーデバイスを提供する工程をさらに有し、この場合、第１の水性組成物及び第２の水性組成物はそれぞれ、機械的に粗いスプレーデバイスを使用して表面上に液体流として分配され、特に、液体流は、ミスト、シャワー、又はジェットの形態で分配される。さらに別の態様において、ミスト、シャワー、又はジェットとして分配される水性組成物は、特定の機械的に粗いスプレーデバイスを使用して巨大液滴が意図される表面に到達できる限りにおいて任意のサイズの巨大液滴を含むことができる。さらに他の態様において、巨大液滴は、少なくとも約２５０ミクロン、５００ミクロン、１ミリメートル、２ミリメートル、３ミリメートル、又は、４ミリメートルを含む、少なくとも約１００ミクロン、最大で約４ミリメートル、３ミリメートル、２ミリメートル、１ミリメートル、５００ミクロン、又は、２５０ミクロンを含む、最大で約５ミリメートルの有効直径を有する。さらに一層他の態様において、約９５又は９８パーセント、最大で約９９パーセントの多数の微小液滴を含む、少なくとも約９０パーセントの多数の微小液滴は、少なくとも約２５０ミクロン、５００ミクロン、１ミリメートル、２ミリメートル、３ミリメートル、又は、４ミリメートルを含む、少なくとも約１００ミクロン、最大で約４ミリメートル、３ミリメートル、２ミリメートル、１ミリメートル、５００ミクロン、又は、２５０ミクロンを含む、最大で約５ミリメートルの有効直径を有する。
【００２１】
第１の水性組成物及び第２の水性組成物がそれぞれ液体流として分配される、ある態様において、第１の水性組成物が表面の全体にわたって分布するのに十分な時間は、表面を第１の水性組成物で完全に浸すのに十分な時間である。さらなる態様において、第２の水性組成物が表面の全体にわたって分布するのに十分な第２の時間は、表面を第２の水性組成物で完全に浸すのに十分な時間である。他のさらなる態様において、第２の水性組成物が表面の全体にわたって分布するのに十分な第２の時間は、ほぼ全ての第２の過酸反応化合物がほぼ全ての第１の過酸反応化合物と組合さって反応するのに十分な時間である。
【００２２】
ある態様において、第１の水性組成物及び第２の水性組成物が液体流として分配される本発明の方法を利用して、容積空間内の選択された表面を消毒することができる。
【００２３】
ある態様において、本発明は、第１の水性組成物及び第２の水性組成物を多数の微小液滴として分散させることによって表面を消毒するための方法を提供する。ある態様において、容積空間内の消毒を必要とする表面を消毒するための方法は、ａ）過酸化物化合物又は過酸化物化合物と反応して過酸を形成することができる有機酸化合物のいずれかである第１の過酸反応化合物を有する第１の水性組成物の多数の微小液滴を容積空間内へ分散させる工程；ｂ）第１の水性組成物の多数の微小液滴が容積空間の全体にわたって分布するとともに表面上に堆積して第１の水性組成物層へと合体するのに十分な時間を割り当てる工程；ｃ）第１の過酸反応化合物の他方である第２の過酸反応化合物を有する第２の水性組成物の多数の微小液滴を容積空間内へ分散させる工程；及びｄ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程；を有する。
【００２４】
ある態様において、多数の微小液滴として分散される水性組成物のうちの１つ以上は、反応層の少なくとも９０％が形成されてから３０分以内に気化することができる揮発度を有する。さらなる態様において、反応層の少なくとも９５％は、形成されてから３０分以内に標準状態で気化できる。さらなる他の態様において、反応層の少なくとも９９％は、形成されてから３０分以内に気化できる。さらなる別の態様において、反応層の少なくとも９９．５％は、形成されてから３０分以内に気化できる。さらなる他の態様において、反応層の少なくとも９９．７％は、形成されてから３０分以内に気化させることができる。さらに一層他の態様において、反応層の少なくとも９９．９％は、形成されてから３０分以内に気化できる。
【００２５】
他の態様において、水性組成物のうちの１つ以上の個々の成分は、容積空間内の表面の滅菌が完了した後に反応層の気化を促進させる蒸気圧を有するように選択することができる。さらなる態様において、水性組成物の重量で少なくとも約９９．０、９９．５、又は、９９．９％の成分が２０℃で少なくとも約１．０ｍｍＨｇの蒸気圧を有するように水性組成物の一方又は両方を配合することができる。さらなる態様において、水性組成物の重量でほぼ１００％の成分が２０℃で少なくとも約１．０ｍｍＨｇの蒸気圧を有するように水性組成物の一方又は双方を配合することができる。
【００２６】
ある態様において、多数の微小液滴の有効直径は、微小液滴が容積空間内の消毒されるべき様々な意図される表面に到達できるようにするのに十分小さくなるように且つ微小液滴が吸入されようとしている場合に肺への深い浸透を最小限に抑えるのに十分大きくなるように制御される。他の態様において、容積空間内に分散される圧倒的多数の微小液滴は、少なくとも約５、１０、１５、２０、２５、３０、３５、４０、４５、５０、６０、７０、８０、又は９０ミクロンを含む、少なくとも約１ミクロン、最大で約９０，８０，７０，６０，５０，４０，３５，３０，２５，又は２０ミクロンを含む、最大で約１００ミクロンの有効直径を有する。さらなる態様において、約９５又は９８パーセント、最大で約９９パーセントの多数の微小液滴を含む、少なくとも約９０パーセントの多数の微小液滴は、少なくとも約５、１０、１５、２０、２５、３０、３５、４０、４５、５０、６０、７０、８０、又は、９０ミクロンを含む、少なくとも約１ミクロン、最大で約９０，８０，７０，６０，５０，４０，３５，３０，２５，又は，２０ミクロンを含む、最大で約１００ミクロンの有効直径を有する。
さらに他の態様において、約９５又は９８パーセント、最大で約９９パーセントの多数の微小液滴を含む、少なくとも約９０パーセントの多数の微小液滴は、少なくとも約１０ミクロン、最大で約２５ミクロンの有効直径を有する。さらなる他の態様において、約９５又は９８パーセント、最大で約９９パーセントの多数の微小液滴を含む、少なくとも約９０パーセントの多数の微小液滴は、約１５ミクロンの有効直径を有する。
【００２７】
ある態様において、第１及び第２の水性組成物の合体層は、それぞれ、有効均一厚さを有する。さらなる態様において、合体層は、少なくとも約２、又は３、又は５、又は８、又は１０、又は１５ミクロンを含む、少なくとも約１ミクロン、最大で約４０、又は３０、又は２０ミクロンを含む、最大で約５０ミクロンの有効均一厚さを有する。さらなる他の態様において、合体層は、約３ミクロン〜約８ミクロンの有効均一厚さを有する。
【００２８】
ある態様において、第１及び第２の水性組成物の合体層は、それぞれ、機械的に粗いスプレーデバイスを用いて第１及び第２の水性組成物を塗布する際など、約５０ミクロンを超える有効均一厚さを有する。
【００２９】
ある態様において、第１の水性組成物の多数の微小液滴が静電的に帯電される。
【００３０】
ある態様において、第２の水性組成物の多数の微小液滴が静電的に帯電される。さらなる態様において、第１の水性組成物の多数の微小液滴が静電的に帯電され、また、第２の水性組成物の多数の微小液滴は、第１の水性組成物の多数の微小液滴の反対の極性で静電的に帯電される。
【００３１】
ある態様において、第１の水性組成物及び第２の水性組成物の多数の微小液滴の静電荷は、第１及び第２の過酸反応化合物の最も望ましい反応をもたらすように最適化される。さらなる態様では、過酸化物化合物を含む水性組成物の多数の微小液滴が負電荷で分散される。他の態様では、有機酸化合物を含む水性組成物の多数の微小液滴が正電荷で分散される。
【００３２】
ある態様において、消毒を必要とする表面が電気的に接地される。さらなる態様において、消毒を必要とする表面が接地される。
【００３３】
他の態様において、第１の水性組成物及び第２の水性組成物の多数の微小液滴は、第１の水性組成物及び第２の水性組成物を加熱して周囲空気中にそれぞれの過酸反応化合物を含む蒸気相を生成するとともに、過酸反応化合物を含む蒸気相が容積空間の全体にわたって分布して冷えて液状微小液滴へと凝縮するのに十分な時間を割り当てることによって形成される。
【００３４】
ある態様において、第１の水性組成物及び第２の水性組成物は、別々に、約２５０℃を超える温度まで加熱される。または、第１の水性組成物及び第２の水性組成物は、約２５分未満、約２０分未満、約１５分未満、約１０分未満、又は約５分未満を含む約３０分未満の気化時間で第１の水性組成物及び第２の水性組成物の塊を気化させるのに十分な温度まで別個に加熱される。さらなる態様において、第１の水性組成物及び第２の水性組成物は、第１の水性組成物及び第２の水性組成物の塊を約２分で気化させるのに十分な温度まで別個に加熱される。
【００３５】
ある態様において、蒸気相中の第１の水性組成物及び第２の水性組成物は、別々に、微小液滴へと凝縮して消毒されるべき容積空間内の表面上へと堆積するように約５５℃未満の温度まで冷却される。
【００３６】
ある態様において、蒸気相中の第１の水性組成物は、第１の水性組成物を第１の高温ガス流中に導入することにより形成され、また、蒸気相中の第２の水性組成物は、第２の水性組成物を第２の高温ガス流中に導入することにより形成される。
【００３７】
ある態様において、本発明の方法を使用して、容積空間内の全ての表面を同時に消毒することができる。
【００３８】
ある態様において、分散される過酸化物化合物の化学量論量は、分散される有機酸化合物の化学量論量以上である。
【００３９】
ある態様において、有機酸化合物を含む組成物のｐＨが約７以下である。さらなる態様において、反応層のｐＨが約７以下である。
【００４０】
ある態様において、有機酸化合物は、過酸化物化合物との反応時に過酸を形成できる任意の有機酸を含むことができる。さらなる態様において、有機酸化合物を有する水性組成物は、少なくとも約１、２、５、１０、１５、２０、２５、３０、３５、４０、又は４５重量％を含む、少なくとも約０．５重量％、最大で約１、２、５、１０、１５、２０、２５、３０、３５、４０、又は４５重量％を含む、最大で約５０重量％の有機酸化合物を有する。さらに他の態様において、有機酸化合物を有する水性組成物は、約２重量％〜約２０重量％の有機酸化合物を有する。さらに別の態様において、有機酸化合物を有する水性組成物は、約１０重量％の有機酸化合物を有する。さらに他の態様において、有機酸化合物は、第２の水性組成物内に分散される。
【００４１】
ある態様において、有機酸化合物は、１つ以上のカルボン酸官能基を有する。さらなる態様において、有機カルボン酸は、ギ酸、酢酸、クエン酸、コハク酸、シュウ酸、プロパン酸、乳酸、ブタン酸、ペンタン酸、及びオクタン酸からなる群から選ばれる。さらに他の態様において、有機酸化合物が酢酸である。
【００４２】
ある態様において、過酸化物化合物は、過酸化水素、金属過酸化物、及びオゾンなどの非限定的な過酸化物を有することができる。さらなる態様において、過酸化物化合物を有する水性組成物は、少なくとも約０．５、１、２、４、６、８、１０、１２、１４、１６、１８、又は２０重量％を含む、少なくとも約０．１重量％、最大で約２０、又は１５、又は１２重量％を含む、最大で約２５重量％の過酸化物化合物を有する。さらに他の態様において、過酸化物化合物を有する水性組成物は、少なくとも約５重量％、最大で約１５重量％までの過酸化物化合物を有する。さらに他の態様において、過酸化物化合物を含む水性組成物は、約１０％の過酸化物化合物を有する。さらに別の態様において、過酸化物化合物が過酸化水素である。さらに一層他の態様において、過酸化水素が第１の水性組成物内に分散される。
【００４３】
ある態様において、第１の水性組成物又は第２の水性組成物の少なくとも一方は、１つ以上のアルコール化合物を有するアルコールをさらに有する。さらなる態様において、水性組成物は、少なくとも約０．１、１、５、１０、１５、２０、２５、３０、４０、５０、又は６０重量％を含む、少なくとも約０．０５重量％、最大で約６５、又は６０、又は５５、又は５０、又は４５、又は４０、又は３５、又は３０、又は２５、又は２０重量％を含む、最大で約７０重量％のアルコールを有する。さらに他の態様において、水性組成物は、少なくとも約１重量％、最大で約２５重量％のアルコールを有する。さらに別の態様において、水性組成物は、約１５重量％のアルコールを有する。さらに他の態様において、アルコールは、エタノール、イソプロパノール、及びｔ−ブタノール、並びにこれらの混合物からなる群から選ばれる少なくとも１つの低鎖アルコールを有する。さらに他の態様において、アルコールがイソプロパノールを含む。
【００４４】
ある態様において、第１の水性組成物又は第２の水性組成物の少なくとも一方は、１つ以上の天然殺生物剤をさらに有する。非限定的な例として、そのような化合物として、マヌカハニー及び／又はエッセンシャルオイルが挙げられる。さらなる態様において、エッセンシャルオイルは、オレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイル、及びこれらの組合せから選択される。さらに他の態様において、水性組成物は、約０．００１重量％〜約１重量％の天然殺生物剤を有する。
【００４５】
他の態様において、第１の水性組成物又は第２の水性組成物の少なくとも一方は、マヌカハニー内及びエッセンシャルオイル内において一般に見出される１つ以上の天然殺生物性化合物をさらに有する。さらなる態様において、天然殺生物性化合物は、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群からを含めて選択される。さらに他の態様において、水性組成物は、約０．００１重量％〜約１重量％の天然殺生物性化合物を有する。
【００４６】
ある態様において、方法は、第１の水性組成物、第２の水性組成物、及び反応層のうちの少なくとも１つを紫外光から本質的になる波長で照らす工程をさらに有する。
【００４７】
加えて、本発明は、第１の水性組成物及び第２の水性組成物に加えて容積空間内に１つ以上の補足的な水性組成物を分散させることができる方法を提供する。ある態様において、容積空間内の消毒を必要とする表面を消毒する方法は、ａ）過酸化物化合物又は過酸化物化合物と反応して過酸を形成することができる有機酸化合物のいずれかである第１の過酸反応化合物を有する第１の水性組成物の多数の微小液滴を容積空間内へ分散させる工程；ｂ）第１の水性組成物の多数の微小液滴が容積空間の全体にわたって分布するとともに表面上に堆積して第１の水性組成物層へと合体するのに十分な時間を割り当てる工程；ｃ）第１の過酸反応化合物の他方である第２の過酸反応化合物を有する第２の水性組成物の多数の微小液滴を容積空間内へ分散させる工程；ｄ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程を有し、この場合、方法は、容積空間に１つ以上の補足的な水性組成物を分散させる工程；及びそれぞれの分散された補足的な水性組成物が容積空間の全体にわたって分布して表面上に堆積するのに十分な時間を割り当てる工程；をさらに有する。
【００４８】
ある態様において、第１の水性組成物を容積空間内に分散させる前に、第１の水性組成物層が分散されて表面上に少なくとも部分的に又はほぼ完全に形成された後において第２の水性組成物を容積空間内に分散させる前に、第２の水性組成物層が分散されて表面上に少なくとも部分的に又はほぼ完全に形成された後に、及び／又は、過酸が表面上の反応層内でその場で形成された後に、これらの組み合わせを含めて、補足的な水性組成物が容積空間内に分散される。他の態様では、消毒が進行している間に人は動物が容積空間内に入ることに応じて、補足的な水性組成物を容積空間内に分散させることができる。
【００４９】
ある態様において、補足的な水性組成物のそれぞれは、過酸除去組成物、農薬組成物、及び環境調整組成物からなる群から選ばれる。
【００５０】
ある態様において、過酸除去組成物は、金属ハロゲン化物化合物を有し、過酸除去組成物は、過酸が表面上の反応層内にその場で形成された後に分散され、この場合、金属ハロゲン化物化合物は、ヨウ化物、臭化物、又は、塩化物、特にヨウ化カリウム、塩化カリウム、及び塩化ナトリウムからなる群から選ばれる金属ハロゲン化物化合物、とりわけヨウ化カリウムを有する。さらなる態様において、過酸除去組成物は、約１、又は０．１、又は０．０１、又は０．００１、又は０．０００１、又は約０．００００１モル／リットル未満のヨウ化カリウムを有する、約６モル／リットル未満のヨウ化カリウム、最小で約０．０００００１モル／リットル未満のヨウ化カリウムを有する。さらに他の態様において、反応層中にその場で形成される過酸の化学量論量以上の化学量論量の金属ハロゲン化物化合物が分散され、それにより、形成される過酸のほぼ全てが表面から除去される。
【００５１】
ある態様において、農薬組成物は、殺菌剤、殺鼠剤、除草剤、幼虫駆除剤、又は殺虫剤のうちの少なくとも１つを、これらの組合せを含めて、特に、ナンキンムシ又はシロアリを殺すように構成される殺虫剤を有する。ある態様において、農薬組成物は、第１の水性組成物を容積空間内へ分散させる前に容積空間内に分散される。他の態様において、過酸が表面上の反応層中にその場で形成された後、農薬組成物が容積空間内に分散される。
【００５２】
ある態様において、環境調整組成物は、水を有する。さらなる態様において、環境調整組成物は、水から本質的になる。他のさらなる態様において、環境調整組成物は、過酸反応化合物及び／又は形成された過酸のいずれかに対して反応的に不活性である。
【００５３】
ある態様において、水から本質的になる環境調整組成物は、第１の水性組成物を容積空間内に分散させる前に容積空間内に分散され、それにより、容積空間の湿度を高めて、過酸反応化合物を含む水性組成物の微小液滴のサイズ及び組成を安定させ又は維持するとともに、過酸反応化合物の微小液滴が消毒されるべき表面に達し又は到達して該表面上に堆積する前に微小液滴の揮発性成分が環境内又は容積空間内へと失われる又は気化するのを制限又は防止する。さらなる態様において、環境調整組成物が容積空間の全体にわたって分布するのに十分な時間は、少なくとも約６０、７０、８０、９０、又は９５パーセントを含む、少なくとも約５０パーセント、最大で約９９パーセントの相対湿度を容積空間に持たせるのに十分な時間である。
【００５４】
他の態様において、第１の水性組成物層が表面上に形成された後、第２の水性組成物を容積空間内に分散させる前に、水から本質的になる環境調整組成物が、容積空間内に分散されて、空気からの第１の水性組成物の任意の過剰の又は残存する微小液滴と合体し、該微小液滴の堆積を促進させる。
【００５５】
他の態様において、過酸が表面上の反応層中にその場で形成された後、水から本質的になる環境調整組成物が、容積空間に分散されて、第２の水性組成物の任意の過剰の又は残存する微小液滴と合体し、該微小液滴の堆積を促進させる。
【００５６】
他の態様において、環境調整組成物がさらに芳香性化合物から本質的になり、過酸が表面上の反応層内にその場で形成された後、環境調整組成物が容積空間内に分散される。さらなる態様において、芳香性化合物は、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる。
【００５７】
ある態様において、過酸が表面上の反応層中にその場で形成された後、水と芳香性化合物とから本質的になる環境調整組成物を容積空間に分散させることができる。
【００５８】
ある態様において、補足的な水性組成物のうちの１つ以上が多数の微小液滴として容積空間に分散される。さらなる態様において、補足的な水性組成物の多数の微小液滴が静電的に帯電される。さらに別の態様において、補足的な水性組成物の静電的に帯電された微小液滴が負に帯電される。
【００５９】
ある態様において、補足的な水性組成物の圧倒的多数の微小液滴の有効直径は、少なくとも約１ミクロン、少なくとも約５、１０、１５、２０、２５、３０、３５、４０、４５、５０、６０、７０、８０、又は９０ミクロン、最大で約９０，８０，７０，６０，５０，４０，３５，３０，２５，又は２０ミクロンを含む、最大で約１００ミクロンである。さらなる態様において、約９５又は９８パーセント、最大で約９９パーセントの多数の微小液滴を含む、少なくとも約９０パーセントの多数の微小液滴は、少なくとも約５、１０、１５、２０、２５、３０、３５、４０、４５、５０、６０、７０、８０、又は９０ミクロンを含む、少なくとも約１ミクロン、最大で約９０，８０，７０，６０，５０，４０，３５，３０，２５，又は，２０ミクロンを含む、最大で約１００ミクロンの有効直径を有する。さらに他の態様において、約９５又は９８パーセント、最大で約９９パーセントの多数の微小液滴を含む、少なくとも約９０パーセントの多数の微小液滴は、少なくとも約１０ミクロン、最大で約２５ミクロンの有効直径を有する。さらに他の態様において、約９５又は９８パーセント、最大で約９９パーセントの多数の微小液滴を含む、少なくとも約９０パーセントの多数の微小液滴は、約１５ミクロンの有効直径を有する。
【００６０】
ある態様において、第１の水性組成物、第２の水性組成物、及び任意の補足的な水性組成物が容積空間の全体にわたって分布して、表面上に堆積し、及び／又は表面上に水性組成物層又は反応層を形成するのに十分な時間は、所定の時間の経過である。さらなる態様において、十分な時間は、少なくとも約１０秒、３０秒、１分、２分、３分、４分、５分、又は、１０分を含む、少なくとも約１秒、最大で約３０分又は１５分を含む、最大で少なくとも約６０分である。
【００６１】
さらに、本発明は、予め形成される過酸が内部に分散される容積空間内の表面を消毒又は殺菌するためのより安全で潜在的により効果的な方法を提供する。ある態様において、容積空間内の消毒を必要とする表面を消毒するための方法は、ａ）過酸を含む第１の水性組成物の多数の微小液滴を容積空間内に分散させる工程；ｂ）第１の水性組成物が容積空間の全体にわたって分布して表面上に堆積するのに十分な時間を割り当て、それにより、表面を消毒する工程；を有し、該方法は、過酸除去組成物、農薬組成物、及び環境調整組成物からなる群から選ばれる１つ以上の補足的な水性組成物の多数の微小液滴を容積空間内に分散させ、それぞれの分散された補足的な水性組成物が容積空間の全体にわたって分布して表面上に堆積するのに十分な時間を割り当てる工程をさらに有する。さらなる態様において、過酸がペルオキシ酢酸である。
【００６２】
ある態様において、滅菌が完了した後に容積空間内又は表面上に残存する過剰な過酸は、第１の水性組成物が表面上に堆積した後、金属ハロゲン化物化合物を有する過酸除去組成物を容積空間内に分散させるとともに、過酸除去組成物が容積空間の全体にわたって分布して表面上に堆積するのに十分な時間を割り当てることによって中和又は除去されることができ、この場合、金属ハロゲン化物化合物は、ヨウ化物又は塩化物、特に、ヨウ化カリウム、塩化カリウム及び、塩化ナトリウムからなる群から選ばれる金属ハロゲン化物化合物、とりわけヨウ化カリウムを含む。さらなる態様において、過酸除去組成物は、約１、０．１、０．０１、０．００１、０．０００１、又は約０．００００１モル／リットル未満のヨウ化カリウムを有する、約６モル／リットル未満のヨウ化カリウム、最小で約０．０００００１モル／リットル未満のヨウ化カリウムを有する。さらなる他の態様において、容積空間内に分散される過酸の化学量論量以上の化学量論量の金属ハロゲン化物化合物が容積空間内に分散され、それにより、過酸のほぼ全てが容積空間から除去される。
【００６３】
ある態様において、水から本質的になる環境調整組成物は、過酸を有する第１の水性組成物を容積空間内に分散させる前に容積空間内に分散され、それにより、容積空間の湿度を高めて、過酸を有する水性組成物の微小液滴のサイズ及び組成を安定させるか又は維持するとともに、過酸を有する第１の水性組成物の微小液滴が表面に達する前に微小液滴の揮発性成分が環境内又は容積空間内へと失われる又は気化されるのを制限又は防止する。他の態様において、水から本質的になる環境調整組成物は、過酸を有する第１の水性組成物が表面上に堆積された後に容積空間内に分散される。さらに他の態様において、環境調整組成物は、さらに芳香性化合物から本質的になる。芳香性化合物は、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントール、並びにこれらの組合せからなる群から選ばれる。
【００６４】
ある態様において、過酸を含む第１の水性組成物の多数の微小液滴が静電的に帯電される。第１の水性組成物の静電的に帯電された微小液滴が負に帯電される。
【００６５】
ある態様において、第１の水性組成物又は前記１つ以上の補助的な水性組成物のうちの少なくとも１つの多数の微小液滴は、最初に水性組成物を加熱して蒸気を生成するとともに、蒸気が容積空間の全体にわたって分布して冷えて微小液滴へと凝縮するのに十分な時間を割り当てることによって形成される。
【００６６】
ある態様において、表面を消毒するための方法は、第１の水性組成物及び表面のうちの少なくとも一方を紫外光から本質的になる波長で照らす工程をさらに有する。
【００６７】
また、本発明は、複数の液体組成物を時間依存的態様で容積空間内に順次に分配するための順次塗布・送出システムを提供する。ある態様において、順次塗布・送出システムは、それぞれが水性組成物を格納する又は収容するように構成される複数の水性組成物容器、各ポンプが水性組成物容器のうちの１つとそれぞれ流体連通する複数のポンプ、各水性組成物送出ノズルが少なくとも１つのポンプと流体連通するとともに１つ以上の水性組成物を容積空間内に順次に分配するように構成される１つ以上の水性組成物送出ノズル、を有する。
【００６８】
ある態様において、液体組成物が水性組成物である。他の態様において、液体組成物は、油ベースの組成物、有機化合物又は組成物、及び水フリーである他の揮発性化合物又は組成物を含むがこれらに限定されない非水性組成物である。
【００６９】
ある態様において、順次塗布・送出システムは、第１の水性組成物を格納して収容するための第１の水性組成物容器と、第２の水性組成物を格納して収容するための第２の水性組成物容器とを備える。さらなる態様において、第１の水性組成物は、過酸化物化合物及び過酸化物化合物と反応して過酸を形成することができる有機酸化合物からなる群から選ばれる過酸反応化合物を有し、第２の水性組成物は、第１の過酸反応化合物の他方である過酸反応化合物を有する。
【００７０】
ある態様において、順次塗布・送出システムは、各水性組成物が容積空間内に分配されるまで第１の水性組成物及び第２の水性組成物が互いに接触するのを防止するように構成される。さらなる態様において、順次塗布・送出システムは、各水性組成物が表面上に堆積及び／又は層へと合体するまで第１の水性組成物及び第２の水性組成物が互いに接触するのを防止するように構成される。
【００７１】
ある態様において、順次塗布・送出システムは、各水性組成物容器内の水性組成物の量を検出する手段、データ取得バス、制御バス、及び水性組成物容器に電気的に結合されるとともに各水性組成物容器内の水性組成物の量を検出する手段を読み取るように構成されるコントローラを有するデータ取得・制御システムをさらに有する。さらなる態様において、水性組成物の量を検出する手段は、フロート、静電容量、導電率、超音波、レーダーレベル、及び光学センサを有する。さらに別の態様において、順次塗布・送出システム内の各ポンプは、制御バスを介してコントローラに電気的に結合されるドライブを有し、この場合、ドライブは、ポンプと係合して水性組成物を水性組成物容器から水性組成物送出ノズルへ及び水性組成物送出ノズルを介して容積空間内へ分配するように構成される。
【００７２】
ある態様において、順次塗布・送出システムは、容積空間に近接又は隣接するとともにデータ取得バスとデータ通信する１つ以上のセンサをさらに有し、この場合、少なくとも１つのセンサは、モーション検出器、全地球測位システム（ＧＰＳ）検出器、赤外線センサ、オーディオセンサ、熱センサ、湿度計、加速度計、カメラ、又は光センサ、特にレーザー光センサ、並びにこれらの組合せからなる群から選ばれる、容積空間内の少なくとも１つの環境状態を検出する手段を有する。さらなる態様において、コントローラは、容積空間内の動物又はヒトの存在をセンサが検出する際に水性組成物の分配を停止するようにプログラムされる。他のさらなる態様において、センサは、容積空間のデカルト寸法を検出して検出された寸法をデータ取得バスを介してコントローラに通信するように構成される。
【００７３】
ある態様において、コントローラは、第１の水性組成物を容積空間内に分配した後、第２の水性組成物を容積空間内に分配する前に、所定の時間にわたって遅延するようにプログラムされる。さらなる態様において、遅延は、約１０秒、３０秒、１分、２分、３分、４分、５分、又は１０分を含む、少なくとも約１秒、最大で約１５又は１０又５分を含む、最大で少なくとも約３０分である。
【００７４】
ある態様において、順次塗布・送出システムの一部は、手持ち式分配ユニット、バックパック、カート、トロリー、特に、光学的に制御され又は誘導されるトロリー、ロボット、又はドローンからなる群から選ばれる結集化搬送体（mobilized conveyance）に結合される。
【００７５】
ある態様において、順次塗布・送出システムの１つ以上の水性組成物送出ノズルは、第１の水性組成物及び／又は第２の水性組成物を多数の微小液滴として分配するように構成される。さらなる態様において、順次塗布・送出システムは、１つ以上の水性組成物送出ノズルに近接又は隣接するイオン化デバイスをさらに有し、イオン化デバイスは、１つ以上のノズルによって分配される所定量の水性組成物を静電的に帯電させるように構成される。さらに他の態様において、第１の水性組成物の多数の微小液滴及び／又は第２の水性組成物の多数の微小液滴は、順次塗布・送出システムによって静電的に帯電される。さらに別の態様において、イオン化デバイスは、第１の水性組成物の多数の微小液滴と反対の極性を有する静電荷を伴う第２の水性組成物の多数の微小液滴を分配するように構成される。
【００７６】
ある態様において、順次塗布・送出システムは、第１及び第２の過酸反応化合物の最も望ましい反応をもたらすために第１の水性組成物及び第２の水性組成物の多数の微小液滴の静電荷を最適化するように構成される。さらなる態様において、順次塗布・送出システムは、負電荷を有する過酸化物化合物を有する水性組成物の多数の微小液滴を分散させるように構成される。他の態様において、順次塗布・送出システムは、有機酸化合物を有する水性組成物の正電荷を伴う多数の微小液滴を分散させるように構成される。
【００７７】
ある態様において、順次塗布・送出システムは、１つ以上のノズルに近接又は隣接して配置されるとともにコントローラに電気的に結合されてコントローラに応答する気化器をさらに有し、コントローラは、気化器にエネルギーを与えるとともにノズルから分配された後の水性組成物で気化器に高温ガス流を放出させるようにプログラムされる。
【００７８】
ある態様において、順次塗布・送出システムは、複数のポンプのうちの１つ以上と順次に時限的に関与するように構成されるモノのインターネット（ＩｏＴ）をさらに有する。さらにある態様において、ＩｏＴは、少なくとも約１０秒、３０秒、１分、２分、３分、４分、５分、又は１０分を含む、少なくとも約１秒間、最大で約３０分、又は約１５分を含む、最大で少なくとも約６０分間にわたって複数のポンプのいずれかと関与するように構成することができる。さらにある態様において、ＩｏＴは、水性組成物が容積空間の全体にわたって分布して、表面上に堆積し、及び／又は水性組成物層又は反応層を表面上に形成するのに十分な時間にわたって複数のポンプのいずれかと関与するように構成することができる。他のさらなる態様において、ＩｏＴは、第１の水性組成物を容積空間内に分配した後、第２の水性組成物を容積空間内に分配する前に、所定の時間にわたって遅延するように構成することができる。さらなる態様において、遅延は、約１０秒、３０秒、１分、２分、３分、４分、５分、又は１０分を含む、少なくとも約１秒、最大で約１５又は１０又５分を含む、最大で少なくとも約３０分である。
【００７９】
ある態様において、ＩｏＴは、順次塗布・送出システム内の複数のポンプのうちの１つ以上と順次に関与するように構成される１つ以上の遠隔制御アウトレットを有する。さらなる態様において、ＩｏＴは少なくとも２つの遠隔制御アウトレットを有し、各遠隔制御アウトレットは、複数のポンプのうちの少なくとも１つに順次にエネルギーを与えるように構成される。
【００８０】
ある態様において、１つ以上の遠隔制御アウトレットがインターネットと直接に通信し、ＩｏＴは、インターネットと電子通信する少なくとも１つのモバイル機器及び／又は少なくとも１つのコンピュータを有する。さらなる態様において、モバイル機器及び／又はコンピュータは、オペレーティングシステム、オペレーティングシステム上で実行するように構成されるホームオートメーションアプリケーション、及びホームオートメーションアプリケーション内で形成されるとともに１つ以上の遠隔制御アウトレットを作動させて複数のポンプのうちの１つ以上と順次の時限依存的態様で関与するように構成されるルーチンを含む。
【００８１】
他の態様において、１つ以上の遠隔制御アウトレットがイントラネットと直接に通信し、ＩｏＴは、イントラネットと電子通信するハブをさらに有する。さらなる態様において、ハブは、オペレーティングシステム、オペレーティングシステム上で実行するように構成されるホームオートメーションアプリケーション、及びホームオートメーションアプリケーション内で形成されるとともに１つ以上の遠隔制御アウトレットを作動させて複数のポンプのうちの１つ以上と順次の時限的態様で関与するように構成されるルーチンを有する。さらなる別の態様において、ＩｏＴは、イントラネットと電子通信するモバイル機器をさらに有し、モバイル機器は、オペレーティングシステム、オペレーティングシステムで実行するように構成されるホームオートメーションアプリケーション、及びホームオートメーションアプリケーション内で形成されるとともに１つ以上の遠隔制御アウトレットを作動させて複数のポンプのうちの１つ以上と順次の時限的態様で関与するように構成されるルーチンを有する。
【００８２】
ある態様において、ＩｏＴは、インターネット又はイントラネットと直接無線電子通信する１つ以上のセンサを有し、１つ以上のセンサは、モーション検出器、全地球測位システム検出器、赤外線センサ、オーディオセンサ、熱センサ、加速度計、光センサ、特にレーザー光センサ、及びカメラ、並びにこれらの組合せからなる群から選ばれる、容積空間内の環境状態を検出するように構成される。
【００８３】
ある態様において、順次塗布・送出システムは、複数のポンプのうちの１つ以上と順次の時限的態様で関与するように構成されるシングルボードコンピュータアセンブリ（ＳＢＣ）をさらに有する。さらなる態様において、ＳＢＣが１つ以上のリレーを有するハードウェアアタッチドオントップ（ＨＡＴ）回路基板を有し、各リレーは、複数のポンプのうちの１つ以上とそれぞれ関連付けられるとともに、複数のポンプのうちの対応する１つ以上に電力を順次の時限的態様で送るように構成される。さらに別の態様において、ＨＡＴ回路基板が少なくとも２つのリレーを有し、各リレーは、前記複数のポンプのうちの１つ以上とそれぞれ関連付けられるとともに、複数のポンプのうちの１つ以上に電力を順次の時限的態様で送るように構成される。
【００８４】
ある態様において、ＳＢＣがディスプレイをさらに有し、ディスプレイは、複数のポンプのうちの１つ以上と順次の時限的態様で関与するユーザインタフェースを有する。
【００８５】
ある態様において、ＳＢＣは、複数のポンプのうちの１つ以上と順次の時限的態様で関与するように構成されるモバイル機器と電子通信する。
【００８６】
さらに、本発明は、容積空間内の消毒を必要とする表面を消毒するのに用いるキットであって、該キットがａ）過酸化物化合物又は該過酸化物化合物と反応して過酸を形成することができる有機酸化合物のいずれかである第１の過酸反応化合物を有する第１の水性組成物；ｂ）第１の過酸反応化合物の他方である第２の過酸反応化合物を有する第２の水性組成物；及びｃ）前述の方法のいずれかを有する命令を有し、該キットは、第１の水性組成物及び第２の水性組成物を有する反応層を形成するために第１の水性組成物及び第２の水性組成物が表面上に順次に塗布されるまで第１の水性組成物と前記第２の水性組成物とが別々にパッケージングされて組み合わされず、それにより、反応層内にその場で過酸を形成して表面を消毒するようになっているキットを提供する。
【００８７】
ある態様において、キットは、第１の水性組成物及び第２の水性組成物を順次に分配するための前述の順次塗布・送出システムのいずれかをさらに有する。さらなる態様では、順次塗布・送出システムがＩｏＴを有する。
【００８８】
ある態様において、キット内の第１の水性組成物及び第２の水性組成物は、界面活性剤、ポリマー、キレート剤、及び金属コロイド又は金属ナノ粒子から実質的にフリーである。含まれる水性組成物に検出可能な過酸が実質的に無く、キットに与えられる命令にしたがって消毒されるべき表面上に過酸がその場でのみ形成される限り、補足的な水性組成物のいずれかを含めて、前述の水性組成物及び／又は成分のいずれかをキットに含めることができる。
【００８９】
ある態様において、第１の水性組成物及び第２の水性組成物の塗布がｌｏｇ−６以上の微生物殺生を達成する。
本発明のこれら及び他の態様は、以下の詳細な説明から当業者に明らかとなる。
【図面の簡単な説明】
【００９０】
【図１】図１は、従来技術に係る市販のエレクトロスプレーデバイスの図を示す。
【図２】図２は、消毒を必要とする表面上への等しく静電帯電した微小液滴の分散及び分布を示す。
【図３】図３は、本発明の原理による順次塗布・送出システムの流体プロセス図を示す。
【図４】図４は、図３に示す順次塗布・送出システムのデータ取得・制御信号概略ブロック図を示す。
【図５】図５は、本発明の原理による順次塗布・送出システムの別の態様の流体プロセス図を示す。
【図６】図６は、図５に示す順次塗布・送出システムのデータ取得・制御信号概略ブロック図を示す。
【図７】図７は、本発明の原理による順次塗布・送出システムの他の別の態様の流体プロセス図を示す。
【図８】図８は、図７に示す順次塗布・送出システムのデータ取得・制御信号概略ブロック図を示す。
【図９】図９は、本発明の原理によるインターネットベースの順次塗布・送出システムの模式図を示す。
【図１０】図１０は、本発明の原理によるイントラネットベースの順次塗布・送出システムの模式図を示す。
【図１１】図１１は、本発明の原理によるアクセスポイントベースのシングルボードコンピュータベースの順次塗布・送出システムの模式図を示す。
【図１２】図１２は、図９に示すモバイル機器のための典型的なソフトウェアアーキテクチャを例示するブロック図を示す。
【図１３】図１３は、エレクトロスプレーデバイスのノズルからのｘ、ｙ、及びｚ方向の変化の関数としての酢酸の分布を例示するプロットを示す。
【図１４】図１４は、細菌の殺生パーセントに対するいくつかの実験変数の独立した効果を例示するプロットを示す。
【図１５】図１５は、細菌の殺生パーセントに対するいくつかの実験変数の相関効果を例示するプロットを示す。
【発明を実施するための形態】
【００９１】
本開示は、過酸を使用して、部屋、閉鎖領域及び容積空間、並びにそれらの領域又は空間内の表面を滅菌するための方法を含む。ある態様において、過酸は、過酸反応化合物を２つ以上の別個の用途で順次に塗布することによってそれらの表面上にその場で形成される。消毒されるべき表面上に過酸がその場で形成される方法は、予め形成された過酸の塗布を必要とする従来の消毒システムを超えるいくつかの利点を有する。事前に形成された酸を使用して表面を消毒するこの方法及びシステムの制限として、溶液中の過酸の不安定性、ペルオキシ酸の活性及び有効性の損失、毒性の増大、並びに膨れ上がるコストを挙げることができるが、これらに限定されない。過酸の不安定性及びそれに伴う活性の損失を考慮するべく、従来の消毒方法及びシステムは、多くの場合、予め形成された過酸にさらなる過酸反応物質又は安定剤を加えてその保管寿命を延ばすことを必要とする。しかしながら、そのような安定剤の付加は、毒性及びコストを増大させ、したがって、過酸を直接使用するのに必要な専門知識のレベルを高める。これに対し、本発明の方法は、過酸を形成するのに用いられる反応化合物を消毒されるべき表面に個別に順次に塗布できるため、安定剤を必要としない。その結果、過酸が標的表面上にのみ形成され、それにより、ユーザ及び第三者にとって最大の有効性及び安全性を伴って表面が消毒される。
【００９２】
また、本開示は、容積空間内の１つ以上の表面上に２つ以上の水性組成物を実質的に同時にではなく順次に分配するように構成される装置及びシステムも含み、この場合、２つ以上の水性組成物は、表面に到達すると、表面上にその場で過酸を形成するように相互に作用する。
【００９３】
典型的な態様について言及し、それらの態様を説明するために特定の言語が使用されるが、本発明の範囲を限定しようとするものではないことが理解されるべきである。本開示を所有する関連技術の当業者が想起する、本明細書中に記載される方法及びシステムのさらなる改変、並びに記載されるそれらの発明の原理のさらなる適用は、この発明の範囲内であると見なされるべきである。さらに、特記しない限り、本明細書中で使用される全ての技術用語及び科学用語は、この特定の発明の態様が関連する当業者によって一般に理解されるのと同じ意味を有する。用いられる用語は、それらの態様を説明することのみを目的としており、特定されなければそのように限定しようとするものではない。
【００９４】
定義
この明細書及び特許請求の範囲で使用される単数形「１つの（ａ）」、「１つの（ａｎ）」、及び、「その（ｔｈｅ）」は、内容が別段明確に定めなければ、複数の指示対象を含む。
【００９５】
「約」という用語は、例えば、現実世界で濃縮物を形成する又は溶液を使用するために使用される典型的な測定手順及び液体処理手順によって、これらの手順における不用意な誤りによって、組成物を形成する又は方法を実施するために使用される原材料の製造、供給源、又は純度の違いによって、及び、同様のものによって起こり得る数量の変動を指す。「約」という用語は、特定の初期混合物によってもたらされる組成物に関する異なる平衡状態に起因して異なる量も包含する。同様に、請求項が「約」という用語によって改変されるか否かにかかわらず、請求項は、列挙された量と均等物を含む。
【００９６】
「水性組成物」という用語は、水を含む液体成分の組合せを指す。最も一般的には、水性組成物は、この発明の技術分野で一般に使用されるような「溶液」という用語と同義である。しかしながら、水に加えて組成物中の成分の同一性に応じて、「水性組成物」は、混合物、乳濁液、分散液、懸濁液なども包含することができる。さらに、水は存在しなければならないが、水が水性組成物の大部分を構成する必要はない。
【００９７】
「殺生物剤」及び「殺生物性化合物」という用語は、ヒト又は動物の健康に有害な又は天然の又は製造された生成物に損傷をもたらす任意の有機体を破壊するか、阻止するか、無害化するか、又は有機体に制御効果を及ぼすようになっている化学物質を指す。殺生物剤の非限定的な例として、過酸化物化合物、有機酸化合物、過酸、アルコール、マヌカハニー、エッセンシャルオイル、及び天然の殺生物性化合物が挙げられる。
【００９８】
「有効直径」という用語は、球状液滴の幾何学的直径、又は液滴の最も幅広いポイントにおける歪んだ球状液滴の左右の距離のいずれかを指し、１００ミクロン未満の有効直径を有する微小液滴又は１００ミクロンを超える有効直径を有する巨大液滴の双方を説明するために使用することができる。
【００９９】
「有効均一厚さ」という用語は、表面上に堆積される液体の質量又は体積が実質的に均一な厚さを有する、表面上への液体の目標の厚さ又は理想的な厚さを指す。
【０１００】
「エッセンシャルオイル」又は「スパイスオイル」という用語は、様々な細胞標的との相互作用に基づくその抗菌特性に関して芳香植物によって生成されて芳香植物から抽出される濃縮された天然生成物を指す。
【０１０１】
「食品加工面」という語句は、食品の輸送、加工、調製、又は保管活動の一部として使用される工具、機械、機器、輸送コンテナ、鉄道車両、構造体、建物などの表面を指す。食品加工面の例として、食品加工機器又は食品調製機器（例えば、水路を含む、スライス、缶詰、又は、輸送機器）の表面、食品加工用品類（例えば、調理用具、皿類、洗面類、及び、バーグラス）の表面、及び床、壁、又は食品加工が行われる構造の備品の表面を挙げることができる。食品加工面は、食品腐敗防止空気循環システム、無菌包装殺菌、食品冷凍クーラークリーナ、及び殺菌剤、器物洗浄殺菌、漂白洗浄及び殺菌、食品包装材料、まな板添加剤、サードシンク殺菌、飲料冷却器及び加温器、肉冷却又は加温水、自動食器殺菌剤、殺菌ジェル、冷却塔、食品加工抗菌衣類スプレー、及び非水性〜低水性の食品調製潤滑剤、オイル、並びにすすぎ添加剤において見出されて使用される。
【０１０２】
「食品」という語句は、さらなる調製を伴って又は伴うことなく食用に適する抗菌剤又は組成物による処理を必要とし得る任意の食品物質を含む。食品として、肉（例えば赤肉や豚肉）、シーフード、家禽、農産物（例えば果物や野菜）、卵、生卵、卵製品、インスタント食品、小麦、種子、根、塊茎、葉、茎、トウモロコシ、花、新芽、調味料、又はこれらの組合せを挙げることができる。「生成物」という用語は、一般に調理されず、多くの場合に包装されずに販売されて、時として生で食べられ得る果物や野菜、植物又は植物由来の材料などの食品を指す。
【０１０３】
「フリーである」又は「実質的にフリーである」という用語は、組成物、混合物、又は原材料中に特定の化合物が全く存在しないか又はほぼ完全に存在しないことを指す。
【０１０４】
「ヘルスケア表面」という用語は、ヘルスケア活動の一部として使用される器具、デバイス、カート、ケージ、家具、構造体、建物などの表面の表面を指す。ヘルスケア表面の例として、医療器具又は歯科器具の表面、医療デバイス又は歯科デバイスの表面、患者の健康を監視するために使用される電子装置の表面、及びヘルスケアが行われる構造体の床、壁、又は備品の表面を挙げることができる。ヘルスケア表面は、病院、外科、虚弱、出産、遺体安置所、特別養護老人ホーム、及び臨床診断室において見出される。これらの表面は、「硬質表面」（例えば壁、床、ベッドパンなど）、又は布地表面、例えばニット、織り表面、不織表面（例えば外科用衣類、掛け布、ベッドリネン、包帯など）、又は患者介護機器（例えば人工呼吸器、診断機器、シャント、ボディスコープ、車椅子、ベッドなど）、又は外科及び診断機器として代表される表面とすることができる。ヘルスケア表面として、動物のヘルスケアで使用される物品及び表面を挙げることができる。
【０１０５】
「器具」という用語は、本発明に係る組成物による洗浄の利益を享受することができる様々な医療用又は歯科用の器具又はデバイスを指す。本明細書中で使用される「医療器具」、「歯科器具」、「医療デバイス」、「歯科デバイス」、「医療機器」又は「歯科機器」という語句は、医学又は歯科で使用される器具、デバイス、工具、器械、装置、及び機器を指す。そのような器具、デバイス、及び機器は、低温滅菌、浸漬、又は洗浄された後、加熱滅菌するか、又はさもなければ、本発明の組成物における洗浄の利益を享受することができる。これらの様々な器具、デバイス、機器として、診断器具、トレイ、フライパン、ホルダ、ラック、鉗子、はさみ、刈り取り器、のこぎり（例えば骨のこぎり及びそれらの刃）、止血剤、ナイフ、のみ、骨鉗子、ファイル、ニッパー、ドリル、ドリル用ビット、やすり、バリ、スプレッダ、ブレーカ、エレベータ、クランプ、ニードルホルダ、キャリア、クリップ、フック、丸たがね、キュレット、反応器、ひずみ矯正機、パンチ、エクストラクタ、スコップ、角膜切開刀、スパチュラ、エクスプレッサ、トラカール、拡張器、ケージ、ガラス製品、チューブ、カテーテル、カニューレ、プラグ、ステント、スコープ（例えば、内視鏡、聴診器、及び関節鏡）、及び関連機器など、又は、これらの組合せを挙げることができるが、これらに限定されない。
【０１０６】
「インターネット」という用語は、インターネットプロトコルスイート（ＴＣＰ／ＩＰ）を使用して世界中のデバイスをリンクする相互接続されたコンピュータネットワークのグローバルシステムを指す。インターネットは、広範囲の電子、無線、及び光ネットワーク技術によってリンクされる、ローカルからグローバルまでの範囲のプライベート、パブリック、アカデミック、ビジネス、及び政府のネットワークから成るネットワーク網である。インターネットは、相互リンクされたハイパーテキストドキュメント及びワールド・ワイド・ウェブ（ＷＷＷ）のアプリケーション、電子メール、テレフォニー、ファイル共有など、広範囲の情報リソース及びサービスを伝送する。その結果、「インターネットベースＩｏＴ」という用語は、順次塗布・送出システム、順次塗布・送出システム内の特定のデバイス及びセンサ、及び／又は容積空間の内側又は外側に位置されるユーザとインターネットを介して電子的に通信する能力を有するモノのインターネット（ＩｏＴ）を指す。
【０１０７】
「イントラネット」という用語は、組織のスタッフだけがアクセスできるプライベートネットワークを指す。インターネットから公衆に利用できない組織の内部情報技術（ＩＴ）システムからの広範囲の情報及びサービスは、一般に利用可能である。全社的なイントラネットは、内部通信及びコラボレーションの重要な焦点を構成できるとともに、内部リソース及び外部リソースにアクセスするための単一の開始点をもたらすことができる。その最も単純な形式において、イントラネットは、ローカルエリアネットワーク（ＬＡＮ）及びワイドエリアネットワーク（ＷＡＮ）のための技術を用いて確立される。その結果、「イントラネットベースＩｏＴ」という用語は、順次塗布・送出システム、順次塗布・送出システム内の特定のデバイス及びセンサ、及び／又は容積空間の内側又は外側に位置されるユーザとイントラネットを介して電子的に通信する能力を有するＩｏＴを指す。
【０１０８】
「液体組成物」という用語は、液体成分の組合せを指す。ある態様において、液体組成物は、水を有することができ、「液体組成物」という用語が「水性組成物」と同義であるが、液体組成物は、非水性組成物を有することができる。非水性組成物として、油性組成物、有機化合物、溶媒、又は組成物、及び水から実質的にフリーである他の揮発性化合物又は組成物を挙げることができるがこれらに限定されない。
【０１０９】
「微生物」という用語は、任意の非細胞性又は単細胞性（コロニアルを含む）生物を指す。微生物は全ての原核生物を含む。微生物としては、細菌（シアノバクテリアを含む）、胞子、地衣類、菌類、原生動物、ビリノ、ウイロイド、ウイルス、ファージ、及び、いくつかの藻類が挙げられる。本明細書中で使用される「微小生物（microbe）」という用語は、微生物と同義である。
【０１１０】
「有機酸化合物」という語句は、消毒剤として有効な過酸を形成できる任意の酸を指す。
【０１１１】
「過酸」又は「ペルオキシ酸」という用語は、ヒドロキシル基の水素がペルヒドロキシル基によって置換された任意の酸を指す。酸化性過酸は、本明細書中ではペルオキシカルボン酸と称される。
【０１１２】
「過酸反応化合物」という語句は、反応してその場で標的表面上に過酸を形成する反応化合物を指す。
【０１１３】
「過酸化物化合物」という用語は、過酸化水素、金属過酸化物、及び、オゾンを含むがこれらに限定されない、有機酸と反応して過酸を形成できる任意の化合物を指す。
【０１１４】
「多価アルコール」という用語は、２つ以上のヒドロキシル基を有するアルコールを指す。水性組成物での使用に適した多価アルコールとしては、糖、糖アルコール、及び、フェノールなどの非脂肪族多価アルコールが挙げられるが、これらに限定されない。
【０１１５】
「反応層」という用語は、表面上に形成される第１の過酸反応化合物を有する合体された第１の水性組成物層上に第２の過酸反応化合物を有する第２の水性組成物が堆積されるときに消毒されるべき表面上に形成される層を指す。２つの反応化合物の過酸生成物は、反応層上にその場で形成される。
【０１１６】
「噴霧器」という用語は、水性組成物を容積空間内へ又は表面上に分配するように構成される任意のデバイスを指す。「噴霧器」の非限定的な例としては、Curtis Dyna-Fog、Ltd.により提供されるHurricane（登録商標）噴霧器などの従来の噴霧デバイスだけでなく、気化器などの他の分配デバイス、及び水性組成物をジェット、ミスト、又は液体流として分配できるスプリンクラーシステムなどの機械的に粗いスプレーデバイスも挙げられる。
【０１１７】
「蒸気」という用語は、水性組成物の液状微小液滴のかなりの部分が空気中に浮遊される他の態様とは対照的に、水性組成物の一部がほぼ完全に気体状態にある流体相又は流体状態を指す。
【０１１８】
本明細書中で使用される用語「重量パーセント」、「重量百分率」、「ｗ／ｗ」、及び他の変形は、物質の重量を組成物の総重量で割って１００を乗じたその物質の濃度を指す。「パーセント」、「％」などの用語は、組成物の体積パーセントではなく、「重量パーセント」、「重量百分率」などと同義になるように意図されることが理解される。
【０１１９】
本開示における消毒方法及びシステムの態様の説明では、「第１」又は「第２」について、それらが水性組成物又は過酸反応化合物を指すように言及される。特定の順序が意図されるという明確な文脈がある場合を除き、「第１」及び「第２」は単なる相対的な用語にすぎず、記載される「第１の」組成物又は反応化合物は、同様に容易に都合良く「第２の」組成物又は反応化合物と称することもでき、そのような記載は本明細書中に非明示的に含まれる。
【０１２０】
本明細書中では、濃度、寸法、量、及び他の数値データが範囲形式で与えられる場合がある。そのような範囲形式は、単に便宜上、簡単のために使用されるにすぎず、範囲の制限として明示的に列挙される数値だけでなく、その範囲内に包含される個々の数値又は部分範囲の全ても、あたかも各数値及び部分範囲が明示的に列挙されているかのように含むべく柔軟に解釈されるべきであることが理解されるべきである。例えば、約０．５重量％〜約１０重量％の重量比率範囲は、０．５重量％及び１０重量％の明示的に列挙される限界だけでなく、１重量％及び５重量％などの個々の重量及び２〜８重量％、５〜７重量％などの部分範囲も含む。
【０１２１】
化学消毒方法
これらの定義にしたがって、過酸を使用することにより容積空間内の標的表面を消毒するためのいくつかの方法、特に、過酸を形成できる反応化合物がそれらの表面上へ順次に分散されて過酸が表面上に直接にその場で形成される方法が提供される。さらに、本発明は、過酸を表面上に塗布する前に過酸を形成することに関連する不安定性及び安全性の問題、並びに全体として消毒において過酸を利用することに関連する潜在的な環境及び安全上の危険を解消する。
【０１２２】
他の滅菌方法は、システム内の過酸の保持を促進するために反応混合物中に１つ以上の添加剤を含めることにより、過酸の安定性及び安全性の問題を解決しようとするが、これらの添加剤の多くは、生成するには高価であり、化学産業に関係のない平均的な人にとって容易に達成できない。これに対し、本発明のある態様は、非常に長い保管寿命を有するとともに普遍的に安全であると見なされる地元の食料品店又はデパートで入手可能な原材料を利用しつつ、過酸の化学反応の力を利用して標的表面を消毒する。そのような態様において、本発明の消毒方法で利用される水性組成物は、界面活性剤、ポリマー、キレート剤、及び金属コロイド又は金属ナノ粒子から実質的にフリーである。
【０１２３】
理論により制限されることなく、過酸は、それらが微生物内のタンパク質及びＤＮＡに不可逆的な損傷を与えることができる強力な酸化剤であるため、消毒剤として非常に有効であると考えられる。過酸は、過酸化物化合物などの強力な酸化剤が有機酸化合物と接触するときに酸触媒反応で形成される。例えば、有機酸化合物として酢酸を利用するシステムでは、過酸化水素などの過酸化物化合物の付加が、以下の反応（１）で示されるような過酢酸と水とが平衡状態で生成される反応をもたらすることができる。
【０１２４】
【化１】
2020537565.tif 000003
【０１２５】
消毒されるべき表面上に過酸が形成された時点で、表面が強力に求電子性になる。過酸を伴う溶液中に電子に富んだ供給源が存在しなければ、過剰な水が、平衡を過酸の加水分解へと至らせ、親酸（parent acid）の生成へと戻す。加えて、親酸が益々酸性になるにつれて、結果として生じる過酸も同様に反応性が高くなる。したがって、結果として得られる過酸がこれらの条件下でさらに優れた消毒剤となり得るにしても、過酸は、塗布の直前に個々の成分がどのように混合されるのかにかかわらず、同様に不安定であり、標的表面に決して到達しない可能性が高い。その結果、本発明の態様は、より強力で且つより厳密に制御された成分が使用されてコストが目的ではない産業用途においても同様に現在の技術よりも有効となることができる。
【０１２６】
本発明の方法を実行できる容積空間は、非常に多様であり、ヒト及び動物がアクセス可能及びアクセス不可能のいずれでもある容積空間を挙げることができる。アクセス可能な容積空間として、食事をするか、仕事をするか、睡眠をとるか、及び／又は日常生活に関連する他の一般的な活動を行うために用いられる空間が挙げられる。非限定的な例として、ファミリールーム、ベッドルーム、キッチン、トイレ、地下室、ガレージ、及び民家で一般的に見出される他の部屋などの生活空間、教室、オフィス、小売スペース、ホテルの部屋、病院の患者の部屋、手術室、食事設備、食品調製設備、包装設備、加工設備を含む食品作業空間、輸送用コンテナ、動物舎、工場及び他の工業地域、並びに個人の車両、タクシー、バス、地下鉄及び他の鉄道車両、フェリー、及び飛行機を含む輸送で利用される搭乗区画室が挙げられるが、これらに限定されない。消毒及び滅菌することができる病院の患者の部屋内の表面の非限定的な例として、壁、床、ベッドフレーム、患者介護機器、ベッドサイドテーブル、及び寝具が挙げられる。
【０１２７】
一方、アクセス不可能な容積空間として、暖房、換気、及び空調（ＨＶＡＣ）システム、配管システム、液体貯留容器、及びヒト又は動物が入ることのできない他の区画室及び空間が挙げられるがこれらに限定されない。そのようなアクセス不可能な容積空間内の表面を消毒する方法は、定置洗浄（ＣＩＰ）手順及び分解洗浄（ＣＯＰ）手順の両方を挙げることができる。例えば、ＨＶＡＣシステム内又は配管システム内の表面は、ＨＶＡＣシステム又は配管システムの入口を通じて組成物を分配することにより、ＣＩＰ法を使用して消毒することができる。また、ＨＶＡＣシステム又は配管システムは、例えば、非限定的な例として、自動車のＨＶＡＣシステムを利用して車室内の表面を消毒するなど、消毒機器がアクセスできない表面を消毒するためのキャリアシステムとしても利用することができるが、消毒機器自体は車外に留まる。他の非限定的な例において、第１及び第２の水性組成物は、飛行機のＨＶＡＣシステムを介して、客室及び航空旅行者がアクセスできる他のエリアに輸送することができる。
【０１２８】
逆に、ＣＯＰ手順は、大型の機械又はアセンブリから分解することができる部品、構成要素、及び他の機器の汚染された表面を消毒するために利用することができる。非限定的な例として、産業用食肉加工設備で使用される部品は、大型機械のフレームワークから分解されて、機械の残りの部分と別個に消毒される。そのような方法において、部品は、先に挙げられた容積空間のいずれかに位置される表面の上、又は密閉された時点で容積空間を構成する密閉可能なタンク、区画室、又はハウジングの内側に配置することができる。
【０１２９】
さらに、本発明の方法に記載される消毒剤組成物は、滑らかな、不規則な、又は多孔質のトポグラフィーを有する様々な硬質表面又は軟質表面に塗布することができる。適切な硬質表面及び／又は非多孔質表面として例えば、建築表面（例えば、床、壁、窓、シンク、テーブル、カウンター、及び標識）、食器、硬表面医療又は外科器具及びデバイス、並びにプラスチック、金属、リノリウム、タイル、ビニール、石、木材、コンクリート、ガラス、及びビニールを含むがこれらに限定されない材料から構成される硬質表面パッケージを挙げることができる。適切な軟質表面及び／又は多孔質表面として例えば、壁板、石膏、パルプ及び繊維ベースの材料、紙、ろ材、病院・外科用のリネン及び衣類、軟質表面の医療又は外科用器具及びデバイス、並びに軟質表面パッケージを挙げることができる。そのような軟質表面は例えば、紙、繊維、織布又は不織布、軟質プラスチック、及びエラストマーを含む様々な材料から形成することができる。
【０１３０】
本発明の第１の態様において、容積空間内の消毒を必要とする表面を消毒する方法が提供され、該方法は、ａ）過酸化物化合物又は過酸化物化合物と反応して過酸を形成することができる有機酸化合物のいずれかである第１の過酸反応化合物を有する第１の水性組成物を表面上に分配する工程；ｂ）第１の水性組成物が表面全体にわたって分布して表面上で第１の水性組成物層へと合体するのに十分な時間を割り当てる工程；ｃ）第１の過酸反応化合物の他方である第２の過酸反応化合物を有する第２の水性組成物を表面上に分配する工程；及びｄ）第２の水性組成物が合体された第１の水性組成物層と組み合わさって表面上に反応層を形成するのに十分な第２の時間を割り当て、それにより、反応層内に過酸をその場で形成して表面を消毒する工程を有する。
【０１３１】
第１の水性組成物及び第２の水性組成物は、当業者に一般に知られている手段を使用して消毒されるべき容積空間内へ及び／又は表面上へ分配することができる。当業者に一般に知られている手段として、モップ、布、又はスポンジを使用する直接的な塗布；ホース又は機械的に粗いスプレーデバイスから液体流として流すこと；又は冷却されて微小液滴へと凝縮された蒸気として水性組成物が分散されたときに多数の微小液滴が形成される方法を含めて、多数の微小液滴として容積空間内へ分散すること；を挙げることができるがこれらに限定されない。ある態様において、多数の微小液滴として容積空間内の消毒を必要とする表面を消毒するための方法は、ａ）過酸化物化合物又は過酸化物化合物と反応して過酸を形成することができる有機酸化合物のいずれかである第１の過酸反応化合物を有する第１の水性組成物の多数の液滴を容積空間内へ分散させる工程：ｂ）第１の水性組成物が容積空間の全体にわたって分布するとともに表面上に堆積して層へと合体するのに十分な時間を割り当てる工程；ｃ）第１の過酸反応化合物の他方である第２の過酸反応化合物を有する第２の水性組成物の多数の液滴を容積空間内へ分散させる工程；ｄ）第２の水性組成物の液滴が第１の水性組成物の合体層上に堆積して反応層を形成するのに十分な第２の時間を割り当て、それにより、反応層上に過酸をその場で形成して表面を消毒する工程を有する。
【０１３２】
過酸が消毒されるべき表面上にのみ形成される限り、本明細書中に記載される方法の有効性は、過酸反応化合物が分散される順序とは無関係であると予期される。したがって、第１の過酸反応化合物は、第２の過酸反応化合物が第１の過酸反応化合物であるように選択されるものの反対の化合物である限り、有機酸化合物又は過酸化物化合物とすることができる。例えば、過酸化物化合物が第１の過酸反応化合物であるように選択されれば、第２の過酸反応化合物は有機酸化合物であり、また、有機酸化合物が第１の過酸反応物であるように選択されれば、第２の過酸反応化合物は過酸化物化合物である。過酸反応化合物を有する組成物は一般に殆ど水性であるが、水は組成物の大部分を構成する必要はない。さらに、過酸化物化合物及び有機酸化合物からの過酸の形成を促進することができる任意の液体キャリアシステムを使用することができる。
【０１３３】
なお、本明細書中に記載される方法の有効性はまた、第１の水性組成物が、第１の水性組成物層内で消毒されるべき表面上に、該表面上に第２の水性組成物が堆積されるまで留まるようにすることに関連付けられる。ある態様において、第２の水性組成物を表面に分配する際に、第１の水性組成物のほぼ全てが表面に保持される。当業者であれば分かるように、表面上に第１の水性組成物を保持することは、第２の水性組成物を表面上に分配する前に、第１の水性組成物が、表面に塗布された時点で、濯がれず、拭き取られず、或いはさもなければ、表面から除去されないことを意味する。
【０１３４】
過酸化物化合物は、有機酸化合物と反応して過酸を形成できる任意の化合物とすることができる。一般に、これらの過酸化物化合物として、過酸化水素、金属過酸化物、又はオゾンが挙げられるがこれらに限定されない。ある態様において、過酸化物化合物を有する水性組成物は、少なくとも約０．５重量％、少なくとも約１重量％、少なくとも約２重量％、少なくとも約４重量％、少なくとも約６重量％、少なくとも約８重量％、少なくとも約１０重量％、少なくとも約１２重量％、少なくとも約１４重量％、少なくとも約１６重量％、少なくとも約１８重量％、少なくとも約２０重量％、又は少なくとも約２５重量％の過酸化物化合物を含む、少なくとも約０．１重量％の過酸化物化合物を有する。他の態様において、過酸化物化合物を有する水性組成物は、約２０重量％以下、約１８重量％以下、約１６重量％以下、約１４重量％以下、約１２重量％以下、約１０重量％以下、約８重量％以下、約６重量％以下、約４重量％以下、約２重量％以下、約１重量％以下、約０．５重量％以下、又は約０．１重量％以下の過酸化物化合物を含む、約２５重量％以下の過酸化物化合物を有する。有用な範囲は、約０．１重量％及び約２５重量％を含めてこれらの間の任意の値の過酸化物化合物から選択することができる。そのような範囲の非限定的な例として、約０．１重量％〜約２５重量％、約０．５重量％〜約２５重量％、約１重量％〜約２５重量％、約２重量％〜約２５重量％、約４重量％〜約２５重量％、約６重量％〜約２５重量％、約８重量％〜約２５重量％、約１０重量％〜約２５重量％、約１２重量％〜約２５重量％、約１４重量％〜約２５重量％、約１６重量％〜約２５重量％、約１８重量％〜約２５重量％、約２０重量％〜約２５重量％、約０．５重量％〜約２０重量％、約１重量％〜約１８重量％、約２重量％〜約１６重量％、約５重量％〜約１５重量％、又は約７重量％〜約１２重量％の過酸化物化合物を挙げることができる。ある態様において、水性組成物は、約１０重量％の過酸化物化合物を有する。好ましい態様において、過酸化物化合物は、過酸化水素である。
【０１３５】
有機酸化合物は、過酸化物化合物と反応する際に過酸を効果的に形成することができる任意の有機酸とすることができる。一般に、これらの有機酸化合物としてカルボン酸を挙げることができるがこれに限定されない。使用することができるカルボン酸の非限定的な例として、ギ酸、酢酸、クエン酸、コハク酸、シュウ酸、プロパン酸、乳酸、ブタン酸、ペンタン酸、オクタン酸、アミノ酸、及びこれらの混合物が挙げられる。ある態様において、有機酸化合物を有する水性組成物は、少なくとも約１重量％、少なくとも約２重量％、少なくとも約５重量％、少なくとも約１０重量％、少なくとも約１５重量％、少なくとも約２０重量％、少なくとも約２５重量％、少なくとも約３０重量％、少なくとも約３５重量％、少なくとも約４０重量％、少なくとも約４５重量％、又は、少なくとも約５０重量％の有機酸化合物を含む、少なくとも約０．５重量％の有機酸化合物を有する。他の態様において、有機酸化合物を含む水性組成物は、約４５重量％以下、約４０重量％以下、約３５重量％以下、約３０重量％以下、約２５重量％以下、約２０重量％以下、約１５重量％以下、約１０重量％以下、約５重量％以下、約２重量％以下、約１重量％以下、又は、約０．５重量％以下の有機酸化合物を含む、約５０重量％以下の有機酸化合物を有する。有用な範囲は、約０．５重量％及び約５０重量％を含めてこれらの間の任意の値の有機酸化合物から選択することができる。そのような範囲の非限定的な例として、約０．５重量％〜約５０重量％、約１重量％〜約５０重量％、約２重量％〜約５０重量％、約５重量％〜約５０重量％、約１０重量％〜約５０重量％、約１５重量％〜約５０重量％、約２０重量％〜約５０重量％、約２５重量％〜約５０重量％、約３０重量％〜約５０重量％、約３５重量％〜約５０重量％、約４０重量％〜約５０重量％、約４５重量％〜約５０重量％、約１重量％〜約３５重量％、約２重量％〜約２０重量％、又は約４重量％〜約１２重量％の有機酸化合物を挙げることができる。ある態様において、水性組成物は、約１０重量％の有機酸化合物を有する。好ましい態様において、有機酸化合物は酢酸である。
【０１３６】
前述のように、有機酸化合物及び過酸化物化合物からの過酸の合成は、酸触媒プロセスである（Zhao、X. et al, (2007)Journal of Molecular Catalysis A 271:246-252参照）。一般に、酢酸及び先に挙げられた他のものなどの有機酸は、約７以下の酸性ｐＫａ値を有する少なくとも１つのカルボキシレート官能基を有し、それにより、そのような化合物が過酸化物化合物と反応して過酸を生成するのに適するようになる。クエン酸などの一部の有機酸は、それぞれが７未満のｐＫａ値を有する複数のカルボン酸基を有し、したがって、過酸化物化合物と反応して過酸生成物を形成できる。しかしながら、７を超えるｐＫａ値を伴うカルボン酸官能基を有する有機酸は、カルボン酸官能基の少なくとも１つが約７以下のｐＫａ値を有する限り、基質としても使用することができる。その結果、ある態様において、有機酸化合物を有する組成物のｐＨは、約７以下である。さらなる態様において、反応層のｐＨは、約７以下である。
【０１３７】
ある態様において、第１の水性組成物及び／又は第２の水性組成物がそれぞれ表面上に液体流として分配される。さらなる態様において、方法は、機械的に粗いスプレーデバイスを提供する工程をさらに有し、第１の水性組成物及び／又は第２の水性組成物は、機械的に粗いスプレーデバイスを使用して表面上に液体流として分配され、特に、液体流は、ミスト、シャワー、又はジェットの形態で分配される。そのような機械的に粗いスプレーデバイスの非限定的な例として、水性組成物を液体流及び／又は１００ミクロン以上の有効直径を有する巨大液滴として分散することができるスプレーノズルシステム及びスプリンクラーシステムが挙げられる。さらに他の態様において、巨大液滴は、少なくとも約２５０ミクロン、５００ミクロン、１ミリメートル、２ミリメートル、３ミリメートル、又は、４ミリメートルを含む、少なくとも約１００ミクロン、最大で約４ミリメートル、３ミリメートル、２ミリメートル、１ミリメートル、５００ミクロン、又は、２５０ミクロンを含む、最大で約５ミリメートルまでの有効直径を有する。さらに一層他の態様において、約９５又は９８パーセント、最大で約９９パーセントの多数の微小液滴を含む、少なくとも約９０パーセントの多数の微小液滴は、少なくとも約２５０ミクロン、５００ミクロン、１ミリメートル、２ミリメートル、３ミリメートル、又は、４ミリメートルを含む、少なくとも約１００ミクロン、最大で約４ミリメートル、３ミリメートル、２ミリメートル、１ミリメートル、５００ミクロン、又は、２５０ミクロンを含む、最大で約５ミリメートルまでの有効直径を有する。
【０１３８】
第１の水性組成物及び第２の水性組成物を液体流として分配することは、その上に配置される液体の量の影響を受けたくない非多孔質表面を消毒する際に、唯一又は容積空間内の表面の数又は容積空間のサイズに比べてわずかな数の表面のみを消毒すれば済む場合、又は過酸が表面上に形成された後に１つ又は複数の表面を手動で乾燥させることができるとともに表面が消毒される場合に、有利となり得る。特に、液体流を洪水復興及び湿気改善に使用して、汚染された非多孔質表面、及び修復できない軟質材料又は多孔質材料の全てが除去された後に残る建材を消毒することができる。そのような非多孔質表面及び建築材料として、金属、ガラス、特定のタイル、及び硬質プラスチックが挙げられるが、これらに限定されない。
【０１３９】
同様に、容積空間内の選択された数の表面のみが消毒されるようになっている方法は、容積空間内の他の表面がいずれかの水性組成物と接触することを回避しながら達成することができる。非限定的な例として、ユーザは、手持ち式の機械的に粗いスプレーデバイスを利用して、第１の水性組成物を表面上に選択的に分配するか又は塗布することができ、第１の水性組成物が表面の全体にわたって分布して表面上で第１の水性組成物層へと合体するのに十分な時間を割り当てた後、ユーザは、手持ち式の機械的に粗いスプレーデバイスを使用して、第２の水性組成物を第１の水性組成物層上に分配するか又は塗布することができる。他の非限定的な例において、第１の水性組成物及び第２の水性組成物は、装着されたオーバーヘッドスプリンクラーシステムを介して容積空間内へと及び下方の表面上へと分配することができる。さらなる態様において、オーバーヘッドスプリンクラーシステムを用いて消毒されるべき表面として、食品及び／又は食品接触表面を挙げることができる。
【０１４０】
ある態様において、少なくとも約９０、９５、９７、９８、又は９９パーセントの水性組成物が、多数の微小液滴として容積空間内へと及び消毒されるべき表面上へと分散される。さらなる態様において、ほぼ１００％の水性組成物が多数の微小液滴として分散される。先で定義したように、微小液滴は１００ミクロン未満の有効直径を有する。ある態様において、容積空間内の表面を消毒する方法は、ａ）過酸化物化合物又は過酸化物化合物と反応して過酸を形成することができる有機酸化合物のいずれかである第１の過酸反応化合物を有する第１の水性組成物の多数の微小液滴を容積空間内へ分散させる工程；ｂ）第１の水性組成物の多数の微小液滴が容積空間の全体にわたって分布するとともに表面上に堆積して第１の水性組成物層へと合体するのに十分な時間を割り当てる工程；ｃ）第１の過酸反応化合物の他方である第２の過酸反応化合物を有する第２の水性組成物の多数の微小液滴を容積空間内へ分散させる工程；及びｄ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程を有する。
【０１４１】
水性組成物のそれぞれの多数の微小液滴が容積空間内へと分散して消毒されるべき１又は複数の表面上に堆積して層へと合体するのに十分な時間は、微小液滴が分散される際の微小液滴のサイズ及び速度、容積空間の容積サイズ及び湿度、及び水性組成物中の成分の同一性及び濃度を含むがこれらに限定されないいくつかの因子によって決めることができる。微小液滴のサイズに関して、微小液滴が消毒されるべき表面上に到達して合体するのに十分な時間は、微小液滴のサイズにほぼ反比例する。したがって、例えば、微小液滴が小さく、例えば約１〜約２ミクロンの有効直径を有する場合、微小液滴が表面上に堆積するために、微小液滴が大きく、例えば約５０〜１００ミクロンの有効直径を有する場合よりも多くの時間が必要とされる。これらの大きな微小液滴のサイズは、部屋や輸送用コンテナなどの大きな容積空間内の複数の表面を消毒するのに機能的に適切であるが、微小液滴の有効直径が約２０ミクロン以上に達した時点で、微小液滴が重力に打ち勝って消毒されるべき表面に到達するのに十分長く空気中に留まることができる能力が損なわれるようになることが分かっている。
【０１４２】
したがって、ある態様において、圧倒的多数の微小液滴は、少なくとも約５ミクロン、少なくとも約１０ミクロン、少なくとも約１５ミクロン、少なくとも約２０ミクロン、少なくとも約２５ミクロン、少なくとも約３０ミクロン、少なくとも約３５ミクロン、少なくとも約４０ミクロン、少なくとも約４５ミクロン、少なくとも約５０ミクロン、少なくとも約６０ミクロン、少なくとも約７０ミクロン、少なくとも約８０ミクロン、少なくとも約９０ミクロン、又は少なくとも約１００ミクロンを含む、少なくとも約１ミクロンの有効直径を有する。他の態様において、圧倒的多数の微小液滴は、約９０ミクロン以下、約８０ミクロン以下、約７０ミクロン以下、約６０ミクロン以下、約５０ミクロン以下、約４５ミクロン以下、約４０ミクロン以下、約３５ミクロン以下、約３０ミクロン以下、約２５ミクロン以下、約２０ミクロン以下、約１５ミクロン以下、約１０ミクロン以下、又は、約５以下ミクロンを含む、約１００ミクロン以下の有効直径を有する。圧倒的多数の微小液滴の有効直径に関する有用な範囲は、約１ミクロン及び約１００ミクロンを含めてこれらの間の任意の値から選択することができる。そのような範囲の非限定的な例として、約１ミクロン〜約１００ミクロン、約５ミクロン〜約１００ミクロン、約１０ミクロン〜約１００ミクロン、約１５ミクロン〜約１００ミクロン、約２０ミクロン〜約１００ミクロン、約２５ミクロン〜約１００ミクロン、約３０ミクロン〜約１００ミクロン、約３５ミクロン〜約１００ミクロン、約４０ミクロン〜約１００ミクロン、約４５ミクロン〜約１００ミクロン、約５０ミクロン〜約１００ミクロン、約６０ミクロン〜約１００ミクロン、約７０ミクロン〜約１００ミクロン、約８０ミクロン〜約１００ミクロン、約９０ミクロン〜約１００ミクロン、３ミクロン〜約７５ミクロン、又は約１０ミクロン〜約２５ミクロンを挙げることができる。上記の範囲のいずれかに適合する有効直径を有する多数の微小液滴を分散させることができるスプレーデバイス及び噴霧デバイスは、当業者に良く知られている。
【０１４３】
しかしながら、微小液滴の有効直径が小さい場合には、潜在的に問題も生じ得る。参照によりその全体が本願に組み入れられる、２００７年、Molecule to Product and Beyondが提供する、Ronald Evensにより編集された、Drug and Biological Developmentの２１０頁及び適用可能な節に例示されるように、空気中に浮遊する微小液滴が約８ミクロン〜約１０ミクロン未満の有効直径で肺の深部に吸い込まれて保持され得ることが知られている。その結果、ヒト及び動物は、水性組成物の分配中に十分な保護を伴うことなく容積空間内に存在すべきではないが、水性組成物が微小液滴形態で分散される状態の領域内又は容積空間内にヒトが存在する本発明のある態様において、微小液滴のほぼ全ての最小有効直径は、肺への深い浸透を最小限に抑えて回避するべく、約１０ミクロンを超えたままであるべきである。したがって、ある態様において、水性組成物の分散される多数の微小液滴の最小有効直径は約１５ミクロンである。水性組成物が分散される際にヒトが部屋の中に存在しない他の態様において、多数の微小液滴の最小有効直径は、先に挙げた有効直径を含めて、消毒されるべき１つ又は複数の表面上への微小液滴の分布、堆積、及び合体を促す任意の直径とすることができる。
【０１４４】
ある態様において、第１の水性組成物の多数の微小液滴が消毒されるべき表面上に堆積された時点で、微小液滴は、好ましくは、表面上の最大被覆率をもたらすために、ほぼ均一な厚さを有する層へと合体する。好ましい態様において、合体層の実際の堆積厚さは、全ての露出位置及び非露出位置で表面全体も実質的に覆ってコーティングしつつ、最小限に抑えられるべきである。合体層の厚さは、多数の微小液滴のサイズ及び表面張力の両方に依存する。多数の微小液滴が水溶液中で過酸化物化合物又は有機酸化合物のみからなるある態様において、微小液滴は、２０℃で約７２ｄｙｎｅ／ｃｍである純水の表面張力に近い表面張力を有することができる。この状況では、微小液滴が表面上に堆積された後に狭く広がるため、合体層がより厚くすることができる。したがって、表面全体を消毒するべく、表面の全領域を完全に覆うためには、より多くの組成物が必要とされる。逆に、多数の微小液滴は、組成物の表面張力を低下させる非水性化合物をさらに有してもよい。例えば、純粋なエタノールは、２０℃で約２２．２７ｄｙｎｅ／ｃｍの表面張力を有する。この状況では、表面張力が低い組成物の微小液滴が表面にわたって幅広く広がり、それにより、表面全体を消毒するべく、表面の領域全体を完全に覆うために組成物をそれほど必要としないより薄い合体層がもたらされる。
【０１４５】
したがって、ある態様において、合体層は、少なくとも約２ミクロン、少なくとも約３ミクロン、少なくとも約５ミクロン、少なくとも約８ミクロン、少なくとも約１０ミクロン、少なくとも約１５ミクロン、又は少なくとも約２０ミクロンを含む、少なくとも約１ミクロンの有効均一厚さ、好ましくは実均一厚さを有することができる。他の態様において、合体層は、約１５ミクロン以下、約１０ミクロン以下、約８ミクロン以下、約５ミクロン以下、約３ミクロン以下、約２ミクロン以下、又は約１ミクロン以下を含む、約２０ミクロン以下の有効均一厚さ、好ましくは実均一厚さを有することができる。水性組成物の合体層のほぼ均一な厚さの有用な範囲は、約１ミクロン及び約２０ミクロンを含めてこれらの間の任意の値から選択することができる。そのような範囲の非限定的な例として、約１ミクロン〜約２０ミクロン、約２ミクロン〜約２０ミクロン、約３ミクロン〜約２０ミクロン、約５ミクロン〜約２０ミクロン、約８ミクロン〜約２０ミクロン、約１０ミクロン〜約２０ミクロン、約１５ミクロン〜約２０ミクロン、又は約３ミクロン〜約８ミクロンを挙げることができる。
【０１４６】
ある態様において、消毒されるべき表面上に堆積される組成物の表面張力を低下させるために、水性組成物の一方又は両方にアルコールをさらに有することができる。さらなる態様において、微小液滴として分散される水性組成物内にアルコールをさらに含めることができる。いずれかの水性組成物中に含まれるアルコールは、微小液滴のサイズをより小さい有効直径まで減少させる必要なくより薄い合体層を促進させ、この場合、十分に小さい直径は、潜在的に、その領域内又は容積空間内のヒトや動物に関して肺への深い浸透をもたらすことができる。さらに、一部のアルコールは、過酸とは別個の殺菌活性も独立にもたらす。したがって、消毒されるべき表面上にその場で過酸を形成することと組み合わせてアルコールを使用すると、過酸化物化合物及び有機酸化合物のみを有する反応層と比較して、抗菌活性に対して相加効果をもたらすことができる
【０１４７】
液状のアルコールを高濃度（７０重量％以上）で使用して器具又は表面を滅菌できるが、揮発した場合、特に領域又は容積空間の温度が高められる際に、最低分子量のアルコールがそれらの同じ濃度で燃えやすくなる場合がある。したがって、ある態様において、アルコールを有する水性組成物は、少なくとも約０．１、１、５、１０、１５、２０、２５、３０、４０、５０、６０又は７０重量％のアルコールを含む、少なくとも約０．０５重量％のアルコールを有することができる。他の態様において、アルコールを有する水性組成物は、約０．１，１，５，１０，１５，２０，２５，３０，４０，５０，６０、又は７０重量％以下のアルコールを含む、約０．０５重量％以下のアルコールを有する。有用な範囲は、約０．０５重量％及び約７０重量％を含めてこれらの間の任意の値のアルコールから選択することができる。そのような範囲の非限定的な例として、約０．０５重量％〜約７０重量％、約０．１重量％〜約７０重量％、約１重量％〜約７０重量％、約５重量％〜約７０重量％、約１０重量％〜約７０重量％、約１５重量％〜約７５重量％、約２０重量％〜約７０重量％、約２５重量％〜約７０重量％、約３０重量％〜約７０重量％、約４０重量％〜約７０重量％、約５０重量％〜約７０重量％、約６０重量％〜約７０重量％、約１重量％〜約２５重量％、約１０重量％〜約２０重量％のアルコールを挙げることができる。ある態様において、アルコールを有する水性組成物は、約１５重量％のアルコールを有することができる。他の態様において、アルコールを有する水性組成物は、約５重量％のアルコールを有することができる。
【０１４８】
水性組成物中に存在するアルコールは、単一のアルコール又は複数のアルコールの組合せとすることができる。アルコールとして、脂肪族アルコール及び１〜２４個の炭素を有する他の炭素含有アルコールを挙げることができる。アルコールは、直鎖アルコール又は完全飽和アルコール又は分岐脂肪族アルコール、脂環式アルコール、芳香族アルコール、及び、不飽和アルコールを有する他の炭素含有アルコールから選択することができる。多価アルコールも単独で又は他のアルコールと組合せて使用することができる。本開示で用いられる多価アルコールの非限定的な例として、エチレングリコール（エタン−１，２−ジオール）グリセリン（又はグリセロール、プロパン−１，２，３−トリオール）、プロパン−１，２−ジオール、ポリビニルアルコール、ソルビトール、他のポリオールなどが挙げられる。フェノール及び置換フェノール、エルシルアルコール、リシノリルアルコール、アラキジルアルコール、カプリルアルコール、カプリンアルコール、ベヘニルアルコール、ラウリルアルコール（ｌ−ドデカノール）、ミリスチルアルコール（ｌ−テトラデカノール）、セチル（又はパルミチル）アルコール（ｌ−ヘキサデカノール）、ステアリルアルコール（ｌ−オクタデカノール）、イソステアリルアルコール、オレイルアルコール（シス−９−オクタデセン−１−オール）、パルミトレイルアルコール、リノレイルアルコール（９Ｚ、１２Ｚ−オクタデカジエン−１−オール）、エライジルアルコール（９Ｅ−オクタデセン−１−オール）、エライドリノレイルアルコール（９Ｅ、１２Ｅ−オクタデカジエン−１−オール）、リノレニルアルコール（９Ｚ、１２Ｚ、１５Ｚ−オクタデカトリエン−ｌ−オール）、エライドリノレニルアルコール（９Ｅ、１２Ｅ、１５−Ｅ−オクタデカトリエン−１−オール）、及びこれらの組合せを挙げることができるがこれらに限定されない他の非脂肪族アルコールを用いてもよい。
【０１４９】
ある態様において、実際的な考慮事項として、メタノール、エタノール、イソプロパノール、プロパノール、ｔｅｒｔ−ブタノール、ブタノール、ペンタノール、ヘキサノール、ヘプタノール、オクタノール、ノナノール、及びデカノールが、全ての構造異性体、立体異性体、及びそれらの変性アルコールを含めて、それらの特性及びコストに起因して使用することができる。アルコールは、食品グレード及び食品安全システムに関する要件を満たすように選択することができる。しかしながら、多くのアルコール、特に第一級アルコール、例えばメタノール及びエタノールは、有機酸化合物との副反応においてエステルを形成することができる。非限定的な例として、エタノール及び酢酸は、特に酸性のｐＨ条件の下、室温で酢酸エチルを形成することができる。その結果、好ましい態様では、イソプロパノール及びｔ−ブタノールを選択することができ、これは、イソプロパノール及びｔ−ブタノールがそれぞれ第２級アルコール及び第３級アルコールであるため、有機酸化合物との副反応が好ましくないからである。
【０１５０】
ある態様において、Ｃ４−，Ｃ５−，Ｃ６−，Ｃ−７−，Ｃ８−，Ｃ９−、及びＣ１０アルコールを含むがこれらに限定されない炭素原子４以上のアルコールを利用でき、これは、これらのアルコールが、比較的低い蒸気圧、比較的高い引火点を有するとともに、比較的低い濃度で表面上の合体層及び／又は反応層の表面張力を低下させることができるからである。１つの非限定的な例では、１５％（ｖ／ｖ）エタノールを伴う水溶液の表面張力が２０℃で約３３ｄｙｎｅ／ｃｍであるのに対し、約０．５％（ｖ／ｖ）の１−ヘキサノールを伴う水溶液が２０℃で３０ｄｙｎｅ／ｃｍ未満の表面張力を有する。さらに、純粋なＣ４−，Ｃ５−，Ｃ６−，Ｃ−７−，Ｃ８−，Ｃ９−、及びＣ１０アルコールの引火点は、２０℃の標準室温よりもはるかに高く、これらのアルコールを容積空間内に分散させる際に本発明の水性組成物のいずれかの中で安全に利用することができる。
【０１５１】
他の態様において、消毒されるべき表面上にその場で生成される過酸の有効性を高めるか又は補うために、付加的な化合物をいずれかの水性組成物に含めることができる。そのような化合物として、マヌカハニー及びエッセンシャルオイルなどの１つ以上の天然殺生物剤、及び／又はメチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントールなど、これらの組合せを含めた、マヌカハニー中及びエッセンシャルオイル中で一般に見出される天然殺生物性化合物を挙げることができる。ハチミツ、特にマヌカハニーは、殺生物特性を有することで長い間知られてきた。マヌカハニーの主成分であるメチルグリオキサールの抗菌特性は既に記載されている（参照によりその全体が本願に組み入れられるHayashi, K. et al., (April 2014) Frontiers in Microbiology, 5 (180):1-6）参照）。メチルグリオキサールは、メチシリン耐性黄色ブドウ球菌（Staphylococcus aureus）（ＭＲＳＡ）、多剤耐性緑膿菌（Pseudomonas aeruginosa）、及び最小抑制濃度（ＭＩＣ）が組成物の重量で０．００５％と低い病原性大腸菌を含む多剤耐性細菌に対して有効であることが分かってきた。
【０１５２】
他の態様において、エッセンシャルオイルをいずれかの水性組成物に含めることができる。エッセンシャルオイルは、人類の歴史を通じて医薬において幅広く使用されてきており、いずれも参照によりそれらの全体が本願に組み入れられるEffect of Essential Oils on Pathogenic Bacteria, Pharmaceuticals, pg. 1451-1474, Volume 6, 2013、及びAntimicrobial Activity of Some Essential Oils Against Microorganisms Deteriorating Fruit Juices, Mycobiology, pgs. 219-229, Volume 34, 2006に記載されるように、０．００１重量％と低い濃度で抗菌活性を有することが特に知られている。消毒剤の成分としてのエッセンシャルオイルの使用は、米国特許第６，４３６，３４２号に記載されており、この特許の開示内容は、参照によりその全体が本願に組み入れられる。水性組成物のうちの１つ以上に含められ得るエッセンシャルオイルの非限定的な例として、オレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、ヴァーヴァインフレグラス、及びラタニアエのエッセンシャルオイルが挙げられる。
【０１５３】
それらの抗菌特性に加え、いくつかのエッセンシャルオイルは、方法が完了された後、消毒された部屋又は容積空間の後続のユーザに心地よい匂いを生み出す。したがって、１つ以上の天然殺生物剤又は天然殺生物性化合物、特にエッセンシャルオイル及び／又はそれらの化学成分は、ＭＩＣよりも低い濃度で水性組成物に含めることができる。そのため、ある態様において、水性組成物は、少なくとも約０．００５、０．０１、０．０５、０．１、０．２５、０．５、又は１重量％の水性組成物を有する、少なくとも約０．００１重量％の水性組成物の濃度で１つ以上の天然殺生物剤又は天然殺生物性化合物を有することができる。他の態様において、水性組成物は、約０．００５、０．０１、０．０５、０．１、０．２５、０．５、又は１重量％以下の水性組成物を含む、約０．００１重量％以下の水性組成物の濃度で１つ以上の天然殺生物剤又は天然殺生物性化合物を有することができる。有用な範囲は、約０．００１重量％及び約１重量％を含めてこれらの間の任意の値の水性組成物中の天然殺生物剤又は天然殺生物性化合物から選択することができる。そのような範囲の非限定的な例として、約０．００１％〜約１重量％、約０．００５％〜約１重量％、約０．０１％〜約１重量％、約０．０５％〜約１重量％、約０．１重量％〜約１重量％、約０．２５重量％〜約１重量％、約０．５重量％〜約１重量％、約０．０１重量％〜約０．５重量％、又は約０．０６重量％〜約０．３重量％の水性組成物中の天然殺生物剤又は天然殺生物性化合物を挙げることができる。
【０１５４】
特定の理論により拘束されることなく、合体された液体層又は反応層の有効均一厚さは、過酸反応化合物又は水性組成物の任意の他の成分の所望の濃度にしたがって最適化することができる。他の態様において、過酸反応化合物又は他の成分の濃度は、所望の有効均一厚さにしたがって最適化することができる。例えば、過酸反応化合物又は他の反応成分の濃度が比較的薄いことが望まれるある態様において、反応層の有効均一厚さ（したがって、存在する過酸反応化合物の総量）を増大させて所望の微生物殺生を達成するために、分散される水性組成物の量を適宜調整することができる。そのような態様は、消費者により彼らの地元の食料品店又は薬局で購入され得る酢酸又は過酸化水素のように、水性組成物の１つ以上を形成するために使用される原液の濃度が低い状況で有用となり得る。逆に、工業グレードの原液が利用可能であるか、比較的高い過酸反応物質濃度が望まれるか、又は容積空間が比較的大きい他の態様では、比較的薄い反応層を形成するために分散された水性組成物の量を調整することができる。当業者は、過酸反応化合物又は他の成分の濃度を決定して、いくつかある因子の中で特に、原液の濃度、望ましい微生物殺生、及び容積空間内の容積などの因子に基づき、所望の有効均一厚さを伴う反応層を形成するべく分散すべき水性組成物の量を決定するために必要な知識を有する。
【０１５５】
過酸反応化合物、アルコール、及び天然殺生物性化合物を含む前述の成分の利点は、滅菌が完了した後にこれらの成分が容易に揮発されるという点である。そのような態様は、滅菌方法が完了した後にヒトが可能な限り迅速に容積空間に戻ることができるようにするべく高い回転率が必要とされる状況を含む。消毒されるべき表面上の合体層が約１ミクロン〜約２０ミクロンの有効均一厚さを有する態様では、水性組成物が処理された表面から急速に蒸発でき、それにより、望ましくない成分及び廃棄物を除去するためのさらなる処理の必要性が排除されるとともに、表面が位置される領域のより速い回転率が促進される。したがって、そのような態様は、消毒されるべき表面を有する容積空間の高い回転率を促進させるために、不揮発性塩及び高分子量材料が控えめに使用されるか又は完全に省かれることを必要とする。ある態様において、水性組成物は、少なくとも約９５重量％、少なくとも約９９重量％、少なくとも約９９．５重量％、少なくとも約９９．７重量％、少なくとも約９９．９重量％の反応層を有する、少なくとも約９０重量％の反応層が形成されてから３０分以内に蒸発できるように揮発度を有する。
【０１５６】
水性組成物が１つ以上の表面上に堆積された後に水性組成物の揮発度を高めるために、各水性組成物の個々の成分は、表面が消毒された後に表面上に長く残存するあまり不安定でない成分と比較して比較的高い標準蒸気圧を有するように選択することができる。水性組成物のいくつかの典型的な成分の標準蒸気圧が以下の表１に挙げられる。有機酸化合物と反応しなかった表面上の過酸化水素がその後に水と酸素ガスとに分解し、そのそれぞれが過酸化水素自体よりもはるかに揮発性があることに留意されたい。
【０１５７】
【表１】
2020537565.tif 000004
【０１５８】
したがって、ある態様において、少なくとも約９９．０重量％の成分、もしくは少なくとも約９９．５重量％又は少なくとも約９９．９重量％の水性組成物内の成分が２０℃で少なくとも１．０ｍｍＨｇの標準蒸気圧を有するように水性組成物の一方又は両方を配合することができる。さらなる態様において、水性組成物の重量でほぼ１００％の成分が２０℃で少なくとも約１．０ｍｍＨｇの蒸気圧を有するように水性組成物の一方又は両方を配合することができる。
【０１５９】
第１の水性組成物及び第２の水性組成物を多数の微小液滴として分散させることは、大量の液体と接触された後に損傷されるようになり得る材料を含むより幅広い範囲の材料を消毒するのに特に有用である。非限定的な例では、特に水性組成物を構成する成分が揮発性であって表面が消毒された後に容易に蒸発する場合、水性組成物を多数の微小液滴として分散させて表面上にミクロン厚の反応層を形成することによって、乾燥するか又は修復可能にすることができる乾式壁、カーペット、断熱材、天井タイル、木材、及びコンクリートなどの冠水又は洪水で損傷した多孔質及び半多孔質材料を消毒できる。
【０１６０】
前述したように、本発明のある態様において、１つ以上の水性組成物は、界面活性剤、ポリマー、キレート剤、及び金属コロイド又は金属ナノ粒子から実質的にフリーであり、特に食品グレードの成分のみを有することができる。しかしながら、他の態様において、特に水性組成物が表面上に堆積されてしまった時点での水性組成物の揮発度が問題とならない状況において、容積空間内の表面の消毒を補完するために水性組成物のうちの少なくとも１つに化学安定剤又はエンハンサーを有することは有利となり得る。そのような化学安定剤又はエンハンサーとして、界面活性剤、ポリマー、キレート剤、金属コロイド及び／又は金属ナノ粒子、酸化剤、及び他の化学添加剤を、これらの組合せを含めて挙げることができるが、これらに限定されず、その使用は、米国特許第６，６９２，６９４号、第７，３５１，６８４号、第７，４７３，６７５号、第７，５３４，７５６号、第８，１１０，５３８号、第８，６７９，５２７号、第８，７１６，３３９号、第８，７７２，２１８号、第８，７８９，７１６号、第８，９８７，３３１号、第９，０４４，４０３号、第９，１９２，９０９号、第９，２４１，４８３号、及び第９，５４０，２４８号、並びに米国特許出願公開第２００８／００００９３１号、第２０１３／０１９９５３９号、第２０１４／０１７８２４９号、第２０１４／０２３８４４５号、第２０１４／０２７５２６７号、及び、第２０１４／０３２８９４９号に記載され、これらの特許の開示内容は、参照によりそれらの全体が本願に組み入れられる。
【０１６１】
ある態様において、前述の界面活性剤、ポリマー、キレート剤、金属コロイド及び／又は金属ナノ粒子、酸化剤、並びに他の化学添加剤などの１つ以上の化学安定剤又はエンハンサーを、過酸反応化合物を含有する前述の第１又は第２の水性組成物に加えて１つ以上の水性組成物内に送出又は分散させることができる。
【０１６２】
同様に、過酸反応化合物を有する第１の水性組成物及び第２の水性組成物に加えて容積空間内に１つ以上の補足的な水性組成物を分散させることができる。そのため、単一の処理の過程で、本発明の方法にしたがって、３つ以上の水性組成物を利用して分散させることができる。したがって、そのような態様において、過酸反応化合物は、方法中に分散される任意の２つの別個の水性組成物によって送出することができるとともに、過酸化物化合物及び有機酸化合物が２つの別個の組成物の一部として分散されて過酸が消毒されるべき表面上にその場で形成される限り、分散される「第１」又は「第２」の水性組成物中に必ずしも含まれる必要はない。
【０１６３】
したがって、ある態様において、容積空間内の表面を消毒する方法は、ａ）過酸化物化合物又は過酸化物化合物と反応して過酸を形成することができる有機酸化合物のいずれかである第１の過酸反応化合物を有する第１の水性組成物の多数の微小液滴を容積空間内へ分散させる工程；ｂ）第１の水性組成物の多数の微小液滴が容積空間の全体にわたって分布するとともに表面上に堆積して第１の水性組成物層へと合体するのに十分な時間を割り当てる工程；ｃ）第１の過酸反応化合物の他方である第２の過酸反応化合物を有する第２の水性組成物の多数の微小液滴を容積空間内へ分散させる工程；及びｄ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程を有することができ、該方法は、容積空間に１つ以上の補足的な水性組成物を分散させる工程、及びそれぞれの分散された補足的な水性組成物が容積空間全体にわたって分布して表面上に堆積するのに十分な時間を割り当てる工程をさらに有する。その結果、第１の水性組成物を容積空間内に分散させる前に、第１の水性組成物層が表面上に形成された後において第２の水性組成物を容積空間内に分散させる前に、又は過酸が表面上の反応層内でその場で形成された後に、これらの組み合わせを含めて、補足的な水性組成物を容積空間内に分散させることができる。
【０１６４】
第１の水性組成物及び第２の水性組成物と同様に、補足的な水性組成物は、モップ、布、又はスポンジを用いて表面に直接に塗布することができる、ホース又は機械的に粗いスプレーデバイスから液体流として表面上に流すことができるか、又は冷却されて微小液滴へと凝縮された蒸気として水性組成物が分散されるときに多数の微小液滴が形成される方法を含めて、多数の微小液滴として容積空間内へ分散することができる。
【０１６５】
ある態様において、補足的な水性組成物の同一性は、過酸除去組成物、農薬組成物、及び環境調整組成物からなる群から選択することができる。
【０１６６】
過酸除去組成物は、表面が消毒された後に表面に残存する任意の過剰な過酸を低減するか又は排除することができる成分を有する。ある態様において、過酸除去組成物は、金属ハロゲン化物化合物を有するとともに、過酸が表面上の反応層内にその場で形成された後に分散され、この場合、金属ハロゲン化物化合物は、ヨウ化物、臭化物、又は塩化物、特にヨウ化カリウム、塩化カリウム、及び塩化ナトリウムからなる群から選ばれる金属ハロゲン化物化合物、とりわけヨウ化カリウムを有する。他の態様において、消毒されるべき表面上に過酸が形成された後の過酸除去組成物の分散は、容積空間を居住可能な状態に戻して人々が入ることができるようにするために必要な空気交換の数を軽減することができる。非限定的な例として、過酸除去組成物は、第１の水性組成物及び第２の水性組成物が蒸気として分散されるときに容積空間内に存在し得る残存微小液滴を中和して除去するために最終工程として容積空間内へ分散させることができる。
【０１６７】
水溶液系において、ハロゲン化物イオンは、過酸、特に過酢酸と反応して様々な生成物を形成することが知られている（Shah, A.D. et al., (2015) Environmental Science & Technology 49:1698-1705参照）。Shahにおいて分かるように、水溶液中での最も一般的な反応は、酸、酢酸塩、及び水を形成する反応である。次亜ヨウ素酸を形成するための過酢酸とヨウ化物イオンとの間の化学反応を以下の反応（２）に示す。
ＣＨ３Ｃ（Ｏ）ＯＯＨ＋Ｉ−→ＨＯＩ＋ＣＨ３ＣＯＯ−＋Ｈ２Ｏ  （２）
ここで、ｋ＝４．２ｘ１０２Ｍ−１ｓ−１（文献値）である。塩化物イオン又は臭化物イオンとの反応は、同様の次亜ハロゲン酸生成物、次亜塩素酸（ＨＯＣｌ）、及び次亜臭素酸（ＨＯＢｒ）をそれぞれ形成する。しかしながら、過酸とハロゲン化物イオンとの間の反応は、いくつかの反応が同時に進行する複合的平衡をもたらす。例えば、過酸化水素などの過酸化物の存在下では、次亜ハロゲン酸が急速に解離して親ハロゲン化物、酸素、及び水を形成する。次亜ヨウ素酸に関する解離反応を以下の反応（３）に示す。
ＨＯＩ＋ＨＯ２−→Ｉ−＋１／２Ｏ２＋Ｈ２Ｏ  （３）
ここで、ｋ＝１ｘ１０１０Ｍ−１ｓ−１（推定）である。さらに、酸の存在下で、過酸化水素などの過酸化物は、二原子ハロゲン化物を形成するために、ハロゲン化物イオンとの酸化還元反応を直接に起こすことができる。過酸化水素とヨウ化物イオンとの間の反応（Sattsangi, P.D., (2011) Journal of Chemical Education 88(2):184-188参照）を以下に示す。
２Ｉ−＋Ｈ２Ｏ２＋２Ｈ＋→Ｉ２＋Ｈ２Ｏ  （４）
ここで、ｋ＝８．９ｘ１０−３Ｍ−１ｓ−１（文献値）である。
【０１６８】
十分に高い濃度において、次亜ヨウ素酸、特にＨＯＣｌ及びＨＯＢｒ、並びに、二原子の臭素、塩素、又は、ヨウ素は、化合物と接触する人又は動物に有毒となり得る。しかしながら、過酸化水素及び過酢酸が系内に存在する限り、以下のスキーム（Ｓ１）に示されるように、反応（２），（３）が触媒サイクルを形成する。
【０１６９】
【化２】
2020537565.tif 000005
【０１７０】
ここで、ＰＡＡＨは過酢酸の酸性形態である。特定の理論により制限されることなく、スキーム（Ｓ１）における触媒サイクルは、各反応における速度定数に起因して、反応（４）ではなく水溶液中で容易に起こると考えられる。反応（４）におけるＩ２の形成は好ましくない。これは、反応が反応（２）よりも約５桁の大きさだけ遅く且つ反応（３）よりも約１３桁の大きさだけ遅いことを反応（４）における速度定数が示すからである。過酸化物化合物、特に過酸化水素が有機酸化合物、特に酢酸を超えて添加される態様において、触媒サイクルは、全ての過酸が除去されるまで続き、それにより、溶液が蒸発するか又は表面が手動で乾燥されるまで過酸化物及びハロゲン化物が溶液中に残存する。
【０１７１】
歴史的に、ヨウ化物は系内の過酸の濃度を評価するために使用されてきた。これは、その開示内容が参照により全体的に本願に組み入れられる米国特許第３，４８５，５８８号に記載されるように、形成されたヨウ素の量が系内の過酸の量に比例するからである。ヨウ化カリウムはヨウ化物イオンの極めて一般的な供給源であり、過酸と反応するのに用いることができるヨウ化カリウムの濃度は、溶液中でのその溶解度によって効果的に制限されるとともに、水１００グラム当あたり１００グラムもの高濃度（約６モル／リットルに相当）で溶液に含まれ得る。しかしながら、高濃度のヨウ化カリウムの使用は、溶液中での過剰なヨウ素イオン又は三ヨウ化物イオンの形成により望ましくない残留物をもたらし得る。結果として、１００万分の１（１リットルあたり約１．８７ｘ１０−５モルに相当）という低い濃度を含むより低い濃度のヨウ化カリウムを利用できる。これは、特に、スキーム（Ｓ１）におけるプロセスが触媒的であり、過酸化水素との次亜ヨウ素酸の反応時に系内のヨウ化物が回復されるからである。したがって、ある態様において、過酸除去組成物は、少なくとも約０．００００１モル／リットル、０．０００１モル／リットル、０．００１モル／リットル、０．０１モル／リットル、０．１モル／リットル、又は１モル／リットルのヨウ化カリウムを有する、少なくとも約０．０００００１モル／リットルのヨウ化カリウム、最大で約６モル／リットルのヨウ化カリウムを有する。他の態様では、反応層中にその場で形成される過酸の化学量論量以上の化学量論量の金属ハロゲン化物化合物が分散され、それにより、形成される過酸のほぼ全てが表面から除去される。
【０１７２】
農薬組成物は、任意の市販の又は合成可能な殺菌剤、殺鼠剤、除草剤、幼虫駆除剤、又は殺虫剤を、これらの組合せを含めて、特に多数の微小液滴として又は蒸気として液体流によって塗布することができる農薬を有することができる。ある態様において、含まれる農薬は、寄生虫、昆虫、線虫、軟体動物、真菌、及び齧歯類を含むがこれらに限定されない害虫に対抗してその場で生み出される過酸の活性をもたらすか、補完するか、又は高めることができる。
【０１７３】
非限定的な例として、ナンキンムシ又はシロアリの制御及び／又は根絶に特異的な１つ以上の農薬を農薬組成物に含めることができる。特にナンキンムシの場合、環境保護庁は、ピレスリン、ピレスロイド、ピロール、ネオニコチノイド、乾燥剤、昆虫成長調整剤、及び他の生化学的化合物を含む７つの化学物質クラス内で３００を超える農薬化合物を定義してきた。ピレスリン及びピレスロイドは、ナンキンムシ及び他の屋内害虫を制御するのに用いられる最も一般的な化合物であり、特にピレスロイドは、液滴又は蒸気として分散される際に有効であることが分かっている。しかしながら、一部のナンキンムシの個体群は、ピレトリン及びピレスロイドに耐性がある。これらの状況では、乾燥剤、ピロール、ネオニコチノイド、及びニーム油を含む他の生化学物質が、異なる物理的及び／又は化学的作用形態を使用して作用するため、ナンキンムシに対して有効であることが分かっている。乾燥剤の非限定的な例として、珪藻土及びホウ酸が挙げられる。昆虫成長調整剤は、ナンキンムシに対して使用される他のクラスの農薬と組合せて又は該農薬とは別個に使用可能であり、ナンキンムシの個体数を殺すように必ずしも作用せず、外骨格を形成できるナンキンムシの能力に影響を与えるか又は成虫へのナンキンムシの発育を変えることによってナンキンムシの能力に影響を与えることができる。
【０１７４】
当業者は、特定の感染個体群に対して有効である特定の化学物質クラス内の化合物、並びにそのような化学物質との接触からユーザ又は第三者を保護するために必要な措置を認識して特定することができる。過酸反応化合物を噴射してその場で表面上に過酸を形成することに関連して、１つ以上の農薬をさらに分散させることは、微視的及び巨視的のいずれものほぼ全ての害虫を領域内の表面から効果的に且つ強力に排除できる可能性を有する。ある態様において、農薬組成物は、第１の水性組成物を容積空間内へ分散させる前に容積空間内に分散される。他の態様において、過酸が表面上の反応層中にその場で形成された後、農薬組成物が容積空間内に分散される。
【０１７５】
非限定的な例として、抗ナンキンムシ農薬組成物は、宿泊者間でホテルの部屋を消毒する過程において本発明の方法と組合せて分散されることができる。
ある態様において、農薬組成物は、ピレスリン、ピレスロイド、ピロール、ネオニコチノイド、乾燥剤、昆虫成長調節剤、及びニーム油からなる化合物のクラスから選択される１つ以上の化合物を有することができる。さらなる態様において、農薬組成物がピレスリン又はピレスロイドを有する。
【０１７６】
環境調整組成物は、第１の水性組成物、第２の水性組成物、又は任意の他の補足的な水性組成物を分散させるための容積空間の準備、ヒト又は動物が入ることができる状態に容積空間を戻すこと、及び／又は表面が消毒された後に表面上の過酸の濃度の希釈することを含むいくつかの用途のために第１の水性組成物及び第２の水性組成物を分散させることと相まって利用することができる。
【０１７７】
ある態様において、環境調整組成物は、水から本質的になる。水から本質的になる分散組成物は、本明細書中で提示される方法と組合せて実施することができる前処理工程、中間工程、及び仕上げ工程に関していくつかの随意的な可能性を広げる。例えば、ある態様において、方法は、第１の水性組成物を容積空間内に分散させる前に容積空間内に分散させる工程をさらに有することができる。第１の水性組成物の前に環境調整組成物を分散させることにより、容積空間内の湿度を上昇させることができるとともに、過酸反応化合物が消毒されるべき表面に到達する前に第１又は第２の水性組成物が蒸発するのを抑制するか又は防止することができる。ある態様において、環境調整組成物が容積空間の全体にわたって分布するのに十分な時間は、少なくとも約６０、７０、８０、９０、又は９５パーセントを含む、少なくとも約５０パーセント、最大で約９９パーセントの相対湿度を容積空間に持たせるのに十分な時間である。さらなる態様において、環境調整組成物が容積空間の全体にわたって分布するのに十分な時間は、少なくとも約９０パーセントの相対湿度を容積空間に持たせるのに十分な時間である。当業者は、容積空間内の大気条件並びに容積空間のデカルト寸法に基づいて所望の相対湿度に到達するために分散すべき本質的に水からなる環境調整組成物の必要な量を決定することができる。
【０１７８】
他の態様において、第１の水性組成物層が表面上に形成された後、第２の水性組成物を容積空間内に分散させる前に、環境調整組成物を容積空間内に分散させて、空気からの第１の水性組成物の任意の過剰の又は残存する微小液滴と合体させ、微小液滴の堆積を促進させることができる。他の態様において、過酸が表面上にその場で形成された後を含めて、第２の水性組成物が分散された後に、環境調整組成物を容積空間内に分散させて、容積空間内の第２の水性組成物の任意の過剰な又は残存する微小液滴と合体させ、微小液滴の堆積を促進させるか、又は表面が消毒された後に表面上の過酸濃度を希釈することができる。過酸反応化合物を有する任意の水性組成物の過剰な又は残存する浮遊微小液滴を除去することにより、容積空間を、消毒中に分散される化学成分のいずれもから実質的にフリーである状態にすることができる。
【０１７９】
さらに、環境調整組成物は、心地よい匂いを伴う容積空間を残すために、さらに芳香性化合物から本質的になることができる。芳香性化合物として、オレガノ、タイム、レモングラス、レモン、オレンジ、アニス、クローブ、アニシード、シナモン、ゼラニウム、バラ、ミント、ペパーミント、ラベンダー、シトロネラ、ユーカリ、サンダルウッド、シーダー、ロスマリン、マツ、バーベインフリーグラス、及びラタニアなどの前述のエッセンシャルオイルのうちの１つ以上、又はメチルグリオキサル、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントールなどのエッセンシャルオイルを含む芳香族化合物を挙げることができる。さらなる態様において、環境調整組成物が約０．００１重量％〜約１重量％の芳香性化合物を含む。
【０１８０】
他の態様において、水から本質的になる複数の環境調整組成物が方法の過程中に分散される。ある態様において、水から本質的になる環境調整組成物は、第１の水性組成物を容積空間内に分散させる前に容積空間内に分散され、水から本質的になる環境調整組成物は、過酸が表面上の反応層中にその場で形成された後に容積空間内に分散される。他の態様において、水から本質的になる環境調整組成物は、第１の水性組成物を容積空間に分散させる前に容積空間に分散され、水から本質的になる環境調整組成物は、第１の水性組成物が表面上に形成された後、第２の水性組成物を容積空間内に分散させる前に、容積空間内に分散される。他の態様において、水から本質的になる環境調整組成物は、第１の水性組成物層が表面上に形成された後、第２の水性組成物を容積空間内に分散させる前に、容積空間内に分散され、水から本質的になる環境調整組成物は、過酸が表面上の反応層中にその場で形成された後に容積空間内に分散される。他の態様において、水から本質的になる環境調整組成物は、第１の水性組成物を容積空間内に分散させる前に容積空間内に分散され、水から本質的になる環境調整組成物は、第１の水性組成物層が表面上に形成された後、第２の水性組成物を容積空間内に分散させる前に、容積空間内に分散され、水から本質的になる環境調整組成物は、過酸が表面上の反応層中にその場で形成された後、容積空間内に分散される。
【０１８１】
微小液滴として分散される場合、任意の補足的な水性組成物の多数の微小液滴の有効直径は、第１の水性組成物又は第２の水性組成物と同様に制御することができる。ある態様において、補足的な水性組成物の圧倒的多数の微小液滴の有効直径は、少なくとも約１０ミクロン、２０ミクロン、３０ミクロン、４０ミクロン、５０ミクロン、又は約１００ミクロンを含む、少なくとも約１ミクロンである。他の態様において、補足的な水性組成物の圧倒的多数の微小液滴の有効直径は、約２０ミクロン〜約３０ミクロンである。さらに他の態様において、圧倒的多数の微小液滴は、約１０ミクロン、２０ミクロン、３０ミクロン、４０ミクロン、５０ミクロン、又は約１００ミクロン以下を含む、約１ミクロン以下の有効直径を有する。補足的な水性組成物のいずれかの多数の微小液滴の有効直径に関する有用な範囲は、約１ミクロン及び約１００ミクロンを含めてこれらの間の任意の値から選択することができる。そのような範囲の非限定的な例として、約１ミクロン〜約１００ミクロン、約１０ミクロン〜約１００ミクロン、約２０ミクロン〜約１００ミクロン、約３０ミクロン〜約１００ミクロン、約４０ミクロン〜約１００ミクロン、約５０ミクロン〜約１００ミクロン、又は約２０ミクロン〜約３０ミクロンを挙げることができる。
【０１８２】
ある態様において、複数の補足的な水性組成物を同じ消毒方法内で分配することができる。非限定的な例として、環境調整組成物及び過酸除去組成物を分配すること、農薬組成物及び過酸除去組成物を分配すること、環境調整組成物及び農薬組成物を分配すること、又は環境調整組成物、農薬組成物、及び過酸除去組成物を分配することをさらに有する方法を挙げられる。さらなる態様において、本発明の方法は、複数の環境調整組成物並びに農薬組成物及び過酸除去組成物のいずれか又は両方を分配することをさらに有する。
【０１８３】
非限定的な例として、容積空間内の消毒を必要とする表面を消毒する方法は、ａ）水から本質的になる環境調整組成物を容積空間内へ分散させる工程；ｂ）環境調整組成物が容積空間の全体にわたって分布して少なくとも約６０、７０、８０、９０、又は９５パーセントを含む、少なくとも約５０パーセント、最大で約９９パーセントの相対湿度を容積空間に持たせるのに十分な時間を割り当てる工程；ｃ）過酸化物化合物又は過酸化物化合物と反応して過酸を形成できる有機酸化合物のいずれかである第１の過酸反応化合物を有する第１の水性組成物の多数の微小液滴を容積空間内へ分散させる工程；ｄ）第１の水性組成物の多数の微小液滴が容積空間の全体にわたって分布するとともに表面上に堆積して第１の水性組成物層へと合体するのに十分な時間を割り当てる工程；ｅ）第１の過酸反応化合物の他方である第２の過酸反応化合物を有する第２の水性組成物の多数の微小液滴を容積空間内へ分散させる工程；ｆ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程；ｇ）金属ハロゲン化物化合物を有する過酸除去組成物を容積空間内に分散させる工程；及びｈ）過酸除去組成物が容積空間の全体にわたって分布して消毒された表面上に堆積するのに十分な時間を割り当てる工程；を有することができる。さらなる態様において、該方法は、ｉ）水から本質的になる環境調整組成物を容積空間内に分散させる工程、及びｊ）環境調整組成物が容積空間の全体にわたって分布して消毒された表面上に堆積するのに十分な時間を割り当てる工程をさらに有する。さらに他の態様において、工程ｉ）における環境調整組成物は、さらに芳香性化合物から本質的になる。
【０１８４】
他の非限定的な例において、容積空間内の消毒を必要とする表面を消毒する方法は、ａ）水から本質的になる環境調整組成物を容積空間内へ分散させる工程；ｂ）環境調整組成物が容積空間の全体にわたって分布して少なくとも約６０、７０、８０、９０、又は、９５パーセントを含む、少なくとも約５０パーセント、最大で約９９パーセントの相対湿度を容積空間に持たせるのに十分な時間を割り当てる工程；ｃ）農薬組成物を容積空間内に分散させる工程；ｄ）農薬組成物が容積空間の全体にわたって分布して表面上に堆積するのに十分な時間を割り当てる工程；ｅ）過酸化物化合物又は過酸化物化合物と反応して過酸を形成できる有機酸化合物のいずれかである第１の過酸反応化合物を有する第１の水性組成物の多数の微小液滴を容積空間内へ分散させる工程；ｆ）第１の水性組成物の多数の微小液滴が容積空間の全体にわたって分布するとともに表面上に堆積して第１の水性組成物層へと合体するのに十分な時間を割り当てる工程；ｇ）第１の過酸反応化合物の他方である第２の過酸反応化合物を有する第２の水性組成物の多数の微小液滴を容積空間内へ分散させる工程；ｈ）第２の水性組成物の多数の微小液滴が合体された第１の水性組成物層上に堆積して表面上に反応層を形成するのに十分な第２の時間を割り当て、それにより、反応層内に過酸をその場で形成して表面を消毒する工程；ｉ）金属ハロゲン化物化合物を有する過酸除去組成物を容積空間内に分散させる工程；及びｊ）過酸除去組成物が容積空間の全体にわたって分布して消毒された表面上に堆積するのに十分な時間を割り当てる工程を有することができる。さらなる態様において、方法は、ｋ）水から本質的になる環境調整組成物を容積空間内に分散させる工程；ｌ）環境調整組成物が容積空間の全体にわたって分布して消毒された表面上に堆積するのに十分な時間を割り当てる工程をさらに有する。さらに他の態様において、工程ｋ）で容積空間内に分散される環境調整組成物は、芳香性化合物からさらに本質的になる。他のさらなる態様において、工程ｃ）で容積空間に分散される農薬組成物は、殺虫剤、特にナンキンムシ又はシロアリを殺すように構成される殺虫剤を有する。
【０１８５】
補足的な水性組成物のうちの１つ以上を利用する結果として、本発明は、特に、既に形成された過酸がスプレー、霧、又は、蒸気として分散される消毒用途において、既に形成された過酸を使用して表面を消毒するためのより安全で潜在的により効果的な方法も提供する。前述のように、表面を消毒するために使用される市販の過酸組成物に関連する問題は、一般に、少なくとも重量で約０．０５％、０．１％、０．２５％、０．５％、０．７５％、１％、５％、１０％、２０％、又は３０％を含む、少なくとも約０．０１重量％の過酸、最大で約４０％の過酸を含む（http://www.cdc.gov/infectioncontrol/guidelines/disinfection/disinfection-methods/chemical.html，ｐａｇｅ最終更新日２０１６年９月１８日において見られる疾病対策センター「医療施設における消毒及び滅菌のガイドライン（２００８）（Guideline for Disinfection and Sterilization in Healthcare Facilities (2008)）」参照）。
【０１８６】
ある態様において、予め形成された過酸を用いて容積空間内の消毒を必要とする表面を消毒する方法は、ａ）過酸を有する第１の水性組成物の多数の微小液滴を容積空間内に分散させる工程；ｂ）第１の水性組成物が容積空間の全体にわたって分布して表面上に堆積するのに十分な時間を割り当て、それにより、表面を消毒する工程を有し、該方法は、過酸除去組成物、農薬組成物、及び環境調整組成物からなる群から選ばれる１つ以上の補足的な水性組成物の多数の微小液滴を容積空間に分散させ、それぞれの分散された補足的な水性組成物が容積空間の全体にわたって分布して表面上に堆積するのに十分な時間を割り当てる工程をさらに有する。さらなる態様において、過酸がペルオキシ酢酸である。
【０１８７】
特に、過酸を容積空間内及び／又は表面上に分散させた後に過酸除去組成物を利用することは、分散された後に容積空間からの任意の過剰な又は残存する過酸の堆積を促進させるか、又は表面が消毒された後に表面から過酸を除去することによって容積空間からの任意の過剰な又は残存する過酸の堆積を促進させることができる。過酸が消毒されるべき表面上にその場で形成される本発明の他の方法と同様に、過酸除去組成物は、金属ハロゲン化物化合物、特に、ヨウ化カリウム、塩化カリウム、及び塩化ナトリウムからなる群から選ばれる金属ハロゲン化物化合物、とりわけヨウ化カリウムを有することができる。過酸は、消毒されるべき表面に形成されるのではなく予め形成される組成物中にあるため、一部の態様では、容積空間内に分散される金属ハロゲン化物化合物の化学量論量が容積空間内に分散される過酸の量以上であるように分散し、分散される過酸のほぼ全てが容積空間から除去されるようにすることが望ましいか又は有利となり得る。さらなる態様において、容積空間内に分散される金属ハロゲン化物の化学量論量は、容積空間内に分散される過酸の量の少なくとも３倍、４倍、５倍、１０倍、２５倍、５０倍、又は１００倍を含む、容積空間内に分散される過酸の量の少なくとも２倍である。ヨウ化カリウムが過酸除去組成物中に含まれる場合、過酸除去組成物は、少なくとも約０．００００１モル／リットル、０．０００１モル／リットル、０．００１モル／リットル、０．０１モル／リットル、０．１モル／リットル、又は約１モル／リットルのヨウ化カリウムを有する、少なくとも約０．０００００１モル／リットルのヨウ化カリウム、最大で約６モル／リットルのヨウ化カリウムを有することができる。
【０１８８】
同様に、水から本質的になる環境調整組成物は、予め形成される過酸を有する第１の水性組成物を分散させる前又は後のいずれかに分散されることができる。特に、第１の水性組成物を分散させた後に環境調整組成物を分散させることは、容積空間内の表面が消毒された後に容積空間内に残存するか又は過剰な過酸を希釈するか、減少させるか、又は除去するという効果を有することができる。さらに、環境調整組成物は、本質的に、芳香性化合物、特に、メチルグリオキサール、カルバクロール、オイゲノール、リナロール、チモール、ｐ−シメン、ミルセン、ボルネオール、カンファー、カリオフィリン、シンナムアルデヒド、ゲラニオール、ネロール、シトロネロール、及びメントールからなる群から選ばれる芳香性化合物から、これらの組合せを含めて、さらに成ることができる。
【０１８９】
一方、第１の水性組成物を容積空間内に分散させる前に環境調整組成物が容積空間内に分散される場合、方法は、環境調整組成物が容積空間の全体にわたって分布して少なくとも約６０、７０、８０、９０、又は、９５パーセントを含む、少なくとも約５０パーセント、最大で約９９パーセントの相対湿度を容積空間に持たせるのに十分な時間を割り当てて、容積空間内の全ての所望の表面上への第１の水性組成物の被覆率及び堆積を高める工程をさらに有することができる。
【０１９０】
消毒されるべき表面上にその場で過酸が形成される態様と同様に、補足的な水性組成物の任意の組合せを、予め形成された過酸を有する第１の水性組成物と共に順次に分散させることができる。非限定的な一例では、第１の水性組成物を分散する前に、水から本質的になる環境調整組成物を容積空間内に分散させることができ、表面が消毒された後に、過酸除去組成物を容積空間内に分散させることができる。他の非限定的な例では、第１の水性組成物を分散させる前又は後のいずれかに、農薬組成物を容積空間内に分散させることができる。さらに他の非限定的な例では、第１の水性組成物を分散させる前に農薬組成物を容積空間内に分散させることができ、表面が消毒された後に過酸除去組成物を容積空間内に分散させることができ、ほぼ全ての過酸が容積空間から除去された後に、水と芳香性化合物とから本質的になる環境調整組成物を容積空間内に分散させることができる。当業者であれば分かるように、予め形成された過酸を有する第１の水性組成物の分散と併せて１つ以上の補足的な水性組成物を順次に分散させるいくつかの他の組合せが存在する。
【０１９１】
本発明の他の態様、特に水性組成物が液体流、多数の液滴、又は蒸気として分散される態様では、第１の水性組成物、第２の水性組成物、又は任意の補足的な水性組成物のいずれかが容積空間の全体にわたって分布して表面上に堆積するか、及び／又は表面上に水性組成物層を形成するのに十分な時間を特定の時間単位であると規定することができる。非限定的な例として、機械化又は自動化されたスプレーシステム、噴霧システム、又は送出システムは、後述するように、水性組成物の分散と後続の水性組成物の分散との間の遅延を必要とするためのプログラミングを含むことができる。ある態様において、水性組成物が容積空間の全体にわたって分布するか、及び／又は表面上に堆積するのに十分な時間は、約１０秒、３０秒、１分、２分、３分、４分、５分、又は１０分を含む少なくとも約１秒、最大で少なくとも約１５分である。
【０１９２】
他の非限定的な例において、容積空間内の消毒を必要とする表面を消毒する方法は、ａ）過酸化物化合物又は過酸化物化合物と反応して過酸を形成することができる有機酸化合物のいずれかである第１の過酸反応化合物を有する所定量の第１の水性組成物を表面上に分配する工程；ｂ）第１の水性組成物が表面上に堆積して表面上で第１の水性組成物層へと合体するのに十分な時間を割り当てる工程であって、十分な時間が、約１０秒、３０秒、１分、２分、３分、４分、５分、又は、１０分を含む、少なくとも約１秒、最大で少なくとも約１５分である工程；ｃ）第１の過酸反応化合物の他方である第２の過酸反応化合物を有する第２の水性組成物を表面上に分配する工程；ｄ）第２の水性組成物が表面上に堆積して合体された第１の水性組成物層と組み合わさって表面上に反応層を形成するのに十分な第２の時間を割り当てる工程であって、十分な第２の時間が、約１０秒、３０秒、１分、２分、３分、４分、５分、又は１０分を含む、少なくとも約１秒、最大で少なくとも約１５分であり、それにより、反応層中にその場で過酸を形成して表面を消毒する工程を有することができる。さらに他の態様において、方法は、１つ以上の補足的な水性組成物を容積空間内に分散させる工程；及びそれぞれの分散された補足的な水性組成物が容積空間の全体にわたって分布して表面上に堆積するのに十分な時間を割り当てる工程であって、十分な時間が約１０秒、３０秒、１分、２分、３分、４分、５分、又は１０分を含む、少なくとも約１秒、最大で少なくとも約１５分である工程をさらに有する。
【０１９３】
本発明の他の態様において、前述した水性組成物のいずれかの多数の微小液滴を静電的に帯電させることができる。静電噴射の例は、米国特許第６，６９２，６９４号に記載されており、本特許の開示内容は参照によりその全体が本願に組み入れられる。図１は、従来技術に係る市販の静電スプレーデバイス１１０の例を示す。静電スプレーデバイス１１０は、ハウジング１１２；液体を貯留するためにハウジング１１２と関連付けられる容器１１４；液体のエアロゾル化された微小液滴を分配するために容器１１４と液体連通する複数のノズル１１６；及び微小液滴が分散された後に微小液滴に静電荷を与えることができる高電圧帯電システム１１８を有する。当業者であれば分かるように、正電荷のみを有する微小液滴を噴射するデバイス、負電荷のみを有する微小液滴を噴射するデバイス、及び任意の所望の電荷を有する微小液滴を選択的に噴射するように調整可能なデバイスを有する任意の静電スプレーデバイスを利用して、静電的に帯電された微小液滴を分散させることができる。ある態様において、正、負、又は中性のいずれかの電荷を有する微小液滴を選択的に噴射するように調整可能な静電スプレーデバイスを利用することができる。
【０１９４】
消毒されるべき表面上へのより効果的な標的とされる分散、視線外の垂直面上及び下面上への塗布、及び表面上での過酸形成前の過酸反応化合物の活性の向上を含むがこれらに限定されない、静電荷を伴う微小液滴を分散させることによって十分に引き出され得るいくつかの利点がある。理論により制限されることなく、多数の同様に帯電した微小液滴がクーロンの法則にしたがって互いに反発するため、静電荷の印加が水性組成物のより効果的な分散をもたらすと考えられる。図２に示すように、静電スプレーデバイス２１６のノズルから分配される負に帯電した粒子２２０は、正又は中性に帯電した表面２３０の全ての面上に堆積する。微小液滴は、領域又は容積空間の全体にわたって均等にさらに分布して、微小液滴間の距離を最大にしようとして物体の背面及び下面を含む様々な表面上に堆積する。
【０１９５】
容積空間内に分散される水性組成物の量に起因して、同様に帯電した粒子は、表面上で層へと自然発生的に合体することができる。ある態様において、第１の水性組成物は、消毒されるべき表面上に第１の水性組成物層の均一に分布した層をもたらすように静電的に帯電され、その後、第２の水性組成物が容積空間内に分散される。他の態様において、第１の水性組成物の多数の微小液滴とは反対の極性で第２の水性組成物の多数の微小液滴を静電的に帯電させて、第１の水性組成物層と第２の水性組成物の多数の微小液滴との間に吸引力を生み出し、消毒されるべき表面上に反応層を形成するべく過酸反応化合物を互いに接触させるようにすることによってクーロンの法則をさらに利用できる。
【０１９６】
さらに、水性組成物上に配置される静電荷は、過酸反応化合物の反応性を高めるように選択することができる。ある態様において、過酸化物化合物を有する水性組成物には負電荷を電気噴射することができる一方、有機酸化合物を有する水性組成物には正電荷を電気噴射することができる。他の態様において、過酸化物化合物を有する水性組成物には正電荷を電気噴射することができるとともに、有機酸化合物を有する水性組成物には負電荷を噴射する。最終的に、いずれかの水性組成物中に存在する成分の同一性とは無関係に、静電荷の任意の組合せ（正、負、又は中性）を任意の水性組成物に印加することができる。
【０１９７】
消毒されるべき表面上への水性組成物の堆積を増大させて過酸形成反応を高めることに加え、エレクトロスプレー技術を利用することは、本明細書中に記載される方法にさらなる補足的な利益をもたらす。静電的に帯電された微小液滴が表面に関して有する吸引力は、消毒されるべき表面上での反応を促進するのに有益であるが、消毒中に誰かが容積空間に入る場合には付加的な安全対策ももたらす。特定の理論により制限されることなく、さもなければ誰かの肺深部に侵入するより小さい微小液滴は、代わりにその人物の鼻腔又は口の表面に引き付けられ、微小液滴の影響は、もしあれば、容易に無効にすることができると考えられる。さらに、同様に帯電された粒子が受ける反発により、微小液滴は、重力によって地面に押し付けられることなく空気中に長時間にわたって留まることができる。したがって、より大きい微小液滴サイズを使用することができ、より大きい容積空間内の表面の消毒を促進させることができる。
【０１９８】
ある態様において、静電スプレーによって第１の水性組成物を分散させる前に容積空間内の表面を電気的に接地させることもできる。さらなる態様において、表面を接地させることができる。電気的吸引力が接地面と容積空間内の帯電した微小液滴との間にもたらされるため、微小液滴が優先的に又は接地面のみに引き寄せられるようになり得る。非限定的な例として、ドアハンドル、蛇口、及び病院の手すりやバーなどの病室内の交通量が多いか又は汚染度の高い表面は、消毒する前にそれらを接地することによって対象を絞ることができ、それにより、患者間での部屋のより速い回転率が促進される。他の態様において、領域内又は容積空間内で既に接地される表面は、容積空間内の全ての表面のより良い全体的な被覆をもたらすために、静電的に帯電された第１の水性組成物を分散させる前に地面から分離させることができる。さらなる態様において、選択された接地面に第１の水性組成物を静電的に噴射することは、容積空間の全体にわたって一般的な表面被覆率をもたらすために静電荷を伴わない第２の水性組成物の分散と組合せて利用することができる。
【０１９９】
ある態様において、静電荷は、水性組成物のエアロゾル化の前又は組成物が分散された後のいずれかにおいて印加されてもよい。多数の静電的に帯電した微小液滴の分布は、静電噴霧器のノズルに印加される電圧の大きさ、ノズルのサイズ又はタイプ、及びノズルを通る水性組成物の流量を調整することによって制御することができる。
【０２００】
ある態様において、特に、消毒されるべき表面がエアダクトの内部又は狭い空間などで接触することが困難な場合、又は非常に大きい容積空間内で消毒されるべきいくつかの表面が存在する場合、周囲空気中で水性組成物を気化させるか又は水性組成物を高温ガス流中に導入することが効果的となり得る。これらの方法を使用する滅菌は米国特許第８，６９６，９８６号及び第９，０５０，３８４号に記載されており、これらの特許の開示内容は参照によりそれらの全体が本願に組み入れられる。前述の他の特許文献と同様に、米国特許第８，６９６，９８６号及び第９，０５０，３８４号に記載される方法は、過酸が形成された後に容積空間内に分配されることを要する。これに対し、本発明の方法に係る過酸反応化合物は、別個の塗布工程において分散させることができ、それにより、消毒されるべき表面上にのみその場で過酸が形成される。
【０２０１】
非限定的な例として、周囲空気を有する容積空間内の消毒を必要とする表面は、ａ）過酸化物化合物を有する第１の水性組成物を加熱して、周囲空気中に過酸化物化合物を有する蒸気を生成する工程；ｂ）過酸化物化合物を有する蒸気が、容積空間の全体にわたって分布するとともに、冷えて凝縮し、表面上で液体層へと堆積するのに十分な第１の時間を割り当てる工程であって、液体層が過酸化物化合物を有する工程；ｃ）有機酸化合物を有する第２の水性組成物を加熱して、有機酸化合物を有する蒸気を生成する工程；ｄ）有機酸化合物を有する蒸気が、容積空間の全体にわたって分布するとともに、冷えて凝縮し、過酸化物化合物を有する液体層上へと有機酸化合物を堆積させて反応層を形成するのに十分な第２の時間を割り当て、それにより、反応層上にその場で過酸を形成して表面を消毒する工程を有する方法を使用して消毒されてもよい。
【０２０２】
ある態様において、蒸気を形成するために、水性組成物を噴霧デバイスへと圧送することができ、この噴霧デバイスで組成物が高圧ミストとして周囲温度の大気中に機械的に導入され、ミスト又はスプレーが形成される。ミスト又はスプレーは、その後、噴霧デバイスと一体の１つ以上の加熱要素に近接してミスト又はスプレーを繰り返し通過させることによって加熱されて気化される。水性組成物は、繰り返し循環するため、ユーザが選択可能な任意の温度、例えば約２５０℃以上で過熱蒸気にエネルギーをさらに与える。または、水性組成物は、約２５、２０、１５、１０、又は約５分未満を含む約３０分未満で水性組成物の塊を気化させるのに十分な温度で加熱することができる。さらなる態様において、水性組成物の塊を約２分で気化させるのに十分な温度で水性組成物を加熱することができる。
【０２０３】
過熱蒸気は、噴霧デバイスを出た後、それが空気を介して分散及び沈降するにつれて冷えて、多数の微小液滴へと凝縮する。使用中、噴霧デバイスは、凝縮された微小液滴のそれらが表面上に堆積する際の温度が約５５℃以下であるように消毒されるべき表面から十分な距離を隔てて配置させることができる。ある態様において、凝縮された微小液滴は、貯留施設の周囲温度に近い温度で、最適には約１０℃〜約２５℃の範囲で塗布される。蒸気が微小液滴へと凝縮してほぼ周囲温度まで冷えることができるようにすることにより、ユーザは、蒸気を農産物の不活性固体表面及び非不活性表面の両方に安全に塗布できる。方法全体が４０分〜８時間の範囲の期間にわたって適用される態様では、ほぼ全ての表面を容積空間内で消毒することができ、それにより、保管された農産物上及びその農産物が保管される保管施設の表面上の両方におけるほぼ全ての細菌、細菌胞子、菌類、原虫、藻類、及びウイルスが殺される。
【０２０４】
水性組成物の液状微小液滴が空気中に分散される前述のこの発明の他の態様と同様に、気化を伴う本発明に係る消毒方法も乾燥環境での有効性の低下を示す。したがって、ある態様において、気化方法は、水から本質的になる環境調整組成物を分散させて領域の湿度を高めることによって容積空間を前処理する工程をさらに有してもよい。
【０２０５】
本発明の他の態様において、水性組成物は、それらを容積空間内に分散させる前に、それらを高温ガス流中に導入することによって気化させることができる。ある態様において、加熱されたガス流は無菌空気であるが、窒素、ＣＯ２、又は不活性希ガスキャリアなどの他のガスを使用することもできる。ガス流は、ユーザが制御する約２５０℃を超える任意の温度まで加熱することができる。水性組成物は、当業者に良く知られる任意の手段によって空気流中に導入することができる。好ましい態様において、水性組成物が空気流中に直接分散される。前述の態様と同様に、水性組成物を有する蒸気が容積空間内に分散された時点で、蒸気が冷えて多数の微小液滴へと凝縮するとともに表面上で液体層の状態へと堆積するのに十分な時間は、水性組成物中の成分の同一性及び濃度並びに消毒されるべき表面の材料の性質を含むがこれらに限定されない因子に応じて変わる。
【０２０６】
本発明のさらなる態様において、前述の方法のいずれかは、消毒されるべき表面を紫外（ＵＶ）光から本質的になる波長で照らす工程をさらに有してもよい。紫外光は、空気中、表面上、液体中の病原体を殺すことが知られている。病原体を殺すためにＵＶ光を使用する方法は、米国特許第６，６９２，６９４号及び第８，１１０，５３８号に記載されており、これらの特許の開示内容は参照によりそれらの全体が本願に組み入れられる。ＵＶ光は、それ自体の殺菌活性に加え、過酸化物化合物を活性化して、有機酸化合物との反応において過酸化物化合物の反応性をより一層良くし、過酸を形成する。例えば、過酸化水素は、強力なＵＶ光が衝突して２つのヒドロキシルラジカルを形成する際に活性化させることができる。好ましい態様において、過酸化物化合物を有する水性組成物が消毒されるべき表面上に堆積して合体すると、その後、表面がＵＶ光から本質的になる波長で照らされる。または、過酸化物化合物を有する水性組成物は、それが分散される際にＵＶ光から本質的になる波長で照らされてもよい。ＵＶ光は、当業者に良く知られた任意の手段を使用して生成されてもよい。
【０２０７】
本発明のある態様において、消毒されるべき表面上に過酸を生成するための前述の消毒方法は、抗菌用途、漂白用途、又は殺菌用途を含む、様々なユーザ識別の殺生物目的のために使用することができる。他の態様において、生成される過酸は、サルモネラ  ティフィムリウム（Salmonella typhimurium）、カンピロバクター  ジェジュニ（Campylobacter jejuni）、リステリア  モノサイトゲネス（Listeria monocytogenes）、及び大腸菌０１５７：Ｈ７、酵母、カビを含むがこれらに限定されない食品に関連する食品由来の病原菌のうちの１つ以上を殺すために使用されてもよい。
【０２０８】
ある態様において、本発明の方法及びシステムにしたがって生成される過酸は、サルモネラ  ティフィムリウム、黄色ブドウ球菌（Staphylococcus aureus）、サルモネラ  コレラエスルス（Salmonella choleraesurus）、緑膿菌、大腸菌、マイコバクテリア（Mycobacteria）、酵母、カビを含むがこれらに限定されないヘルスケア表面に関連する病原菌のうちの１つ以上を殺すのに有効である。
【０２０９】
さらに、本発明の方法及びシステムにしたがって生成される過酸は、グラム陽性菌（リステリア菌又は黄色ブドウ球菌）、グラム陰性菌（大腸菌又は緑膿菌）、カタラーゼ陽性菌（ミクロコッカス  ルテウス（Micrococcus luteus）又は表皮ブドウ球菌）、又は芽胞菌（枯草菌）などの多種多様な微生物に対して有効である。
【０２１０】
本発明のある態様において、方法は、食品グレードの成分のみを使用して実施することができる。例えば、必須ではないが、この発明の消毒方法は、多くの市販の表面クリーナに一般に存在する原材料から実質的にフリーとして実施することができる。省くことができる非食品グレードの成分の例として、グルタルアルデヒドなどのアルデヒド、塩素及び臭素含有成分、ヨードフォア含有成分、フェノール含有成分、第４級アンモニウム含有成分などが挙げられるがこれらに限定されない。さらに、消毒されるべき表面上にその場で過酸が形成されるため、標的表面を消毒する前に過酸の加水分解を防止するべく使用することができる重遷移金属、界面活性剤、又は他の安定化化合物も不要であり、これらを食品調製表面又は食品自体と接触する水性組成物から省くことができる。
【０２１１】
したがって、消毒されるべき表面上に直接に過酸を生成する方法は、表面の微生物の個体数を減らすために食品や植物種で使用するか、又はそのような食品や植物種を扱う製造場所、加工場所、又は、冷蔵及び非冷蔵輸送場所で使用することができる。例えば、組成物は、食品輸送ラインで（例えば、ベルトスプレーとして）、ブーツ・手洗いディップパン、食品保管施設、輸送用コンテナ、鉄道車両、腐敗防止空気循環システム、冷凍及び冷却機器、飲料冷却・加温器、ブランチャー、まな板、サードシンク領域、及び肉冷却・沸騰消毒デバイスで使用することができる。
【０２１２】
順次塗布・送出システム
容積空間内の１つ以上の表面を消毒するための前述の化学的方法に加えて、本発明は、それらの方法を実行するように構成されるいくつかの順次塗布・送出システムも提供する。順次塗布・送出システムは、２つ以上の液体組成物が表面上で化学的又は物理的に相互作用できるように容積空間内の表面上に２つ以上の液体組成物を順次に分配することができる。
【０２１３】
ある態様において、順次塗布・送出システムは、第１の液体組成物を容積空間内に分配することができ、第１の液体組成物が容積空間の全体にわたって分布するとともに容積空間内の１つ以上の表面上に堆積して層へと合体するのに十分な時間の後、システムは第２の液体組成物を分配することができる。第２の液体組成物が特定の表面上の第１の液体組成物の合体層上に堆積した時点で、２つの液体組成物は表面上でその場で互いに相互作用することができる。さらなる態様において、第１の液体組成物と第２の液体組成物との間の相互作用は化学反応を含み、容積空間内の表面上に形成される反応層内にその場で化学反応生成物が形成される。他のさらなる態様において、第１の液体組成物と第２の液体組成物との間の相互作用は、第１の液体組成物及び第２の液体組成物の物理的特性が組み合わされるか、及び／又は強化される物理的相互作用を含む。
【０２１４】
ある態様において、液体組成物が水性組成物である。他の態様において、液体組成物は、油ベースの組成物、有機化合物又は組成物、及び水から実質的にフリーである他の揮発性化合物又は組成物を有するがこれらに限定されない非水性組成物である。前述の消毒方法及び滅菌方法に加えて順次塗布・送出システムを使用することができる事例として、塗装、染色、化学処理、防食コーティングの塗布、個人の健康・美容処理、並びに芝生の手入れ施肥及び維持が挙げられるがこれらに限定されない。
【０２１５】
ある態様において、図３に示すように、順次塗布・送出システム３１０は、それぞれが水性組成物を格納するか又は収容するように構成される複数の水性組成物容器３１２１−ｎ、それぞれが容器３１２１−ｎのうちの１つとそれぞれ流体連通する複数の関連する専用ポンプ３１４１−ｍ、それぞれが対応するポンプ３１４１−ｍと流体連通するとともに参照番号３１８１−ｙで示す水性組成物を容積空間３３０内へ送出するように構成される１つ以上の水性組成物送出ノズル３１６１−ｘを有する。様々な態様において、複数の関連する専用ポンプ３１４１−ｍとして例えば、遠心ポンプ３１４１、計量ポンプ３１４２、及びベンチュリポンプ３１４ｍを挙げられるが必ずしもこれらに限定されないいくつかのタイプのうちの１つとすることができる。図４に示すように、順次塗布・送出システム３１０は、中央処理ユニット又はコントローラ３２２、データ取得バス３２４、及び制御バス３２６を一般に備えるデータ取得・制御システム３２０をさらに有する。より具体的には、コントローラ３２２は、データ取得バス３２４を介して水性組成物容器３１２１−ｎに電気的に結合されるとともに、各水性組成物容器３１２１−ｎ中の水性組成物レベルを検出するためのそれぞれの手段３２８１−ｚを確認する、例えば読み取るように構成される。そのような手段としては、フロート、静電容量、導電率、超音波、レーダーレベル、及び光学センサが挙げられるが必ずしもこれらに限定されない。また、コントローラ３２２は、制御バス３２６を介してポンプ３１４１−ｍのためのそれぞれのドライブ、例えばモータにも電気的に結合されるとともに、水性組成物を水性組成物容器３１２１−ｎから水性組成物送出ノズル３１６１−ｘへ及び水性組成物送出ノズル３１６１−ｘを介して容積空間３３０内へ分配するためにポンプ３１４１−ｍに給電するように構成される。
【０２１６】
ある態様において、ポンプ３１４１−ｍは、本発明の技術思想から逸脱することなく、ポンプ３１４１−ｍに水性組成物を容器３１２１−ｎから引き出させるか又は吸引させるのではなく、水性組成物を各容器３１２１−ｎから押し出すために、各水性組成物容器３１２１−ｎ内に収容されるモータ及びピストン部材と置き換えることができる。
【０２１７】
使用時、コントローラ３２２は、水性組成物の予めプログラムされた量、又は所定期間ｔ１にわたって水性組成物を分配する予めプログラムされた第１の速度に基づき、第１の水性組成物３１８１を容積空間３３０内に分配するようにプログラムされる。第１の水性組成物の分配が停止した後、第１の水性組成物３１８１が容積空間３３０の全体にわたって分布するとともに容積空間３３０内の表面上に堆積して第１の水性組成物層へと合体するのに十分な時間の後、コントローラ３２２は、再び、量及び／又は所定期間ｔ２にわたって水性組成物を分配する速度に基づき、第２の水性組成物３１８２を分配するようにプログラムされる。また、コントローラ３２２は、補足的な水性組成物を様々な間隔で容積空間３３０内に順次に分配するようにもプログラムすることができる。
【０２１８】
さらに、図４に示すように、プログラミングは、ネットワーク３３４、例えばローカルエリアネットワーク（ＬＡＮ）又は無線ローカルエリアネットワーク（ＷＬＡＮ）にわたって、コントローラ３２２内に常駐し、コントローラ３２２内に含まれるか、もしくはリモートコントローラ又はプロセッサ３３２などの他の場所に分布させるか又は常駐させることができる。ネットワーク３３４は、有線３３８又は無線３３６であってもよいか、又は有線３３８及び無線３３６の組合せであってもよい。ある態様において、プログラミングを含むハードウェアコンポーネントは、必要な情報を得るために容積空間３３０の外側に位置される常駐プログラミングとの通信をもたらすことができる。当業者であれば分かるように、コンピュータ環境３４０が本発明を決して限定するものではなく、本発明の技術思想から逸脱することなく専用のアプリケーションベースのソフトウェアを使用できる。
【０２１９】
ある態様において、順次塗布・送出システム３１０は、図４に示すように、消毒方法が行われている間、容積空間３３０内に又はその近傍に又はそれに隣接して配置するように、データバス３２４とデータ通信する１つ以上のセンサ３４４ｘをさらに有することができる。ある態様において、センサ３４４ｘは、順次塗布・送出システム３１０が準備されている間、使用中、又は水性組成物の全ての分配が完了された後、容積空間３３０内の１つ以上の機能を検出するように構成されて使用することができる。そのような機能の非限定的な例として、容積空間３３０内のヒト又は哺乳類の動き又は存在の検出、容積空間３３０の座標寸法、容積空間３３０内の様々な物体及び表面の、それらの物体の材料又は組成を含めた存在及び識別、及び容積空間３３０内の温度、圧力、又は相対湿度が挙げられる。そのような手段は、全地球測位システム（ＧＰＳ）検出器、赤外線センサ、加速度計などの機械的及び／又は電気的なセンサ、及びドップラーベース、熱ベース、カメラベース、オーディオベース、又は光ベースの機構、特にレーザーベースの機構を有することができる。
【０２２０】
ある態様において、センサ３４４ｘは、容積空間３３０のサイズを確認するように構成されて使用することができる。容積空間３３０のサイズを確認することができるセンサの非限定的な例として、３軸座標系、ドップラー距離測定装置が挙げられる。他の態様において、部屋の寸法を有する容積空間３３０に関する情報は、装置自体のインタフェースを介して、もしくはタブレット、スマートフォン、又はラップトップなどの電気的に接続されたリモートコントローラ又はプロセッサ３３２のインタフェースのいずれかを介して、コントローラ３２２に事前にロードすることができる。さらなる態様において、リモートコントローラ又はプロセッサ３３２は、連邦通信委員会によって指定された無制限の周波数帯域を使用して、Ｗｉ−Ｆｉ（商標）又はＢｌｕｅｔｏｏｔｈ（商標）技術によって物理的に、すなわち、有線又は無線で接続することができる。
【０２２１】
ある態様において、センサ３４４ｘは、容積空間３３０内の湿度又は相対湿度を測定するように構成されて使用することができる。ある態様において、順次塗布・送出システム３１０は、センサ３４４ｘが所望の閾値を下回る相対湿度を検出することに応じて、水又は他の反応的に不活性な成分から本質的になる水性組成物を容積空間３３０に分配するように構成することができる。さらなる態様において、順次塗布・送出システム３１０は、相対湿度を所望の閾値まで上げることに応じて、水から本質的になる水性組成物の分配を中止するように構成することができる。さらなる他の態様において、相対湿度閾値は、少なくとも約６０％、７０％、８０％、９０％、又は９５％を含む、少なくとも約５０％、最大で約９９％である。順次塗布・送出システム３１０が単一のノズル３１６１を有する態様では、水性組成物及びその成分を供給ライン及びノズル本体から除去するために第１及び第２の水性組成物のいずれか又は両方を分散した直後に水又は他の反応的に不活性な成分から本質的になる水性組成物を分散させることができる。
【０２２２】
ある態様において、コントローラ３２２は、容積空間３３０のサイズ、容積空間３３０内の相対湿度、及び／又は合体層の所望の有効均一厚さを含む、分配の前に１つ以上のセンサ３４４ｘにより決定されるか又は推定される情報を利用して、分配すべき水性組成物の適切な量を決定し、意図される表面の全てを所望量の各水性組成物と接触させることができる。使用中、１つ以上のセンサ３４４ｘによって検出される事前にプログラムされたデータ又は情報に基づいてコントローラ３２２により行われるか又は実行される計算は、特定の水性組成物を分配するための特定の量、速度、及び／又は時間を指定でき、第１の水性組成物の分配、第２の水性組成物の分配、及び任意の他の水性組成物の分配同士の間の計算された又は事前にプログラムされた時間遅延を実施できる。さらに、コントローラ３２２は、第１の水性組成物を分散する前に、第１の水性組成物を分散した後において第２の水性組成物の前に、又は第２の水性組成物を分散させた後に、水又は他の不活性な非反応性材料から本質的になる組成物が分散されるプロトコルを含めて、１つ以上の随意的な事前にプログラムされたプロトコルから選択するようにプログラムすることができる。
【０２２３】
ある態様において、ノズル３１６ｘは、水性組成物を微小液滴として分散させるように構成するか、改変するか、又は適合することができる。使用中、ノズル３１６ｘは、少なくとも約５、１０、１５、２０、２５、３０、３５、４０、４５、５０、６０、７０、８０、又は９０ミクロンを含む、少なくとも約１ミクロン、最大で約１００ミクロンの有効直径を有する圧倒的多数の微小液滴を容積空間３３０内に分散させるようにコントローラ３２２によって指示されることができる。
【０２２４】
ある態様において、順次塗布・送出システム３１０は、ノズル３１６ｘによって分配される水性組成物の微小液滴を静電的に帯電させるように構成される、ノズル３１６ｘに近接する、イオン化ニードル又は高電圧帯電システムなどの図３及び図４に示すイオン化デバイス３４８を任意にさらに有することができる。当業者であれば分かるように、水性組成物の静電的に帯電された微小液滴を分散させることができるデバイスは、正電荷のみを有する微小液滴を噴射するデバイス、負電荷のみを有する微小液滴を噴射するデバイス、及び任意の所望の電荷を有する微小液滴を選択的に噴射するべく手動で又はコントローラ３２２によって調整可能なデバイスを含む、正電荷、負電荷、又は中性電荷を有する微小液滴を分散できる。さらに、イオン化デバイス３４８によって印加される電圧の大きさは、イオン化デバイスに電気的に結合されるコントローラ３２２を使用して変化させることができる。
【０２２５】
ある態様において、順次塗布・送出システム３１０は、ノズル３１６Ｘに近接する出力を有する気化器３５０を任意にさらに有する。気化器３５０は、制御バス３２６を介してコントローラ３２２に電気的に結合されてコントローラ３２２に応答する。使用中、コントローラ３２２は、気化器３５０にエネルギーを与えて、気化器３５０に高温ガス流を放出させる。高温ガス流の放出と併せて、コントローラ３２２は、関連するポンプ３１４ｍにエネルギーを与えて、３１８ｙで示すように水性組成物を分配する。高温ガス流は、３１８ｙで水性組成物と接触し、３１８ｙで水性組成物を気化させ、水性組成物を蒸気として容積空間３３０内に分散させる。
【０２２６】
使用中、水性組成物３１８１−ｙは、気化器３５０によって、約２５０℃を超える温度まで別個に加熱することができる。または、水性組成物３１８１−ｙは、約２５分未満、約２０分未満、約１５分未満、約１０分未満、又は約５分未満を含む約３０分未満の気化時間で第１の水性組成物及び第２の水性組成物の塊を気化させるのに十分な温度まで別個に加熱することができる。さらなる態様において、第１の水性組成物及び第２の水性組成物は、第１の水性組成物及び第２の水性組成物の塊を約２分で気化させるのに十分な温度まで別個に加熱することができる。
【０２２７】
ある態様において、順次塗布・送出システム３１０は、分配された水性組成物、反応層、及び／又は容積空間３３０内の表面のうちの少なくとも１つを紫外光から本質的になる波長で照らすための手段、例えばコントローラ３２２に応答する紫外線発光ダイオード３５２を任意にさらに有することができる。
【０２２８】
当業者であれば分かるように、水性組成物３１８１−ｙを容積空間３３０内に送出するために、順次塗布・送出システム３１０を様々な方法でパッケージングして動かすことができる。ある態様において、順次塗布・送出システム３１０は、手持ち式分配ユニット又はバックパックなどの人が持ち運ぶ装置として動かして容積空間３３０内に輸送することができる。他の非限定的な例において、順次塗布・送出システム３１０は、手押し車、カート、又は生物によって又は機械化された駆動手段を介して動かされる光学的に制御されるか及び／又は誘導されるトロリーとしても構成するか又はこれらに組み込むことができる。
【０２２９】
ある態様において、順次塗布・送出システム３１０は、水性組成物３１８１−ｙを容積空間３３０内に送出するために、その場で順次塗布・送出システム３１０に組み込まれるサブアセンブリを水溶液容器３１２１−ｎが有するようにパッケージングすることができる。
【０２３０】
他の態様において、順次塗布・送出システム３１０は、容積空間３３０内、特に非常に大きいか又は不規則な形状の容積空間内の標的表面上へと１つ以上の水性組成物の分散を方向付けるために、或いは、水性組成物の静電的に帯電された微小液滴を噴射することが実用的でない場合、１つ以上のロボット又はドローンによっても運ぶことができる。各ロボット又はドローンは、容積空間３３０内の床又は空域に沿って自律的にナビゲートするように構成可能であるとともに、１つ以上のサービス又はタスクの自律的実行を容易にするための様々なロービング又は飛行操作を実行する中央処理装置、コントローラ、又はマイクロコントローラを有する。自律的動作として、エネルギー要件などの特定の目的及び飛行制約を満たしつつ容積空間３３０の全体にわたって最適な経路を決定して実行すること、ドローンがその経路に沿って壁、人、建物、樹木などの障害物を自律的に回避できるようにする障害物認識、要求されたサービス又はタスクを完了するために必要な経路をたどるために最適な制御操作を決定するための軌道生成（すなわち、モーションプランニング）、ロボット又はドローンをある許容範囲又は許容される床又は空域内に拘束するために必要な特定の制御戦略を決定するためのタスク規制、時間及び機器の制約内で複数のサービス要求／タスクの間の各サービス要求／タスクの最適な配分を決定するためのタスク割り当て及びスケジューリング、及び他のロボット又はドローン間の活動の最適なシーケンス及び空間分布を体系化して順次塗布・送出システム３１０の効果を最大化するための協調的戦術を挙げることができるがこれらに限定されない。特に消毒方法及びシステムに関するロボット及びドローンの使用の広範な議論は、米国特許第９，４４７，４４８号及び第９，４８１，４６０号、並びに国際公開第２０１１／１３９３００号パンフレット及び第２０１６／１６５７９３号パンフレットに記載されており、これらの開示内容は参照によりそれらの全体が本願に組み入れられる。
【０２３１】
他の態様において、図５及び図６に示すように、順次塗布・送出システム４１０が、単一のポンプ３１４、それぞれが水性組成物容器３１２１−ｎとそれぞれ関連付けられる複数の制御された流量選択弁３６０１−ｚを有することができる。図示のように、制御された流量選択弁３６０１−ｚは、制御バス３２６を介してコントローラ３２２に電気的に結合される。
【０２３２】
ある態様において、順次塗布・送出システム４１０のコントローラ３２２は、流量選択弁４６０１−ｚをプログラムで制御して水性組成物３１８を容積空間３３０内に分配するように構成される。図５に示すように、分配された水性組成物３１８は単一のノズル３１６から生じる。ある態様において、コントローラ３２２は、流量選択弁４６０１−ｚを選択的に開閉して、いずれかの組成物が消毒されるべき表面に到達する前に順次塗布・送出システム４１０内に過酸化物化合物を有する水性組成物と有機酸化合物を有する水性組成物との望ましくない混合が存在しないようにするべくプログラミングすることができる。さらなる態様において、水性組成物が容積空間３３０内に分散された後にシステム内に留まる残存する任意の水性組成物を中和する及び／又はパージするために、補足的な水性組成物を順次塗布・送出システム４１０内で循環させることができる。非限定的な一例において、第１の工程では、第１の水性組成物が、水性組成物容器３１２２から、開いた流量選択弁４６０２を介して、閉じた流量選択弁４６０ｚを通過し、単一のノズル３１６から分配される。第２の工程において、コントローラは、流量選択弁４６０２を閉じ、流量選択弁４６０１を開くとともに、水性組成物容器３１２１内に収容される水をそれがノズル３１６から分配されるまで循環させ、それにより、水性組成物容器３１２ｎ内に収容される第２の水性組成物が容積空間３３０内に分散される前に第１の水性組成物の全てが順次塗布・送出システム４１０から効果的に除去される。
【０２３３】
ある態様において、図７及び図８に示すように、順次塗布・送出システム５１０が、単一のポンプ３１４、水性組成物容器３１２１−ｎと関連付けられる制御された多方向流量選択弁５６２を有することができる。図示のように、制御された多方向流量選択弁５６２は、制御バス３２６を介してコントローラ３２２に電気的に結合される。
【０２３４】
動作中、ある態様において、コントローラ３２２は、水性組成物を容積空間３３０内に分配するように多方向流量選択弁５６２をプログラムで制御するように構成される。前述の順次塗布・送出システム４１０と同様に、順次塗布・送出システム５１０内のコントローラ３２２は、多方向流量選択弁５６２を通じた流量を選択的に制御して、いずれかの組成物が消毒されるべき表面に到達する前に過酸化物化合物を有する水性組成物と有機酸化合物を有する水性組成物との望ましくない混合が存在しないようにするべくプログラムすることができる。
【０２３５】
さらに、本発明は、２つ以上の液体組成物が容積空間内の表面上に順次に分配されるルーチン、特にユーザが容積空間の外側に位置されて容積空間内の１つ以上の噴霧器と通信するためのデバイスを有するルーチンの正確な自動化された実行を制御するように構成される順次塗布・送出システムを提供する。
【０２３６】
ある態様において、図９に示すように、順次塗布・送出システム６１０は、容積空間６２０内に位置される１つ以上の噴霧器６１４、６１６、６１８からの液体組成物の分配を制御するために使用されるインターネットベースのモノのインターネット（ＩｏＴ）６１２を有する。インターネットベースのＩｏＴ６１２は、システム６１０のロバスト性の度合の低さを許容できる状態又は状況において、又は人による噴射機器及びその制御装置への手動アクセスが安全でないか、危険に晒されているか、又はさもなければ、組成物自体の同一性又は容積空間自体のレイアウトのいずれかによって妨げられている場合に、システム６１０内の様々なデバイス、例えばアウトレット、センサ等とインターネットとの間の無線接続が容積空間６２０内から容易に得られる態様に特に適している。
【０２３７】
同様に、他の態様では、図１０に示すように、順次塗布・送出システム７００は、容積空間６２０内に位置される２つ以上の噴霧器６１４、６１６、６１８からの液体組成物の分配を制御するために使用されるイントラネットベースのＩｏＴ７０２を有する。イントラネットベースのＩｏＴ７０２は、順次塗布・送出システム７００内の様々なデバイス間の無線接続性及び／又はインターネットへのアクセスが抑制又は制限される態様に特に適している。そのような非限定的な状況の１つは、容積空間６２０が金属輸送コンテナである場合である。他の態様において、イントラネットベースの順次塗布・送出システム７００は、インターネットベースの順次塗布・送出システム６００が提供できるものと比較して、デバイス間のよりロバスト性が高い通信が必要とされる状態又は状況で利用することができる。
【０２３８】
ある態様において、インターネットベースのＩｏＴ６１２又はイントラネットベースのＩｏＴ７０２を用いて、前述の順次塗布・送出システム３１０、４１０又は５１０のいずれかに含まれるスプレーデバイスを使用するか又は噴霧器６１４、６１６、６１８による図９及び図１０に示すような液体組成物の順次の時間依存的な塗布を制御することができる。他の態様において、順次塗布・送出システム６１０，７００を用いて、非限定的な例ではCurtis Dyna-Fog, Ltdによって販売されているハリケーン（Hurricane）（商標）噴霧器などの市販の噴霧器を使用した液体組成物の順次の時間依存的な塗布を制御できる。それぞれのハリケーン（Hurricane）（商標）噴霧器は、低、中、高の流量の選択可能な設定でそれぞれの水性組成物の流量を手動で制御できる能力を与える。工場から又はストックフォームでは、これらの設定が、６．４、８．０、及び９．０液量オンス／分（１分あたり０．１９、０．２４、及び０．２７リットル）の流量にそれぞれ対応する。しかしながら、ハリケーン（Hurricane）（商標）噴霧器を含む、任意の他の市販の噴霧器又は製造されたスプレーデバイスに含まれる計量弁は、順次塗布・送出システム６１０，７００内のインターネットベースのＩｏＴ６１２又はイントラネットベースのＩｏＴ７０２の制御下でそれぞれ変化させることができる任意の望ましい流量を利用するように変更又は交換することができる。
【０２３９】
ある態様において、インターネットベースのＩｏＴ６１２又はイントラネットベースのＩｏＴ７０２を利用して、図５又は図７に示す構成と同様に、時間依存態様で液体組成物のそれぞれを順次に分配する単一の噴霧器を制御することができる。他の態様では、インターネットベースのＩｏＴ６１２又はイントラネットベースのＩｏＴ７０２を利用して、図９及び図１０に６１４、６１６、６１８により例示する２つ以上の噴霧器を制御し、液体組成物のそれぞれを時間依存態様で順次に分配することができる。２つ以上の噴霧器６１４、６１６、６１８は、単一のマニホールド内に又は図９及び図１０に示すように別々に収容されるユニットとして配置することができる。２つ以上の噴霧器６１４、６１６、６１８は、電源が入った位置に切り換えることができるとともに、容積空間６２０内にも都合良く位置されるそれぞれの遠隔制御アウトレット６２２、６２４、６２６に差し込むことができる。次に、遠隔制御アウトレット６２２、６２４、６２６は、配電システム（図示せず）に差し込むことができる。イントラネットベースのＩｏＴ７０２が順次塗布・送出システム７００と共に使用される態様において、遠隔制御アウトレット６２２、６２４、６２６は、特に無線アクセスが制限される図１０に示すように、ハブ７１８と同じ場所に配置することができる。
【０２４０】
ある態様において、ハブ７１８は、図示のように、パーソナルコンピュータ７１８からＮＡＳデバイスまでの全てを包含する、いくつかの適切なマシン及び／又はデバイスのうちの１つとすることができる。非限定的な例として、ラップトップ、デスクトップ、又はタワー型のマシン、タブレット、又はＡｐｐｌｅ  ＴＶ（商標）、Ａｐｐｌｅ  ＨｏｍｅＰｏｄ（商標）、Ａｍａｚｏｎ  Ａｌｅｘａ（商標）、又は、Ｅｃｈｏ（商標）、Ｇｏｏｇｌｅ  Ｈｏｍｅ（商標）、及びＲａｓｐｂｅｒｒｙ  Ｐｉ（商標）などのシングルボードコンピュータ（ＳＢＣ）をさらに挙げることができる。ハブ７１８は一般に、容積空間６２０内に位置されて、ＷＬＡＮ７２０を介して無線でインターネットと電子通信できるとともに、アクセスポイント及び／又はルータ７２２からインターネット又はクラウド６２８まで延びる実線で示すように配線することができる。
【０２４１】
ある態様において、ハブ７１８は一般に、例えば、Ａｎｄｒｏｉｄ（商標）、Ａｎｄｒｏｉｄ  Ｏｒｅｏ（商標）、Ａｐｐｌｅ（登録商標）ｉＯＳ（登録商標）、Ａｐｐｌｅ（登録商標）ＯＳＸ（登録商標）、ｍａｃＯＳ（登録商標）、又はＡｐｐｌｅ（登録商標）ｉＯＳ（登録商標）、Ｌｉｎｕｘ（商標）、又はＷｉｎｄｏｗｓ（登録商標）ＣＥ及びＷｉｎｄｏｗｓ（登録商標）Ｓｅｒｖｅｒのサブファミリを含む、現在アクティブなＷｉｎｄｏｗｓ（登録商標）ＮＴやＷｉｎｄｏｗｓ（登録商標）Ｅｍｂｅｄｄｅｄのファミリなど、多数のＭｉｃｒｏｓｏｆｔ（登録商標）Ｗｉｎｄｏｗｓ（登録商標）オペレーティングシステムのいずれかなどのオペレーティングシステムを使用して動作する。
【０２４２】
当業者であれば分かるように、図９及び図１０は、明確にするために、３つの噴霧器６１４、６１６、６１８及び３つの遠隔制御アウトレット６２２、６２４、６２６のみを示し、順次塗布・送出システム６１０、７００は、非限定的な例として、容積空間の形態、手元の液体組成物の量、容積空間内の表面上の液体組成物の望ましい被覆率、大気状態、及び電力制限などの変数に応じて、任意の数の遠隔制御アウトレットに差し込まれる任意の数の噴霧器を制御するように構成することができる。
【０２４３】
ある態様において、２つ以上の噴霧器６１４、６１６、６１８及び遠隔制御アウトレット６２２、６２４、６２６は、任意の世界規模の配電システムで使用するように構成することができる。非限定的な例として、配電システムは、１１０〜１３０又は２２０〜２５０ボルトの交流（ＶＡＣ）を与えることができる。他の非限定的な例において、遠隔制御アウトレット６２２，６２４，６２６は、２つ以上の噴霧器６１４，６１６，６１８など、１２０ＶＡＣ、６０ヘルツ（Ｈｚ）、１５アンペア（Ａ）で最大１８００ワットの器具をサポートするように構成される。
【０２４４】
他の態様において、容積空間６２０内の２つ以上の噴霧器６１４、６１６、及び６１８からの電源コードは、容積空間６２０の外に延びて容積空間６２０の外側に位置される１つ以上の遠隔制御アウトレット６２２、６２４又は６２６に差し込むことができる。容積空間６２０が電力グリッドへの内部アクセスがない金属輸送コンテナである非限定的な一例において、噴霧器６１４、６１６、及び６１８からの電源コードは、輸送コンテナを外部環境から分離する開口を通じて延びて、輸送コンテナの外側に位置される１つ以上の遠隔制御アウトレット６２２、６２４、又は６２６に差し込むことができる。
【０２４５】
ある態様において、遠隔制御アウトレット６２２、６２４、及び６２６のそれぞれは一般に、リレー、及びリレーにエネルギーを与える又はリレーを作動させるための関連する無線制御器を有することができる。ある態様において、リレーは、機械的タイプ又はソリッドステートタイプとすることができる。さらなる態様において、遠隔制御アウトレット６２２、６２４、及び６２６は、リレーにエネルギーを与えるか又はリレーを作動させるために必要な電力を与えるリレー駆動回路又はトランジスタをさらに有することができる。無線制御により、リレーの遠隔作動は、遠隔制御アウトレット６２２、６２４、及び６２６を介して配電システムからの電力を切り換えるか又は送り、遠隔制御アウトレット６２２、６２４、及び６２６に差し込まれるそれぞれの２つ以上の噴霧器６１４、６１６、及び６１８にエネルギーを供給することができる。
【０２４６】
遠隔制御アウトレット６２２，６２４，６２６は、米国電気電子学会（ＩＥＥＥ）８０２．１１規格、すなわち、２．４ギガヘルツ（ＧＨｚ）のＷｉＦｉ（登録商標）及び／又は５．８ギガヘルツ（ＧＨｚ）の超高周波（ＳＨＦ）産業、科学、及び、医療（ＩＳＭ）無線帯域に基づく無線ローカルエリアネットワークを使用するインターネットを用いてグローバルにアクセスできるようにさらに構成される。順次塗布・送出システム６１０，７００において、遠隔制御アウトレット６２２、６２４、６２６は、図９及び図１０にそれぞれ示されるようにクラウド６２８と無線で接続し、この場合、無線接続が一般に破線で示される。
【０２４７】
遠隔制御アウトレット６２２、６２４、及び６２６は、モバイルオペレーティングシステムを含むいくつかのオペレーティングシステムのうちの１つ以上と共に用いるのに利用できる多くの容易に入手可能な市販のホームオートメーションソフトウェアパッケージのうちの１つ以上により動作又は機能するようにさらに構成することができる。市販のホームオートメーションソフトウェアパッケージとして、ほんの数例を挙げると、Amazon Alexa（商標）、Apple HomeKit（商標）、Google Assistant（商標）、Nest（登録商標）、Wink（登録商標）を挙げることができる。オペレーティングシステムとして、Apple（登録商標）OSX（登録商標）又はmacOS（登録商標）、Linux（商標）、及びWindows）（登録商標）Embedded Compact（Windows（登録商標）CE）及び／又はWindows（登録商標）Serverのサブファミリを含む現在アクティブなWindows（登録商標）NT及びWindows（登録商標）Embeddedファミリなど、多数のMicrosoft（登録商標）Windows（登録商標）オペレーティングシステムのいずれかを挙げることができるが必ずしもこれらに限定されない。モバイルオペレーティングシステムとして一般に、Android（商標）、Android Oreo（商標）、及びApple（登録商標）iOS（登録商標）を挙げることができるが必ずしもこれらに限定されない。
【０２４８】
遠隔制御アウトレット６２２、６２４、及び６２６は、例えばCalaos、Domoticz、Home Assistant、OpenHAB（Open Home Automation Busの略）、及び／又は、OpenMoticsを含むオープンソースホームオートメーションソフトウェアと共に使用することもできる。Calaosは、サーバーアプリケーション、タッチスクリーンインタフェース、Ｗｅｂアプリケーション、iOS（登録商標）及びAndroid（商標）用のネイティブモバイルアプリケーション、及びその下で実行する構成済みLinux（商標）オペレーティングシステムを含む、フルスタックホームオートメーションプラットフォームとして設計される。Domoticzは、C/C++で記述されて、ＨＴＭＬ５フロントエンドで設計されるとともに、デスクトップブラウザ及び最新のスマートフォンの両方からアクセスでき、軽量で、例えばRaspberry Pi（商標）のように多くの低電力デバイスで実行できる。Home Assistantは、オープンソースホームオートメーションプラットフォームであり、Raspberry Pi（商標）からネットワーク接続ストレージ（ＮＡＳ）デバイスまで、Python（登録商標）３を実行できるほぼ任意のマシンに簡単にデプロイできるように設計されており、他のシステムでの配備を促進するためにドッキングコンテナを有する。Home Assistantは、他の多くのオープンソース及び商用製品とも統合する。OpenHAB（登録商標）は、JAVA（登録商標）で記述されており、主要なオペレーティングシステム間で携帯可能であり、Raspberry Pi（商標）で同様に実行するように構成することができる。OpenHAB（登録商標）は、デバイス制御用のAndroid（商標）及びiOS（登録商標）アプリケーション、及び、ユーザインタフェース（ＵＩ）を作成するための設計ツールも含む。OpenMoticsは、ハードウェアとソフトウェアの両方を伴うホームオートメーションシステムであるが、ハードワイヤードコンポジションにより重点を置いている。
【０２４９】
ある態様において、順次塗布・送出システム６１０及び７００は、図９及び図１０に６３２及び６３４として示す上記のセンサ３４４ｘによって説明される１つ以上のセンサをさらに任意に有することができる。同様に、センサ６３２及び６３４は、２．４又は５．８ＧＨｚ  ＳＨＦ  ＩＳＭ無線帯域のＩＥＥＥ８０２．１１標準規格に基づくＷｉＦｉ（登録商標）又はＷＬＡＮを介したインターネット又はイントラネットとの無線電子通信で用いるように構成することができる。
【０２５０】
ある態様において、本発明の原理によるＩｏＴベースのセンサは、インターネット、イントラネット、又はクラウド６２８に接続するように設計及び構成することできるとともに、Ｂｌｕｅｔｏｏｔｈ（登録商標）低エネルギー（ＢＬＥ）、サブＧＨｚ無線周波数（ＲＦ）、及び、ＷｉＦｉ（登録商標）のためのモジュールを、単一回路基板上のダイナミック近距離無線通信（ＮＦＣ）集積回路、プリントアンテナ、及びマイクロコントローラと共に有する。そのようなＩｏＴベースのセンサ及び／又はそれらのセンサを形成するためのコンポーネントは、とりわけSTMicroelectronics（登録商標）から市販されている。
【０２５１】
ある態様において、順次塗布・送出システム６１０及び７００は、容積空間６２０へのアクセスを選択的に制限できるドアに取り付けられるＩｏＴドアロックをさらに有することができる。さらなる態様において、順次塗布・送出システム６１０及び７００は、液体組成物がユーザ定義の期間にわたって塗布されているときにＩｏＴドアロックを作動させて容積空間６２０への人のアクセスを制限又は防止するように構成することができる。
【０２５２】
ある態様において、図１１に示すように、順次塗布・送出システム８００は、容積空間６２０内に位置される２つ以上の噴霧器６１４、６１６、及び６１８からの水性組成物の分配を制御するために使用されるシングルボードコンピュータ（ＳＢＣ）アセンブリ８０２を有することができる。ＳＢＣアセンブリ８０２は、ＳＢＣ８１２、アドオン回路基板又はハードウェアアタッチドオントップ（ＨＡＴ）８１４、及び任意にスクリーン又はディスプレイ８１６から構成される。さらなる態様において、ＳＢＣアセンブリ８０２及び関連した順次塗布・送出システム８００は、インターネットとの無線接続が妨げられるか、制限されるか、又は望ましくない容積空間６２０で利用することができる。他のさらなる態様において、非限定的な例として、順次塗布・送出システム８００は、他の順次塗布・送出システムが損傷されるようになり得る苛酷又は危険な産業環境で利用することができる。さらに他の態様において、本発明の技術思想から逸脱することなく、プログラム可能な論理コントローラ（ＰＬＣ）をＳＢＣアセンブリ８０２の代わりに使用することができる。
【０２５３】
ある態様において、ＨＡＴ８１４は、特定のユーザ定義又はハードウェア定義のルールセットに準拠するとともに電力制御を有するがこれに限定されない多種多様な異なる機能を果たすＳＢＣ用の「プラグ−ｎ−プレイ」アドオンボードとして機能することができる。非限定的な１つの例において、ＨＡＴ８１４は、Raspberry Pi（商標）３  ４０ピン汎用入力／出力（ＧＰＩＯ）ヘッダコネクタに関連する特定のルールセットに準拠する。ＨＡＴ８１４回路基板は、２以上の噴霧器６１４、６１６、及び６１８に対して順次の時限的態様で電力を印加するために２つ以上の噴霧器６１４、６１６、及び６１８の電源インレット（電源コード）が配線され得る多くのリレーを伴うか又は有する。いくつかの適切なパワーリレーＨＡＴが現在幅広く利用可能であり、そのうちのいずれも任意の数の異なるＳＢＣと共に使用できるように構成することができる。適切なパワーリレーＨＡＴの非限定的な例は、Raspberry Pi（商標）４チャンネルリレーＨＡＴである。
【０２５４】
ある態様において、１つ以上の噴霧器をＯＮに切り換えて容積空間６２０内に位置される１つ以上の制御可能な４アウトレットパワーリレーモジュール上のそれぞれのデジタル制御アウトレットに差し込むことができ、制御可能な４アウトレットパワーリレーモジュールは配電システム（図示せず）に差し込むことができる。制御可能な４アウトレットパワーリレーモジュールは、２線式インタフェース、すなわち、シリアルパラレルインタフェース（ＳＰＩ）又はInter-Integrated Circuit（１２Ｃ）を使用して、ＳＢＣ８１２により制御することができる。
【０２５５】
様々な態様において、ＨＡＴ８１４又は１つ以上の制御可能な４アウトレットパワーリレーモジュール及び２つ以上の噴霧器６１４、６１６、及び６１８は、１１０〜１３０又は２２０〜２５０ＶＡＣを供給する配電システムで使用するように構成することができる。例えば、ある態様において、ＨＡＴ８１４及び１つ以上の制御可能な４アウトレットパワーリレーモジュールは、器械、例えば２つ以上の噴霧器６１４、６１６、及び６１８を１２０ＶＡＣ、６０Ｈｚ、１５Ａで最大１８００ワットまでサポートするように構成される。
【０２５６】
ある態様において、ＳＢＣ８１２は、当業者により容易に理解されるように、例えば、高解像度マルチメディアインタフェース（ＨＤＭＩ）、コンポジットビデオ、ユニフォームシリアルバス（ＵＳＢ）２．０、汎用入力／出力（ＧＰＩＯ）、Ｉ２Ｃ、及びイーサネット（登録商標）など、多くの他の接続オプション及び／又は機能と共に、オンボードのＷｉＦｉ（登録商標）機能を有することができる。使用することもできるRaspberry Pi（商標）の他の非限定的な典型的モデルとしては、Raspberry Pi（商標）１モデルＢ、Raspberry Pi（商標）１モデルＢ＋、Raspberry Pi（商標）２、Raspberry Pi（商標）Ｚｅｒｏ、Raspberry Pi（商標）３モデルＢ、Raspberry Pi（商標）３  Ｍｏｄｅｌ  Ｂ＋、及び、Raspberry Pi（商標）Ｚｅｒｏ  Ｗを挙げることができる。他の態様では、本発明の技術思想から逸脱することなく、他のタイプのＳＢＣ８１２も必要に応じて使用できる。他のＳＢＣの非限定的な例として、Asus（商標）Tinker、armStone、Arndale、Arndale Octa、Pro、Ｍ２、及び、Ｍ３を含むBanana Pi、ｘＭを含む  BeagleBoard（登録商標）、BeagleBone（登録商標）；CubieBoard；Firefly（商標）；NanoPi及びNanoPi NEO、Ｃ１、Ｃ１＋、Ｃ２、Ｕ３、Ｗ、ＸＵ、ＸＵ３、ＸＵ３  Ｌｉｔｅ、及び、ＸＵ４モデルを含むＯＤＲＯＩＤ、Ｐｉ、Ｐｉ２、Ｐｉ  Ｐｌｕｓ、Ｐｉ  Ｐｌｕｓ  ２、Ｐｉ  Ｍｉｎｉ、Ｐｉ  Ｍｉｎｉ  ２  ＰＣ、Ｏｎｅ、Ｌｉｔｅ、ＰＣ  Ｐｌｕｓ、Ｐｌｕｓ  ２Ｅ、ＰＣ  ２、Ｐｉ  Ｗｉｎ、及び、Ｐｉ  Ｚｅｒｏ  Ｐｌｕｓ  ２を含むOrange Pi、並びに、Ｌｉｔｅ、ｖ２、３、３  Ｎａｎｏモデルを含むpcDuino（登録商標）を挙げることができる。
【０２５７】
ある態様において、ＳＢＣ８１２は、アクセスポイント（ＡＰ）モードで実行するように構成することができる。ＡＰモードは、有線ネットワーク又は無線ネットワークを有するか又は使用する必要なく、無線デバイスが制御目的のため２．４及び５．８ＧＨｚ  ＳＨＦ  ＩＳＭ無線帯域でＩＥＥＥ８０２．１１標準規格に基づくＷｉＦｉ（登録商標）を使用してＳＢＣ８１２に直接に接続できるようにするという点で特に有利である。さらに、ある態様において、ＡＰモードは、ＳＢＣ８１２が「ヘッドレス」で又はスクリーンを伴うことなく実行できるようにする。
【０２５８】
ある態様において、順次塗布・送出システム６１０、７００、及び８００の動作制御は、モバイル機器６３０、電気的に接続されたリモートコンピュータ６３６、ハブ７１８、又はディスプレイ８１６にインストールされたホームオートメーションアプリケーションを使用して実行することができる。
【０２５９】
ある態様において、図１２に示すように、ホームオートメーションアプリケーション９０２は、プログラムされるか又はプログラム可能なコントローラを有するモバイル機器６３０にインストールされる。適切なモバイル機器の非限定的な例として、ハンドヘルドコンピュータ、スマートフォン、スマートウォッチ、タブレット、ｉＰａｄ（登録商標）、ラップトップ、携帯情報端末（ＰＤＡ）、ポータブルメディアプレーヤ、又はパーソナルナビゲーションデバイスを挙げることができる。
【０２６０】
ある態様において、モバイル機器６３０を容積空間６２０の外側に配置することができる。モバイル機器６３０は、容積空間の外に配置する場合、２．４又は５．８ＧＨｚ  ＳＨＦ  ＩＳＭ無線帯域でＩＥＥＥ８０２．１１標準規格に基づく無線ローカルエリアネットワーク（ＷＬＡＮ）であるＷｉＦｉ（登録商標）、もしくはアナログ又はデジタル変調スキームを使用するセルラー電話ネットワーク、例えば携帯電話又はスマートフォンなどのセルラー互換モバイル機器のために割り当てられた、Advanced Mobile Phone System（ＡＭＰＳ）、又は、超音波周波数（ＵＨＦ）帯域、すなわち、３００ＭＨｚ〜３ＧＨｚにおけるCode Division Multiple Access（ＣＤＭＡ）又はGlobal System for Mobile Communications（ＧＳＭ）のいずれかを介して、インターネット又はクラウド６２８と無線電子通信できる。モバイル機器６３０の無線機能により、そのユーザは、容積空間６２０の外側に容易に留まって液体組成物との接触を回避することができる。
【０２６１】
ある態様において、モバイル機器６３０がモバイルオペレーティングシステム９００を利用し、その非限定的な例として、Ａｎｄｒｏｉｄ（商標）、Ａｎｄｒｏｉｄ  Ｏｒｅｏ（商標）、及びＡｐｐｌｅ（登録商標）ｉＯＳ（登録商標）を挙げることができる。モバイル機器６３０にインストールされたホームオートメーションアプリケーション９０２は、市販のオープンソース又はユーザがプログラムしたソフトウェアパッケージを有することができる。市販のホームオートメーションソフトウェアパッケージの非限定的な例として、Amazon Alexa（商標）、Apple HomeKit（商標）、Google Assistant（商標）、Nest（登録商標）、及び、Wink（登録商標）を挙げることができるが必ずしもこれらに限定されず、一方、オープンソースホームオートメーションソフトウェアパッケージの非限定的な例として、Calaos、Domoticz、Home Assistant、OpenHAB（登録商標）、及びOpenMoticsを挙げることができるが必ずしもこれらに限定されない。当業者であれば分かるように、他のオペレーティングシステム及び市販の及び／又はオープンソースソフトウェアを含む自動化の基礎をもたらす他のソフトウェアも本発明の技術思想から逸脱することなく使用できる。
【０２６２】
ある態様において、ルーチン９０４は、容積空間６２０内のデバイスを認識、監視、及び制御するためにホームオートメーションアプリケーション９０２内でプログラムすることができる。図９に示す順次塗布・送出システム６１０に適用されるように、ルーチン９０４を利用して、順次の時限的態様で、噴霧器６１４、６１６、及び６１８にそれぞれ接続される遠隔制御アウトレット６２２、６２４、及び６２６にエネルギーを与えることができる。例えば、ルーチン９０４は、第１の遠隔制御アウトレット６２２を作動させて第１の期間（ｔ１）にわたって第１の噴霧器６１４にエネルギーを与え、それにより、第１の噴霧器６１４が第１の液体組成物を容積空間６２０に分配するようにプログラムすることができる。第１の液体組成物が容積空間６２０の全体にわたって分布するとともに容積空間６２０内の１つ以上の表面上に堆積して層へと合体するための遅延（ｄ１）の後、ルーチン９０４は、第２の遠隔制御アウトレット６２４を作動させて第２の期間（ｔ２）にわたって第２の噴霧器６１６にエネルギーを与えることができ、それにより、第２の噴霧器６１６が第２の水性組成物を容積空間６２０に分配する。ある態様において、非限定的な一例において、グラフィカルユーザインタフェース（ＧＵＩ）の観点から、「開始」とラベル付けされた単一のボタン９０８を押すことによってルーチン９０４の開始を簡単に達成できる。
【０２６３】
組成物が分散される時間、組成物が分散される流量、及び組成物分散間の遅延の正確な制御は、化学量論量の液体組成物の分散、過剰な量の液体組成物の塗布の回避、組成物が意図された全ての表面上に接触して層を形成するようにすること、及び２つ以上の組成物間の望ましい相互作用が行われるのに十分な時間を有することを確認することを含むがこれらに限定されないいくつかの利点を有する。ある態様において、遅延ｄ１及びｄ２を正確に制御することは、液体組成物が標的表面上に同時にではなく順次に分散されるようにする。他の態様において、順次塗布及び遅延の制御は、水性組成物内の成分が表面に到達する前に容積空間内で望ましくない反応が発生するのを防ぐ。
【０２６４】
ある態様において、噴射のための期間及び噴射間の関連する遅延は、ホームオートメーションアプリケーション内で計算することができる。他の態様において、噴射のための期間及び噴射間の関連する遅延は、ユーザにより経験的に決定することができる。当業者であれば分かるように、噴射のための期間及び噴射間の関連する遅延は、１つ以上の変数に基づいて必要に応じて調整可能であり、変数の非限定的な例として、容積空間６２０の特性、１つ以上の水性組成物中の成分、及び水性組成物が堆積される表面又は基材を挙げることができる。
【０２６５】
ある態様において、ＧＵＩの観点から、ルーチン９０４により使用される特定のタイプの環境、すなわち容積空間６２０に関連するデータを入力するホームオートメーションアプリケーション９０２内のユーザにより環境選択９１０を行うことができる。ある態様において、環境は、壁、天井、又は他の障壁によって他の領域及び空間から隔離される密閉空間である。そのような環境の例として、「部屋」、「ワークスペース」、及び「コンパートメント」を挙げることができるが必ずしもこれらに限定されない。他の態様において、環境内の空域は、他の環境へのアクセスから流通停止にすることができる。非限定的な一例では、ルーチン９０４中に分散される水性組成物のいずれかが隣接する容積空間又は環境に侵入するのを防止するために、容積空間６２０内に存在する暖房、換気、及び空調システム用の通気口にアクセスしてこれを遮断することができる。
【０２６６】
ある態様において、ＩｏＴ６１２又は７０２と併せて利用されるセンサ６３２及び６３４は、ホームオートメーションアプリケーション９０２によって認識、監視、及び／又は制御されるようにプログラムすることができる。さらなる態様において、容積空間６２０に関する情報は、その非限定的な例が部屋の寸法を含み、インタフェース、例えば図１２に示すＧＵＩ９０６、又は電気的に接続されたリモートコンピュータ６３６、ハブ７１８、又はディスプレイ８１６上の同様のインタフェースのいずれかを介してモバイル機器６３０に事前にロードすることができる。
【０２６７】
ある態様において、ルーチン９０４は、例えば、ＧＵＩ９０６におけるドロップダウン層厚選択ペイン９１２などを介して、容積空間６２０内の表面上に分配すべき液体組成物の合体層の有効均一厚さを決定、計算、及び／又は選択するための手段をさらに有することができる。
【０２６８】
ある態様において、ルーチン９０４は、容積空間６２０のサイズ、容積空間６２０内の相対湿度、及び／又は合体層の所望の有効均一厚さを有する、分配の前に１つ以上のセンサにより決定されるか又は推定される情報を利用して、分配すべき水性組成物の適切な量を決定し、意図される表面の全てを所望量の各水性組成物と接触させることができる。使用中、１つ以上のセンサによって検出される事前にプログラムされたデータ又は情報に基づいてルーチン９０４により行われるか又は実行される計算は、特定の水性組成物を分配するための特定の量、速度、及び／又は時間を指定でき、第１の液体組成物の分配、第２の液体組成物の分配、及び任意の他の液体組成物の分配同士で計算されるか又は事前にプログラムされる時間遅延を実施できる。さらに、ルーチン９０４は、第１の液体組成物を分散する前に、第１の液体組成物を分散した後において第２の液体組成物の前に、又は液状水性組成物を分散させた後に、例えば噴霧器６１８及びそれぞれの遠隔制御アウトレット６２６を使用して、水又は他の不活性な非反応性材料から本質的になる組成物が分散されるルーチンを含めて、１つ以上の任意の事前にプログラムされたルーチンから選択するようにプログラムすることができる。
【０２６９】
他の態様において、ルーチン９０４は、後続の液体組成物を分散させる前に、液体組成物が分配して容積空間６２０の全体にわたって分布し所望の表面上で層へと合体するのに十分な時間をさらに計算して決定することができる。ある態様において、ユーザは、例えば、図１２に示すドロップダウン選択パネル９１４などを介して、後続の水性組成物を分散させる前にルーチン９０４が待つために望ましい時間を選択又は入力できる。他の態様において、ルーチン９０４は、後続の液体組成物を分配する前に層が所望の表面上で層へと合体するのに十分な時間を計算するために必要とされる容積空間又は領域の決定されたサイズ及び／又は液体組成物の量を使用することができる。
【０２７０】
他の態様において、ルーチン９０４は、液体組成物が領域内の表面上に到達して該表面上で層へと合体するのに十分な時間を決定するために、容積空間６２０内からのセンサ６３２及び６３４からのデータを使用することができる。非限定的な例として、１つ以上のセンサを容積空間６２０内の所望の位置及び／又は表面に配置することができ、１つ以上のセンサは、液体組成物がセンサと接触する際にルーチン９０４に通信する。さらなる態様において、容積空間６２０の全体にわたって配置される１つ以上のセンサは、後続の液体組成物を分散させる前に遅延期間を開始するためにルーチン９０４に通信するべく分散された液体組成物によって接触されなければならない。
【０２７１】
ある態様において、ルーチン９０４は、ルーチンが容積空間６２０の外側のユーザにより操作されるデバイスによってのみ開始され得るようにプログラムすることができる。他の態様において、ルーチン９０４は、容積空間６２０内に位置される１つ以上のセンサ６３２又は６３４、又は本質的にデバイスにプログラムされるＧＰＳ機能によって決定されるように容積空間６２０に人又は動物が全くいないときにのみ液体組成物の１つ以上が分散されるようにプログラムすることができる。さらに他の態様では、ルーチン９０４を操作する人及び／又はモバイル機器、コンピュータ、ハブ、又はディスプレイが容積空間６２０内に位置される間にルーチン９０４を開始することができる。
【０２７２】
ある態様において、ルーチン９０４がホームオートメーションアプリケーション９０２によって開始された後、特定のセンサによって又はルーチンを実行するモバイル機器のＧＰＳ位置と容積空間のＧＰＳ位置との比較によって容積空間内の動きが検出された場合に終了するようにルーチン９０４をプログラムすることができる。さらなる態様において、容積空間６２０内の動きが検出されると、ルーチン９０４は、水又は何らかの他の不活性物質の塗布を開始して容積空間６２０内の空気を「こすって」液体組成物中の潜在的に有害な化学物質を空域内に残存しないように希釈又は除去するようにプログラムすることができる。他のさらなる態様において、ルーチン９０２中の容積空間６２０内の動きは、順次塗布・送出システム６１０、７００又は８００で、ルーチン９０４を実行しているモバイル機器６３０で、又はルーチンの実行に関連付けられない容積空間６２０の外側に配置する二次デバイスで通知又は警報をトリガーすることができる。二次デバイスに送信され得る通知の非限定的な例として、テキストメッセージ又は電子メールを挙げることができる。
【０２７３】
ある態様において、通知又は警報は、ユーザが容積空間６２０に入るべきではないこと、ユーザが容積空間６２０から出るべきであること、及び／又は容積空間に入ることが安全であることを示すＧＵＩ９０６上に表示されるメッセージである。他の態様において、順次塗布・送出システム６１０、７００又は８００は、全ての人が見るために、容積空間６２０の外側に配置するライトを照らして、ルーチン９０４が進行中であること、誰かが容積空間６２０に入ったこと、及び／又は容積空間に入ることが安全であることを示すようにプログラムすることができる。さらなる態様において、視覚的通知及び／又は警報として、ルーチン９０４が進行中であること及び人が容積空間に入るべきではないことを示す「赤色」ライト、もしくはルーチン９０４がたった今終了したこと及び人が今や容積空間に入ってもよいことを示す「緑色」ライトを挙げることができる。
【０２７４】
ある態様において、通知又は警報は、ルーチン９０４の実行中に人又は動物が容積空間に入る場合に鳴る聴覚サイレンである。さらなる態様において、聴覚警報は、容積空間を出るように人に告げる口頭の警告である。当業者であれば分かるように、システム６１０、７００又は８００は、本発明の原理から逸脱することなく望み通りに、着色光、聴覚信号、又は口頭メッセージの任意の組み合わせ内で、視覚、聴覚、又は他の通知及び／又は警報の任意の組み合わせを与えるように構成することができる。
【０２７５】
ある態様において、水性組成物、又は水性組成物を分配するための順次塗布・送出システムのいずれかを、キットとして一緒にパッケージングすることができる。ある態様において、容積空間内の消毒を必要とする表面を消毒するのに用いるキットは、ａ）過酸化物化合物又は該過酸化物化合物と反応して過酸を形成することができる有機酸化合物のいずれかである第１の過酸反応化合物を有する第１の水性組成物；ｂ）第１の過酸反応化合物の他方である第２の過酸反応化合物を有する第２の水性組成物；及びｃ）前述の方法のいずれかを有する命令を有することができ、キットは、第１の水性組成物及び第２の水性組成物を有する反応層を形成するために第１の水性組成物及び第２の水性組成物が表面上に順次に塗布されるまで第１の水性組成物及び前記第２の水性組成物が別々にパッケージングされて組み合わされず、それにより、反応層内にその場で過酸を形成して表面を消毒するようになっている。
【０２７６】
ある態様において、順次塗布・送出システムを備えるキットは、順次塗布・送出システムを制御して前述の化学的方法、消毒方法、又は滅菌方法のいずれかを実施するために前述の１つ以上のＩｏＴ又はＳＢＣデバイスをさらに含むことができる。
【０２７７】
本発明の特定の態様を説明してきたが、本発明は、この開示の思想及び範囲内でさらに修正することができる。当業者は、本明細書中に記載される特定の手順、態様、特許請求の範囲、及び実施例に対する多数の均等物を認識し又は通常の実験のみを使用して確認することができる。したがって、そのような均等物は本発明の範囲内にあると見なされ、そのため、本願は、その一般的な原理を使用する本発明の任意の変形、使用、又は適合をカバーするように意図される。さらに、本発明は、本発明が関与するとともに添付の特許請求の範囲に入る当該技術分野での既知の又は習慣的なやり方に含まれる本開示からのそのような逸脱をカバーすることを意図している。
【０２７８】
明確にするため別個の態様の文脈で説明される本発明の特定の特徴が単一の態様に組み合わせて提供されてもよいことが分かる。逆に、簡潔にするために単一の態様の文脈で説明されている本発明の様々な特徴は、別々に又は任意の適切なサブコンビネーションで又は本発明の他の説明された態様で適切に提供することもできる。様々な態様の文脈で説明される特定の特徴は、態様がそれらの要素なしでは機能しない場合を除いて、それらの態様の本質的な特徴と見なされるべきではない。
【０２７９】
本明細書で言及された全ての引用文献、特許、及び、特許出願の内容は、参照により本願に組み入れられ、そのような引用文献が本発明の先行技術として利用可能であることの承認として解釈されるべきではない。この明細書中に組み込まれた全ての出版物及び特許出願は、本発明が関係する当業者のレベルを示すものであり、個々の出版物又は特許出願が具体的に示されて引用文献により個別に示される場合と同じ程度に組み込まれる。
【０２８０】
本発明は、以下の実施例によってさらに説明され、それらのいずれも本発明を限定するものとして解釈されるべきではない。さらに、節の見出しが使用されている限り、それらは必ずしも限定的であると解釈されるべきではない。
【０２８１】
実施例
以下の実施例は、現在最も良く知られている本発明の態様を例示する。しかしながら、以下は、本発明の原理の適用の単なる典型例又は例示であることを理解すべきである。本発明の思想及び範囲から逸脱することなく、多数の修正及び代替の組成物、方法、及びシステムが当業者によって考案することができる。したがって、本発明を詳細に説明してきたが、以下の実施例は、本発明の最も実用的で好ましい態様であると現在考えられるものに関連してさらに詳細を提供する。
【０２８２】
実施例１：クローズドシステムエレクトロスプレー分布研究
本開示の態様にしたがって静電スプレーデバイスを使用して５重量％の酢酸を有する水性組成物の複数の標的表面上への分布を評価するための研究を行った。２つの分析天びんを１立方メートルの透明なグローブボックス（「キューブ」）内に置き、質量測定値を時間の関数として収集及び記録するように構成されたコンピュータステーションに接続した。各天びんの標準読み取り誤差は０．００５グラムであった。各天びんに、１０００平方センチメートルのプラスチックシートを計量皿の内側に置いた。各天びんの位置は、キューブの一端に配置された静電噴霧器に対して、ｘ軸、ｙ軸、及びｚ軸に沿って異なる位置になるようにずらした。
【０２８３】
キューブは、透明なビニールで内側を覆われた木の外部フレームワークで構築された。キューブの床は白いフォルミカ（Formica）であった。前室は、キューブの壁の１つの下部に配置された。前室には排気ファンがあった。キューブの別の壁にはドアがあり、キューブの壁全体をドアのように開くことができた。キューブが排気されたときの補給空気は、キューブの天井の上隅にあり、前室の反対側の壁に隣接するポータルを通して提供された。ポータルは、プレフィルタとして高効率炉フィルタを使用するＨＥＰＡフィルタで覆われていた。キューブが外部環境に対して閉鎖されている間にキューブ内の材料を操作するために、前室の反対側の壁に１つのグローブが取り付けられ、前室自体に隣接して２つのグローブが取り付けられた。前述のように、各グローブステーションの近くに棚を設置して、天びんを互い違いのｘ、ｙ、ｚ位置に配置できるようにした。キューブ内にはデジタル温度計及び湿度計も設置した。
【０２８４】
使用した静電スプレーデバイスは、ハリケーンＥＳ（商標）ポータブル静電エアロゾルアプリケータで、キューブの予備チャンバ内に配置した。噴霧器の補給空気はキューブから送られ、噴霧器の下を通って噴霧器の背面に入るようにした。この空気は、噴霧器を強制的に通過し、そこで試験溶液を吸収し、３つの電極の経路にある３つのノズルを通過した。その後、スプレーは、キューブに入る前に、高強度のＵＶ  Ｃ光を含む短いチャンバを通過した。テスト溶液の供給ラインは、予備チャンバを出て、分析天びんに設置されたビーカまで延びた。約２４．５グラムの各テスト溶液がキューブに渡され、約３ミクロンの理論的有効膜厚が得られた。テストすべき物体は、噴霧器の直接ラインの外側に配置したので、実際には消毒されるべき表面の潜在的な状態を模倣して、間接スプレーのみを受け取った。各実験の間、キューブの全ての開口は外部環境から密閉されていた。
【０２８５】
次に、酢酸組成物を、約１５ミクロンの設定粒子サイズで、キューブ全体に３０秒間静電噴射した。塗布時間は、天秤で測定して、処理スペース内に２ミクロンの厚さのコーティングをもたらすように選択した。塗布中に、２つの天秤の質量測定値がコンピュータによって収集及び記録された。テストの結果は以下のようであった。
【０２８６】
【表２】
2020537565.tif 000006
【０２８７】
天秤Ａ及び天秤Ｂに堆積された第１の水性組成物の質量は、０．０１５＋／−０．０１０グラムの差を示した。キューブの内面が酢酸溶液で等しくコーティングされているように見えるという定性的な観察と組み合わせて、エレクトロスプレー法はキューブ内の第１の水性組成物を均一に分配したと考えられる。
【０２８８】
実施例２：第１及び第２の水性組成物の調製
過酸反応化合物を有する２つの別個の水性組成物は、一方が酢酸を有し、他方が過酸化水素を有し、おおよその量で以下の原材料を有する本開示の態様にしたがって調製した。
第１の水性組成物：
８％（ｗ／ｗ）酢酸
１５％（ｗ／ｗ）エタノール
０．００３％（ｗ／ｗ）シナモンオイル
７６．９９７％（ｗ／ｗ）蒸留水
第２の水性組成物：
５％（ｗ／ｗ）過酸化水素
１５％（ｗ／ｗ）エタノール
８０％（ｗ／ｗ）蒸留水
【０２８９】
第１の水性組成物及び第２の水性組成物は、それらが容積空間内での消毒を必要とする表面上に分散され得るまで、別々の容器に入れられた。
【０２９０】
実施例３：実施例２の水性組成物の順次付加による密閉システム対数−殺生研究
本開示の態様に従って研究を行って、実施例２の２つの水性組成物を順次塗布して密閉システム内で消毒されるべき表面上に直接その場で過酸を形成することにより、細菌の一般的な株に対する抗菌活性を決定した。密閉システムは、実施例１で使用したキューブであった。４種の細菌、枯草菌（Bacillus subtilis）、ミクロコッカス・ルテウス（Micrococcus luteus）、ロドスピリラム・ラブラム（Rhodospirillum rubrum,）、及び、表皮ブドウ球菌（Staphylococcus epidermis）の市販株からの培養物を対数−殺生研究のために選択した。これは一般的な殺生物剤に対するいくつかの既知の防御メカニズムを備えていると同時に、互いに異なる物理特性を有すからである。滅菌済みのプレアガー寒天プレートを増殖培地として使用して、各細菌のコロニーを作製した。種ごとに８枚のプレートに接種した。これらの８枚のプレートのうち、４枚のプレートを実施例２の２つの水性組成物の順次塗布に晒し、４枚のプレートを対照として差し出した。プレートは、対数−殺生研究のための標準的なストリーキングＴ法を使用して接種され、この場合、プレートの第４象限の細菌の濃度は、第１象限に対して約１，０００，０００Ｘに希釈された。次に、各種のテストプレートを、ふたを開いた状態でキューブ内に配置した。対照プレートをテープで密封した。
【０２９１】
キューブを閉じたら、ハリケーンＥＳ（商標）ポータブル静電エアロゾルアプリケータを使用して、第１の水性組成物の多数の微小液滴をＣｕｂｅ全体に静電的に塗布した。ハリケーンＥＳ（商標）アプリケータの製造元の指示に従って、１０ミクロン〜２０ミクロンの微小液滴サイズと相関する６ｏｚ．／ｍｉｎの流量を使用して、微小液滴を３０秒間噴射した。第１の水性組成物の塗布のタイミングは、溶液の質量によって決定されるように、処理空間内のプレート上に計算された２ミクロンの厚さを有するコーティングをもたらすように選択した。第１の水性組成物の噴霧が完了した約１分後、第２の水性組成物をハンドスプレーを使用して約６〜８インチの距離で３秒間噴射し、システム全体をさらに５分間触れなかった。残留スプレーの空域を空にした後、テストプレートをキューブ内のふたで閉じてから、周囲環境に持ち出し、テープでシールした。キューブから外部環境への移動中に、枯草菌テストプレート１と２のふたが誤って開かれた。これらのプレートを直ちに閉じ、テープで密封した。次に、全ての密閉されたテストプレートと対照プレートを約２８℃でインキュベートし、１、２、及び４日後に検査した。
テストの結果は以下のように与えられる。
【０２９２】
【表３】
2020537565.tif 000007
【０２９３】
【表４】
2020537565.tif 000008
【０２９４】
【表５】
2020537565.tif 000009
【０２９５】
過酸反応化合物を有する順次塗布される水性組成物で処理されていない正の対照プレートは、開放環境内でのその成長に特徴的な各生物の成長を示す、全ての制御が期待される結果を生み出した。１６枚の対照プレートでは、プレートの第４象限に平均４つのコロニーがあり、最初の接種で４，０００，０００のコロニーがあったことを示す。
【０２９６】
コロニーは１日後に２枚の枯草菌テストプレートで観察された。しかしながら、これらのテストプレートは、方法の完了後、ふたを密閉する前に、不注意で周囲環境に晒されたものである。これらのコロニーは、枯草菌対照プレート上のものとは異なる形態を有していた。その結果、これらのコロニーは、ふたがうっかり開かれたときにプレートに導入された細菌に基づいて、偽陽性を表すと考えられる。コロニーは以前に過酸に晒されていたプレートで発見されたため、これらの結果は、テストプレート自体が細菌の増殖をサポートできること、及び残りのテストプレートに観察可能なコロニーがないことが実験で使用した消毒方法の直接的な結果であることも示唆する。したがって、対照プレートで観察された約４，０００，０００のコロニーと相まって、残りのテストプレートでのコロニーの欠如は、方法がプレート上に当所存在していた細菌の少なくとも９９．９９９９％の殺生を表す、少なくともｌｏｇ−６殺生率に効果的であったことを示している。
【０２９７】
実施例４：中規模の容積空間エレクトロスプレー分布研究
本開示の態様に従って、静電スプレーデバイスを使用して複数の標的表面上に１重量％の酢酸を含有する水性組成物の分布を評価するための研究が行われた。使用した静電スプレーデバイスは、ハリケーンＥＳ（商標）ポータブル静電エアロゾルアプリケータであった。試験面が配置された実験室のスペースは周囲の環境から遮断されており、約３０立方メートルの容積があり、これはほぼ小さな病室の大きさであった。エレクトロスプレーデバイスは、高さが約２フィート、実験室スペースのコーナーの１つから約５フィートのプラットフォームに配置され、反対側のコーナーに面するように向けられているため、ｙ軸に沿ってエレクトロスプレーデバイスの背後の分布をテストできる（以下に定義）。いくつかのｐＨテストストリップは、実験室のスペース全体、特に壁、床、天井、及び機器に露出及び非露出面を含めて固定された。ｐＨストリップは、酢酸組成物への曝露に応答した色の変化について、酢酸組成物をエレクトロスプレーする前と後の両方で評価した。酢酸組成物の各塗布に負電荷を噴霧した。
【０２９８】
各塗布について、ハリケーンＥＳ（商標）アプリケータの製造元の指示に従って、６  ｏｚ．／ｍｉｎの流量を使用して、酢酸組成物を約４５秒間スプレーした。これは、１０〜２０ミクロンの微小液滴サイズと相関している。スプレーが終了した後、研究者たちは部屋に入ってｐＨストリップを評価した。３回の試行で、全てのｐＨストリップは各試行中に色の変化を示した。これは、酢酸組成物が各ストリップ、隠されていたか露出されていなかったｐＨストリップにさえも接触したことを示している。
【０２９９】
各ｐＨストリップ位置でのｐＨを定量化し、エレクトロスプレーデバイスのノズルからのｘ、ｙ、及びｚ方向の変化の関数としてのｐＨ分布を図１３に示す。各線は、エリア内の各ｐＨストリップから収集されたデータの最適な線を表す。より低いｐＨ値は、より高いｐＨ値の場所よりもその場所でより多くの酢酸がｐＨストリップに接触したことを示す。全ての距離はインチで計算された。ｘ軸は、エレクトロスプレーデバイスの外方向に垂直な水平軸として定義された。ｙ軸は、エレクトロスプレーデバイスの外方向に平行な水平軸として定義された。エレクトロスプレーデバイスのノズルは、ｘ軸とｙ軸の両方に対して４５度の角度でスプレーするように配置された。ｚ軸は、噴霧器のノズルから直接上又は下に延びる垂直方向の高さである。ｘ軸とｚ軸の両方で、これらの場所で測定されたｐＨの低下から明らかなように、酢酸スプレーによる接触は一般に噴霧器からの距離が増加するにつれて増加した。しかし、その効果は双曲線であり、しばらくすると平らになった。ただし、ほぼ同じ減少がエレクトロスプレーの前（正の距離値）と後ろ（負の距離値）の両方で観察されたが、ｙ軸に沿って、一般的に被覆率は噴霧器から離れた距離で減少した。それにもかかわらず、全ての場合において、影響がｚ軸に沿ってより顕著であったにもかかわらず、測定された位置での最大被覆率と最小被覆率でのｐＨの差は狭かった。
【０３００】
実施例５：反応パラメータの多次元分析と細菌の殺生パーセントに対する影響
微生物の殺生パーセントに対するいくつかの反応パラメータの影響を評価するために、本開示の態様に従って研究を行った。テストした反応パラメータとして、水性組成物中の過酸反応化合物の濃度、過酸反応化合物を有する水性組成物の添加順序、過酸反応化合物を分散させるときに印加される電荷、各水性組成物に含まれるアルコールの濃度、各組成物に含まれる天然の殺生物剤又は殺生物性化合物、及び紫外光から本質的になる波長で表面を照らす効果が挙げられる。アルコールが水性組成物に含まれる全ての実験において、アルコールはエタノールであった。天然殺生物剤が含まれる全ての実験において、天然殺生物剤はシナモンオイルであった。各実験の水性組成物の配合に使用される典型的な原液には、蒸留水、３５％の食品グレードの過酸化水素、９９％の氷酢酸、９５％のエタノール、及びエタノールで２０％の濃度に希釈したシナモンオイルが含まれる。
【０３０１】
全ての実験は、実施例１で使用したキューブで行った。使用した静電スプレーデバイスは、ハリケーンＥＳ（商標）ポータブル静電エアロゾルアプリケータで、負電荷、正電荷、又は中性電荷を持つ微小液滴を分散できるように変更されている。実施例３の手順に従って、３つの異なる細菌、枯草菌、ミクロコッカス・ルテウス、及び表皮ブドウ球菌を各実験で試験した。いくつかの実験では、実施例３のようにハンドスプレーを使用する代わりに、２番目の改造ハリケーンＥＳ（商標）ポータブル静電エアロゾルアプリケータを使用して、第２の水性組成物の微小液滴を分散させた。細菌殺生の量は、１つ以上の反応成分が含まれていない実験を評価するために、対数殺生ではなく殺生パーセントとして評価し、全ての実験の結果を比較する分析を容易にした。細菌を含むペトリ皿は、各実験の２４時間、３日、及び５日後に等級付けした。実施例３の手順に従って、細菌対照反応を各実験と並行して行った。一定の相対湿度を確保し、各水性組成物の微小液滴の堆積を容易にするために、各実験では前処理工程を使用し、キューブ内の相対湿度が湿度計で９０％を記録するまでキューブ内の中性電荷を使用して蒸留水を噴射した。
【０３０２】
各実験のデータを、SAS Institute、Incから入手可能な統計分析ソフトウェアであるＪＭＰにコンパイルした。このソフトウェアは、複数の次元にわたる変数間の相関を決定するために、複数の変数にわたるデータを分析、モデル化、視覚化できる。特に、殺生パーセントを、各反応パラメータについて収集された複数のデータポイントの関数として２次元で決定した。コンパイルした全てのデータを使用して、ＪＭＰソフトウェアは、システム内の他の反応パラメータが細菌に影響を与える能力について、単一の反応パラメータのテストされていない濃度又は値と、１つの反応パラメータの効果の両方で、細菌の殺生パーセントへの影響を決定するために使用できるモデルを計算できる。
【０３０３】
最初の一連の実験では、過酸化水素、酢酸、エタノール、シナモンオイルの存在、及び紫外線の照射と、電荷の存在下での水性組成物の分散の影響を調べた。以下の表６に従って、１３の別々の反応条件を試験した。殺生パーセントの列に報告された値は、３つの細菌種全ての平均殺生パーセントを表し、各実験は３回繰り返した。
【０３０４】
【表６】
2020537565.tif 000010
【０３０５】
表６に示すように、「ｘ」は、組成物が実験条件で存在することを示し、「HP」＝５重量％の過酸化水素、「AA」＝８重量％の酢酸、「EtOH」＝１６重量％のエタノール、「UV」＝表面は、反応条件の間、紫外光で照らされ、「Charge」＝少なくとも１つの水性組成物が静電荷で分散され、「Cinn」＝０．１重量％のシナモンオイルである。「Comp 1」は最初に分散された水性組成物を指し、「Comp 2」は２番目に分散された水性組成物を指す。括弧内には、該当する場合、分散されたときの水性組成物の静電荷が示されている。反応条件にエタノールが存在する実験では、エタノールは両方の水性組成物に含まれていた。反応条件にシナモンオイルが存在する実験では、シナモンオイルが酢酸と共に組成物に添加された。表面がＵＶ光に曝露された実験では、実施例１による手順が利用された。実験２〜７は、過酸反応化合物が各分散水性組成物に含まれた反応条件を表し、実験８〜１３は、過酸反応化合物の一方又は両方が省略された対照反応を表す。
【０３０６】
表６の結果は、両方の過酸反応化合物が含まれている実験（実験２〜７）では、１つ又は０の過酸反応化合物が含まれている実験８〜１３のいずれよりも殺生パーセントが明らかに大きいことを示している。さらに、過酸化水素又は酢酸のみが含まれている実験８と９を合わせた殺生パーセントは、両方の化合物が含まれている実験２〜７のいずれよりも著しく少ない。この結果は、過酸が表面に形成されていること、及び、増加した細菌殺生が過酸の形成の結果であることを示している。各水性組成物に関連する分散及び電荷の順序を変更する実験４〜７はそれぞれ、互いに同様の殺生パーセントを示している。実験４〜７、特に４〜６の反応条件は、エタノール、ＵＶ、又はシナモンオイルの少なくとも１つが、これらの成分が存在しない反応（実験２及び３）に対して殺生パーセントに大きな影響を及ぼすことを示す。
【０３０７】
２番目の一連の実験では、過酸反応化合物、エタノール、及びシナモンオイルの濃度の影響を、１７４回の別々の実験の過程で、添加順序と静電荷の関数として調べた。いくつかの反応では、他の反応条件の影響を判断するために、一部の反応成分の濃度を意図的に低く抑えた。試験した酢酸の濃度は、水性組成物の０〜１５重量％の範囲であった。試験した過酸化水素の濃度は、水性組成物の０〜１０重量％の範囲であった。試験したエタノール濃度は、水性組成物の０〜１６重量％の範囲であった。また、試験したシナモンオイルの濃度は、水性組成物の０重量％〜０．１６重量％の範囲であった。
【０３０８】
１つ以上の反応変数を変更する関数としての各実験からの殺生パーセントを、ＪＭＰプログラムにコンパイルした。全ての１７４個の実験のデータを利用して、全ての反応条件での平均殺生を予測するモデルを計算し、各反応成分の濃度範囲をテストした。計算されたモデルは、酢酸濃度、第２の分散水性組成物の電荷の極性、シナモンオイル濃度、過酸化水素を有する組成物の存在及び添加順序、過酸化水素濃度、及び表面が紫外線で照射されたかどうかを含む、殺生パーセントに影響を与える９つの統計的に有意な（Ｒ２＝９７％）独立変数が存在することを決定した。過酸化水素を有する組成物の添加順序の２乗、過酸化水素濃度の２乗、及び過酸化水素の添加と併せて表面を紫外光で照射したかどうかなどの追加の用語も統計的に関連する。
【０３０９】
図１４及び１５は、別々に考慮した場合（図１４）及び一緒に分析した場合（図１５）の各構成要素の殺生パーセントに対する影響を示す。図１４では、酢酸（ＡＡ−ａ）、シナモンオイル（ＥＯ−ａ）、及び過酸化水素（ＨＰ−ａ）の実際の濃度が全て０重量％（ｗ／ｗ）である場合、モデルは細菌の殺生パーセントが０であることを予測する。この結果は、反応成分が全く追加されていない対照反応と同等である。第２の水性組成物の電荷のプロット（Ｃｈａｒｇｅ２）と追加の順序（ＨＰ順序）は連続線を示しているが、これらのプロットはＪＭＰプログラムの人工物（artifact）である。第２の水性組成物の電荷に関して、−１の値は負の電荷を示し、０の値は中性の電荷を示し、そして＋１の値は正の電荷を示す。添加順序については、ＨＰ順序値０は過酸化水素が存在しないことを示し、ＨＰ順序値１は過酸化水素が第１の水性組成物に分散されたことを示し、ＨＰ順序値２は過酸化水素が第２の水性組成物中に分散したことを示す。当然のことながら、過酸化水素の添加は、当量の酢酸を添加するよりも、殺生パーセントに対してより顕著な影響を及ぼす。ただし、ＨＰを追加する効果は高濃度で横ばいになるように見えるが、酢酸を追加する相関関係は線形であるように見える。この現象は、過酸化水素の効果を最大化し、過酸化水素濃度と殺生パーセントの関係が存在する場合は、より直線的にするために、酢酸がこれらの実験でテストされた濃度よりも高い濃度で存在する必要があることを示している可能性がある。他方、より高い濃度の過酸化水素での横ばいは、細菌の殺生パーセントに対する消光効果を示している可能性がある。
【０３１０】
一方、図１５は、各反応パラメータが殺生パーセントに及ぼす最大効果を示している。いずれの場合も、特定の反応パラメータのプロットが１００％に達すると、テストした全ての濃度と反応条件で、各変数の最適値を示す。各ｘ軸ラベルの上の値は、各変数の最適値を示す。興味深いことに、酢酸とシナモンオイルの濃度の最適値は、テストした最大値（１５重量％の酢酸、０．１６重量％のシナモンオイル）にあり、細菌の殺生にさらに大きな影響を与えるようにより高い濃度の酢酸とシナモンオイルを使用できる可能性が高いことが分かる。驚くべきことに、各変数のプロットは一般に図１４と同じプロファイルを持っているが、第２の水性組成物の電荷のプロットは、負の電荷で分散することに対する強い優先度を示している。これは、過酸化水素を有する水性組成物が最初に分散されても、２番目に分散されても、殺生パーセントはほぼ同じであっても当てはまる。その結果、負の電荷を有する第２の水性組成物の分散に関連する豊富な電子は、それが形成されるときに過酸の反応性を高めるように見える。
【０３１１】
最後の一連の実験では、細菌の殺生パーセントに対する統計的に有意なシナモンオイルの存在を考慮して、シナモンオイルの濃度効果と他の天然殺生物剤の効果を、上記と同様の手順を使用してテストした。天然殺生物剤は、酢酸と共に第１の水性組成物の一部として分散され、過酸化水素は第２の水性組成物に分散された。１６重量％のイソプロピルアルコール（ｉ−ＰｒＯＨ）が両方の水性組成物中に存在した。４つの異なる濃度のシナモンオイル、すなわち０．０６５重量％、０．１３重量％；０．２０重量％；０．２６重量％のシナモンオイルをテストした。さらに、タイムオイル（Ｔｈｙｍ）、クローブオイル（Ｃｌｏｖ）、及びメチルグリオキサール（ＭＧｌｙ）も、別の実験で０．０２６重量％でテストした。４つの天然殺生物剤のそれぞれが０．０６５重量％の濃度で第１の水性組成物に含まれる１つの実験を行った。存在する場合、過酸化水素と酢酸は、３つの実験ではそれぞれの水性組成物の５重量％しか含まれていないが、通常は１０重量％で追加された。反応パラメータ及び結果を以下の表７に示す。
【０３１２】
【表７】
2020537565.tif 000011
【０３１３】
表７に例示するように、１０重量％の過酸化水素と酢酸を含む反応と最高濃度の天然殺生物剤が殺生パーセントに最も強い影響を与えた。実験３〜６を見ると、同じ濃度のタイムオイル、クローブオイル、メチルグリオキサールがシナモンオイルよりも効果的だったため、シナモンオイルは０．２６重量％でテストされた４つの天然殺生物剤の中で最も弱いものであった。ただし、シナモンオイルが０．１３重量パーセントしか存在しない実験８では、シナモンオイルが０．２６重量パーセントで含まれている場合よりも効果的であり、他の天然殺生物剤により示されないシナモンオイルの高濃度でクエンチ問題が発生しない可能性があることを示している。それにもかかわらず、天然殺生物剤を含有する組成物の高い有効性は、本発明の方法による水性組成物の少なくとも１つにそのような化合物を含めることの有効性を例証する。
【０３１４】
実施例６：消毒された表面の過酸の存在に対する金属ハロゲン化物の影響
金属ハロゲン化物化合物を有する過酸除去組成物が表面上の過酸の消毒後濃度に及ぼす影響を決定するために、本開示の態様による研究を行う。実施例２の水性組成物は、実施例３で用いたのと同じ噴霧プロトコルを使用して表面に順次塗布される。第２の水性組成物が表面に噴射され、過酸が反応層内でその場で形成された約１分後、実施例３と同じハンドスプレープロトコルを使用して、１リットルあたり０．００１モルを含む過酸除去組成物をハンドスプレーを使用して反応層に塗布する。５分以内に、形成された過酸の実質的に全てが表面から除去されると予想される。
【図１】
2020537565.tif 000012
【図２】
2020537565.tif 000013
【図３】
2020537565.tif 000014
【図４】
2020537565.tif 000015
【図５】
2020537565.tif 000016
【図６】
2020537565.tif 000017
【図７】
2020537565.tif 000018
【図８】
2020537565.tif 000019
【図９】
2020537565.tif 000020
【図１０】
2020537565.tif 000021
【図１１】
2020537565.tif 000022
【図１２】
2020537565.tif 000023
【図１３】
2020537565.tif 000024
【図１４】
2020537565.tif 000025
【図１５】
2020537565.tif 000026
【国際調査報告】
2020537565.tif 000027
2020537565.tif 000028
2020537565.tif 000029
2020537565.tif 000030
2020537565.tif 000031
2020537565.tif 000032